(57)【特許請求の範囲】
【請求項１】
ユーザ機器（ＵＥ）におけるワイヤレス通信のための方法であって、
共有無線周波数スペクトル帯域中でのアップリンク送信のために割り当てられた第１の間隔を識別することと、ここにおいて、前記第１の間隔は第１のサブフレーム継続時間を備える、
前記第１の間隔の一部が前記共有無線周波数スペクトル帯域中での前記アップリンク送信のために利用可能でないと決定することと、
前記第１の間隔の前記一部が利用可能でないとの前記決定に少なくとも部分的に基づいて、前記アップリンク送信のための第２のサブフレーム継続時間を備える第２の間隔を識別することと、
前記アップリンク送信に使用すべき前記第２のサブフレーム継続時間のアップリンクリソースを決定すること、ここにおいて、前記第２のサブフレーム継続時間は、前記第１のサブフレーム継続時間より短く、前記第２の間隔は、前記第１の間隔内にある、と
を備える、方法。
【請求項２】
前記共有無線周波数スペクトル帯域は、無認可無線周波数スペクトル帯域を備える、
請求項１に記載の方法。
【請求項３】
前記共有無線周波数スペクトル帯域は、２つ以上の事業者によって共有される認可無線周波数スペクトル帯域を備える、
請求項１に記載の方法。
【請求項４】
前記アップリンク送信に使用すべきアップリンクリソースの少なくとも１つの割当てを受信すること
をさらに備える、請求項１に記載の方法。
【請求項５】
前記第２の間隔を識別するためにクリアチャネルアセスメント（ＣＣＡ）を実行することと、
前記決定されたアップリンクリソースを使用して前記アップリンク送信を送信することと
をさらに備える、請求項４に記載の方法。
【請求項６】
前記ＣＣＡは、拡張ＣＣＡを備える、
請求項５に記載の方法。
【請求項７】
前記アップリンク送信に使用すべきアップリンクリソースの複数の割当てを受信すること、
をさらに備え、アップリンクリソースを前記決定することは、前記アップリンク送信に使用すべきアップリンクリソースの前記複数の割当てから割当てを選択することを備える、
請求項１に記載の方法。
【請求項８】
アップリンクリソースを前記決定することは、
前記アップリンク送信に、前記アップリンク送信の継続時間に関連するアップリンクリソースの割当てのサブセットを適用すること
を備える、請求項４に記載の方法。
【請求項９】
アップリンクリソースを前記決定することは、
前記第２のサブフレーム継続時間における前記アップリンク送信に使用すべき前記アップリンクリソースの１つまたは複数のパラメータを調整すること
を備える、請求項４に記載の方法。
【請求項１０】
基地局に、前記アップリンクリソースの前記調整された１つまたは複数のパラメータのうちの少なくとも１つの値を示すインジケータをシグナリングすること
をさらに備える、請求項９に記載の方法。
【請求項１１】
アップリンクリソースを前記決定することは、
前記第１の間隔の一部分に対応するアップリンクリソースの少なくとも１つの割当てを適用すること
を備える、請求項４に記載の方法。
【請求項１２】
アップリンクリソースを前記決定することは、
前記第１の間隔に関連するサブフレームインデックスに少なくとも部分的に基づいてアップリンクリソースの少なくとも１つの割当てを適用すること
を備える、請求項４に記載の方法。
【請求項１３】
ワイヤレス通信のためのユーザ機器であって、
プロセッサと、
前記プロセッサと電子通信しているメモリと、
前記メモリに記憶された命令と
を備え、前記命令は、前記プロセッサによって、
共有無線周波数スペクトル帯域中でのアップリンク送信のために割り当てられた第１の間隔を識別することと、ここにおいて、前記第１の間隔は第１のサブフレーム継続時間を備える、
前記第１の間隔の一部が前記共有無線周波数スペクトル帯域中での前記アップリンク送信のために利用可能でないと決定することと、
前記第１の間隔の前記一部が利用可能でないとの前記決定に少なくとも部分的に基づいて、前記アップリンク送信のための第２のサブフレーム継続時間を備える第２の間隔を識別することと、
前記アップリンク送信に使用すべき前記第２のサブフレーム継続時間のアップリンクリソースを決定すること、ここにおいて、前記第２のサブフレーム継続時間は、前記第１のサブフレーム継続時間より短く、前記第２の間隔は、前記第１の間隔内にある、と
を行うように実行可能である、ユーザ機器。
【発明の詳細な説明】
【相互参照】
【０００１】
[0001]本特許出願は、各々が本出願の譲受人に譲渡された、２０１５年２月１０日に出願された、「Ｔｅｃｈｎｉｑｕｅｓ  ｆｏｒ  Ｍａｎａｇｉｎｇ  Ｒｅｓｏｕｒｃｅｓ  ｆｏｒ  Ｕｐｌｉｎｋ  Ｔｒａｎｓｍｉｓｓｉｏｎｓ  ｉｎ  ａ  Ｓｈａｒｅｄ  Ｒａｄｉｏ  Ｆｒｅｑｕｅｎｃｙ  Ｓｐｅｃｔｒｕｍ  Ｂａｎｄ」と題する、Ｃｈｅｎらによる米国特許出願第１４／６１８，７３８号、および２０１４年５月２０日に出願された、「Ｔｅｃｈｎｉｑｕｅｓ  ｆｏｒ  Ｍａｎａｇｉｎｇ  Ｒｅｓｏｕｒｃｅｓ  ｆｏｒ  Ｕｐｌｉｎｋ  Ｔｒａｎｓｍｉｓｓｉｏｎｓ  ｉｎ  ａ  Ｓｈａｒｅｄ  Ｒａｄｉｏ  Ｆｒｅｑｕｅｎｃｙ  Ｓｐｅｃｔｒｕｍ  Ｂａｎｄ」と題する、Ｃｈｅｎらによる米国仮特許出願第６２／０００，９５７号の優先権を主張する。
【技術分野】
【０００２】
[0002]本開示は、たとえば、ワイヤレス通信システムに関し、より詳細には、共有無線周波数スペクトル帯域中でのアップリンク送信のためのリソースを管理するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、各々が複数のユーザ機器（ＵＥ）のための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの異なる無線周波数スペクトル帯域（たとえば、認可無線周波数スペクトル帯域または無認可無線周波数スペクトル帯域）を介したＵＥとの通信を可能にし得る。認可無線周波数スペクトル帯域を使用するセルラーネットワークにおけるデータトラフィックの増加とともに、少なくとも一部のデータトラフィックの、無認可無線周波数スペクトル帯域へのオフローディングは、セルラー事業者に拡張データ送信容量のための機会を与え得る。無認可無線周波数スペクトル帯域へのアクセスを獲得し、無認可無線周波数スペクトル帯域を介して通信する前に、送信装置は、いくつかの例では、無認可無線周波数スペクトル帯域へのアクセスを求めて競合するために、リッスンビフォアトーク（ＬＢＴ：listen before talk）プロシージャを実行し得る。ＬＢＴプロシージャは、無認可無線周波数スペクトル帯域のチャネルが利用可能であるかどうかを決定するためにクリアチャネルアセスメント（ＣＣＡ）を実行することを含み得る。（たとえば、別のデバイスが無認可無線周波数スペクトル帯域のチャネルをすでに使用しているので）無認可無線周波数スペクトル帯域のチャネルが利用可能ではないと決定されるとき、そのチャネルのためにＣＣＡが後で再び実行され得る。
【０００６】
[0006]いくつかの場合、無認可無線周波数スペクトル帯域を介した１つまたは複数のノード（たとえば、Ｗｉ−Ｆｉ（登録商標）ノードまたは他の事業者のノード）による送信が、基地局またはＵＥがその無認可無線周波数スペクトルへのアクセスを獲得するのを妨げ、基地局またはＵＥが無認可無線周波数スペクトル帯域の使用に「飢える」ようになることがある。いくつかの場合、この飢餓の問題は、フレームベースの機器のために構成されたＬＢＴプロトコル（ＬＢＴ−ＦＢＥ：LBT protocol configured for frame based equipment）の代わりに、負荷ベースの機器のために構成されたＬＢＴプロトコル（ＬＢＴ−ＬＢＥ：LBT protocol configured for load based equipment）を使用することによって、軽減され得る。ＬＢＴ−ＬＢＥプロトコルでは、複数のＮ回のＣＣＡプロシージャを含む拡張ＣＣＡプロシージャが実行され得る。ＬＢＴ−ＬＢＥプロトコルとともに実行される拡張ＣＣＡプロシージャは、（たとえば、ＬＢＴ−ＦＢＥプロトコルとともに実行される単一のＣＣＡプロシージャと比較して）無認可無線周波数スペクトル帯域へのアクセスを獲得するためのより多くの機会を、基地局またはＵＥに与え得る。
【発明の概要】
【０００７】
[0007]本開示は、たとえば、共有無線周波数スペクトル帯域中でのアップリンク送信のためのリソースを管理するための１つまたは複数の技法に関する。ＵＥが、共有無線周波数スペクトル帯域へのアクセスを求めて競合するためにＬＢＴ−ＬＢＥプロトコルを使用するとき、共有無線周波数スペクトル帯域へのアクセスを求めてＵＥが正常に競合するかどうか、および正常にいつ競合するかに関する不確実性がある。たとえば、ＵＥは、アップリンク送信のための割り当てられたまたは意図された間隔の一部分の間、共有無線周波数スペクトル帯域へのアクセスを求めて正常に競合し得る。本明細書で開示する技法により、ＵＥおよび基地局は、アップリンク送信のための実際の間隔が、アップリンク送信のための割り当てられたまたは意図された間隔よりも短いときにどのアップリンクリソースを使用すべきかを決定することが可能になる。
【０００８】
[0008]一例では、ワイヤレス通信のための方法について説明する。一例では、本方法は、共有無線周波数スペクトル帯域中でのアップリンク送信のための第１の間隔を識別することと、アップリンク送信のための第２の間隔を識別することと、第１の間隔を第２の間隔と比較することと、第１の間隔と第２の間隔との比較に少なくとも部分的に基づいてアップリンク送信に使用すべきアップリンクリソースを決定することとを含み得る。
【０００９】
[0009]本方法のいくつかの例では、共有無線周波数スペクトル帯域は、無認可無線周波数スペクトル帯域を含み得る。本方法のいくつかの例では、共有無線周波数スペクトル帯域は、２つ以上の事業者によって共有される認可無線周波数スペクトル帯域を含み得る。
【００１０】
[0010]いくつかの例では、本方法は、アップリンク送信に使用すべきアップリンクリソースの１つまたは複数の割当てを受信することを含み得る。いくつかの例では、本方法は、第２の間隔を識別するためにＣＣＡを実行することと、決定されたアップリンクリソースを使用してアップリンク送信を送信することとをさらに含み得る。いくつかの例では、ＣＣＡは、拡張ＣＣＡを含み得る。いくつかの例では、アップリンクリソースを決定することは、アップリンク送信に使用すべきアップリンクリソースの複数の割当てを受信することと、アップリンク送信に使用すべきアップリンクリソースの割当てを選択することとを含み得る。いくつかの例では、アップリンクリソースを決定することは、アップリンク送信に、アップリンク送信の継続時間に関連するアップリンクリソースの割当てのサブセットを適用することを含み得る。いくつかの例では、アップリンクリソースを決定することは、第１の間隔と第２の間隔との比較に少なくとも部分的に基づいてアップリンク送信に使用すべきアップリンクリソースの１つまたは複数のパラメータを調整することを含み得る。いくつかの例では、本方法は、基地局に、アップリンクリソースの調整された１つまたは複数のパラメータのうちの少なくとも１つの値を示すインジケータをシグナリングすることを含み得る。いくつかの例では、アップリンクリソースを決定することは、第１の間隔の一部分に対応するアップリンクリソースの少なくとも１つの割当てを適用することを含み得る。いくつかの例では、アップリンクリソースを決定することは、第１の間隔に関連するサブフレームインデックスに少なくとも部分的に基づいてアップリンクリソースの少なくとも１つの割当てを適用することを含み得る。
【００１１】
[0011]本方法のいくつかの例では、第１の間隔は、アップリンク送信のための第１の継続時間を含み得、第２の間隔は、アップリンク送信のための第２の継続時間を含み得、第２の継続時間は、第１の継続時間とは異なる。これらの例では、第１の間隔は、複数のサブフレームを含み得る。
【００１２】
[0012]一例では、ワイヤレス通信のための装置について説明する。一例では、本装置は、共有無線周波数スペクトル帯域中でのアップリンク送信のための第１の間隔を識別するための手段と、アップリンク送信のための第２の間隔を識別するための手段と、第１の間隔を第２の間隔と比較するための手段と、第１の間隔と第２の間隔との比較に少なくとも部分的に基づいてアップリンク送信に使用すべきアップリンクリソースを決定するための手段とを含み得る。いくつかの例では、本装置は、例示的な例の第１のセットに関して上記で説明されたワイヤレス通信のための方法の１つまたは複数の態様を実施するための手段をさらに含み得る。
【００１３】
[0013]一例では、ワイヤレス通信のための別の装置について説明する。一例では、装置は、プロセッサと、プロセッサと電子通信しているメモリと、メモリに記憶された命令とを含み得る。命令は、共有無線周波数スペクトル帯域中でのアップリンク送信のための第１の間隔を識別することと、アップリンク送信のための第２の間隔を識別することと、第１の間隔を第２の間隔と比較することと、第１の間隔と第２の間隔との比較に少なくとも部分的に基づいてアップリンク送信に使用すべきアップリンクリソースを決定することとを行うようにプロセッサによって実行可能であり得る。いくつかの例では、命令はまた、例示的な例の第１のセットに関して上記で説明されたワイヤレス通信のための方法の１つまたは複数の態様を実施するようにプロセッサによって実行可能であり得る。
【００１４】
[0014]一例では、ワイヤレス通信システム中のワイヤレス通信装置による通信のためのコンピュータプログラム製品について説明する。一例では、コンピュータプログラム製品は、ワイヤレス通信装置に、共有無線周波数スペクトル帯域中でのアップリンク送信のための第１の間隔を識別することと、アップリンク送信のための第２の間隔を識別することと、第１の間隔を第２の間隔と比較することと、第１の間隔と第２の間隔との比較に少なくとも部分的に基づいてアップリンク送信に使用すべきアップリンクリソースを決定することとを行わせるようにプロセッサによって実行可能な命令を記憶する非一時的コンピュータ可読媒体を含み得る。いくつかの例では、命令はまた、ワイヤレス通信装置に、説明のための例の第１のセットに関して上で説明されたワイヤレス通信のための方法の１つまたは複数の態様を実装させるようにプロセッサによって実行可能であり得る。
【００１５】
[0015]一例では、ワイヤレス通信のための方法について説明する。一例では、本方法は、共有無線周波数スペクトル帯域中でのアップリンク送信に使用すべきアップリンクリソースの１つまたは複数の割当てを送信することと、アップリンク送信の継続時間を検出することと、検出することに少なくとも部分的に基づいてアップリンク送信のために使用されるアップリンクリソースを識別することとを含み得る。
【００１６】
[0016]本方法のいくつかの例では、アップリンクリソースを識別することは、アップリンク送信のために使用されるアップリンクリソースを識別するためにブラインド検出を実行することを含み得る。本方法のいくつかの例では、アップリンクリソースを識別することは、アップリンク送信のために使用されるアップリンクリソースを示す信号を受信することを含み得る。本方法のいくつかの例では、アップリンクリソースを識別することは、アップリンク送信のために使用されるアップリンクリソースにアップリンク送信の検出された継続時間をマッピングすることを含み得る。
【００１７】
[0017]本方法のいくつかの例では、アップリンクリソースの１つまたは複数の割当てを送信することは、第１の継続時間を備える第１の間隔に関連するアップリンクリソースの第１の割当てを送信することと、第２の継続時間を備える第２の間隔に関連するアップリンクリソースの第２の割当てを送信することとを含み得る。第２の継続時間は、第１の継続時間とは異なり得る。
【００１８】
[0018]一例では、ワイヤレス通信のための装置について説明する。一例では、本装置は、共有無線周波数スペクトル帯域中でのアップリンク送信に使用すべきアップリンクリソースの１つまたは複数の割当てを送信するための手段と、アップリンク送信の継続時間を検出するための手段と、検出することに少なくとも部分的に基づいてアップリンク送信のために使用されるアップリンクリソースを識別するための手段とを含み得る。いくつかの例では、装置は、説明のための例の第５のセットに関して上で説明されたワイヤレス通信のための方法の１つまたは複数の態様を実装するための手段をさらに含み得る。
【００１９】
[0019]一例では、ワイヤレス通信のための別の装置について説明する。一例では、装置は、プロセッサと、プロセッサと電子通信しているメモリと、メモリに記憶された命令とを含み得る。命令は、共有無線周波数スペクトル帯域中でのアップリンク送信に使用すべきアップリンクリソースの１つまたは複数の割当てを送信することと、アップリンク送信の継続時間を検出することと、検出することに少なくとも部分的に基づいてアップリンク送信のために使用されるアップリンクリソースを識別することとを行うようにプロセッサによって実行可能なビーイングをメイする。いくつかの例では、命令はまた、説明のための例の第５のセットに関して上で説明されたワイヤレス通信のための方法の１つまたは複数の態様を実装するようにプロセッサによって実行可能であり得る。
【００２０】
[0020]一例では、ワイヤレス通信システム中のワイヤレス通信装置による通信のためのコンピュータプログラム製品について説明する。一例では、コンピュータプログラム製品は、ワイヤレス通信装置に、共有無線周波数スペクトル帯域中でのアップリンク送信に使用すべきアップリンクリソースの１つまたは複数の割当てを送信することと、アップリンク送信の継続時間を検出することと、検出することに少なくとも部分的に基づいてアップリンク送信のために使用されるアップリンクリソースを識別することとを行わせるようにプロセッサによって実行可能な命令を記憶する非一時的コンピュータ可読媒体を含み得る。いくつかの例では、命令はまた、ワイヤレス通信装置に、説明のための例の第５のセットに関して上で説明されたワイヤレス通信のための方法の１つまたは複数の態様を実装させるように、プロセッサによって実行可能であり得る。
【００２１】
[0021]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。各図は、例示および説明のみのために与えられものであり、特許請求の範囲の限定の定義として与えられるものではない。
【図面の簡単な説明】
【００２２】
[0022]本発明の性質と利点とについてのさらなる理解は、以下の図面を参照することによって達成され得る。添付の図において、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図１】本開示の様々な態様による、ワイヤレス通信システムのブロック図。
【図２】本開示の様々な態様による、共有無線周波数スペクトル帯域（たとえば、無認可無線周波数スペクトル帯域）を使用する異なるシナリオの下でＬＴＥ（登録商標）／ＬＴＥ−Ａが展開されるワイヤレス通信システムを示す図。
【図３】本開示の様々な態様による、共有無線周波数スペクトル帯域（たとえば、無認可無線周波数スペクトル帯域）におけるセルラーダウンリンクのためのゲーティング間隔（またはＬＢＴ無線フレーム）の例を示す図。
【図４】本開示の様々な態様による、無認可共有無線周波数スペクトル帯域（たとえば、無認可無線周波数スペクトル帯域）を介したワイヤレス通信の一例を示す図。
【図５】本開示の様々な態様による、共有無線周波数スペクトル帯域（たとえば、無認可無線周波数スペクトル帯域）を介したワイヤレス通信の一例を示す図。
【図６】本開示の様々な態様による、共有無線周波数スペクトル帯域（たとえば、無認可無線周波数スペクトル帯域）における同期する事業者のＣＣＡ免除送信（ＣＥＴ）のためのリソース割振りの一例を示す図。
【図７】本開示の様々な態様による、共有無線周波数スペクトル帯域（たとえば、無認可無線周波数スペクトル帯域）を介したワイヤレス通信のタイミング図。
【図８】本開示の様々な態様による、第２の信号の開始点を共有無線周波数スペクトル帯域に関連する基準の境界と整合させるように、共有無線周波数スペクトル帯域（たとえば、無認可無線周波数スペクトル帯域）においてＬＢＴ−ＬＢＥ動作モードで動作する間に第１の信号がどのように送信され得るかの一例を示す図。
【図９】ＬＢＴ−ＬＢＥプロトコルによる、および本開示の様々な態様による、共有無線周波数スペクトル帯域（たとえば、無認可無線周波数スペクトル帯域）を介した様々な送信の一例を示す図。
【図１０】本開示の様々な態様による、共有無線周波数スペクトル帯域（たとえば、無認可無線周波数スペクトル帯域）中でのアップリンク送信の一例を示す図。
【図１１】本開示の様々な態様による、共有無線周波数スペクトル帯域（たとえば、無認可無線周波数スペクトル帯域）中でのアップリンク送信の一例を示す図。
【図１２】本開示の様々な態様による、ワイヤレス通信において使用するための装置のブロック図。
【図１３】本開示の様々な態様による、ワイヤレス通信において使用するための装置のブロック図。
【図１４】本開示の様々な態様による、ワイヤレス通信において使用するための装置のブロック図。
【図１５】本開示の様々な態様による、ワイヤレス通信において使用するための装置のブロック図。
【図１６】本開示の様々な態様による、ワイヤレス通信において使用するための基地局（たとえば、ｅＮＢの一部または全部を形成する基地局）のブロック図。
【図１７】本開示の様々な態様による、ワイヤレス通信において使用するためのＵＥのブロック図。
【図１８】本開示の様々な態様による、ワイヤレス通信のための方法の一例を示すフローチャート。
【図１９】本開示の様々な態様による、ワイヤレス通信のための方法の一例を示すフローチャート。
【図２０】本開示の様々な態様による、ワイヤレス通信のための方法の一例を示すフローチャート。
【図２１】本開示の様々な態様による、ワイヤレス通信のための方法の一例を示すフローチャート。
【図２２】本開示の様々な態様による、ワイヤレス通信のための方法の一例を示すフローチャート。
【図２３】本開示の様々な態様による、ワイヤレス通信のための方法の一例を示すフローチャート。
【図２４】本開示の様々な態様による、ワイヤレス通信のための方法の一例を示すフローチャート。
【発明を実施するための形態】
【００２３】
[0047]共有無線周波数スペクトル帯域中でのアップリンク送信のためのリソースを管理する技法について説明する。いくつかの例では、共有無線周波数スペクトル帯域は、無線周波数スペクトル帯域がＷｉ−Ｆｉ用途などの無認可の用途に利用可能であるので装置がアクセスを求めて競合する必要があり得る無認可無線周波数スペクトル帯域を含み得る。他の例では、共有無線周波数スペクトル帯域は、無線周波数スペクトル帯域が競合に基づいて２つ以上の事業者による使用のために利用可能であるので装置がアクセスを求めて競合する必要があり得る認可無線周波数スペクトル帯域を含み得る。いくつかの例では、共有無線周波数スペクトル帯域は、セルラー通信（たとえば、ロングタームエボリューション（ＬＴＥ）通信またはＬＴＥ−Ａｄｖａｎｃｅｄ（ＬＴＥ−Ａ）通信）のために使用され得る。
【００２４】
[0048]認可無線周波数スペクトル帯域を使用するセルラーネットワークにおけるデータトラフィックの増加とともに、共有無線周波数スペクトル帯域への少なくとも一部のデータトラフィックのオフロードは、セルラー事業者（たとえば、公衆陸上移動体ネットワーク（ＰＬＭＮ）またはＬＴＥ／ＬＴＥ−Ａネットワークなどのセルラーネットワークを定義する基地局の協調させられたセットの事業者）にデータ送信容量の増強のための機会を与え得る。共有無線周波数スペクトル帯域にアクセスし、共有無線周波数スペクトル帯域を介して通信するより前に、送信装置は、いくつかの例では、共有無線周波数スペクトル帯域へのアクセスを獲得するために、ＬＢＴプロシージャを実行し得る。そのようなＬＢＴプロシージャは、共有無線周波数スペクトル帯域のチャネルが利用可能であるかどうかを決定するために、ＣＣＡプロシージャ（または拡張ＣＣＡプロシージャ）を実行することを含み得る。チャネルが利用可能ではないと決定されるとき、そのチャネルのためのＣＣＡプロシージャ（または拡張ＣＣＡプロシージャ）が後で再び実行され得る。
【００２５】
[0049]ＵＥが、共有無線周波数スペクトル帯域へのアクセスを求めて競合するためにＬＢＴ−ＬＢＥプロトコルを使用するとき、共有無線周波数スペクトル帯域へのアクセスを求めてＵＥが正常に競合するかどうか、および正常にいつ競合するかに関する不確実性がある。たとえば、ＵＥは、アップリンク送信のための割り当てられたまたは意図された間隔の一部分の間、共有無線周波数スペクトル帯域へのアクセスを求めて正常に競合し得る。本明細書で開示する技法により、ＵＥおよび基地局は、アップリンク送信のための実際の間隔が、アップリンク送信のための割り当てられたまたは意図された間隔よりも短いときにどのアップリンクリソースを使用すべきかを決定することが可能になる。
【００２６】
[0050]本明細書において記載される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、モバイルシステムフォーモバイルコミュニケーション（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書において記載される技法は、上述のシステムおよび無線技術、ならびに他のシステムおよび無線技術に使用され得る。しかしながら、以下の説明では、例としてＬＴＥシステムについて説明し、以下の説明の大部分でＬＴＥ用語が使用されるが、本技法はＬＴＥ適用例以外に適用可能である。
【００２７】
[0051]以下の説明は例を与えるものであり、特許請求の範囲に記載される範囲、適用可能性、または例を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わされ得る。また、いくつかの例に関して説明される特徴は、他の例では組み合わせられ得る。
【００２８】
[0052]図１に、本開示の様々な態様による、ワイヤレス通信システム１００のブロック図を示す。ワイヤレス通信システム１００は、複数の基地局１０５（たとえば、１つまたは複数のｅＮＢの一部または全部を形成する基地局）と、いくつかのＵＥ１１５と、コアネットワーク１３０とを含み得る。基地局１０５のいくつかは、様々な例ではコアネットワーク１３０または基地局１０５のうちのいくつかの一部であり得る、基地局コントローラ（図示せず）の制御下でＵＥ１１５と通信し得る。基地局１０５のうちのいくつかは、バックホール１３２を通してコアネットワーク１３０と制御情報またはユーザデータを通信し得る。いくつかの例では、基地局１０５のうちのいくつかは、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送し得る。
【００２９】
[0053]基地局１０５は、１つまたは複数の基地局アンテナを介してＵＥ１１５とワイヤレス通信し得る。基地局１０５の各々は、それぞれのカバレージエリア１１０に通信カバレージを与え得る。いくつかの例では、基地局１０５は、アクセスポイント、トランシーバ基地局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノード、または何らかの他の好適な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（たとえば、マクロ基地局、マイクロ基地局、またはピコ基地局）を含み得る。基地局１０５はまた、セルラーまたはＷＬＡＮ無線アクセス技術など、異なる無線技術を利用し得る。基地局１０５は、（たとえば、本明細書ではまとめて「事業者」と呼ぶ）同じまたは異なるアクセスネットワークまたは事業者展開に関連付けられ得る。同じまたは異なるタイプの基地局１０５のカバレージエリアを含むか、同じまたは異なる無線技術を利用するか、あるいは同じまたは異なるアクセスネットワークに属する、異なる基地局１０５のカバレージエリアは重複し得る。
【００３０】
[0054]いくつかの例では、ワイヤレス通信システム１００は、ＬＴＥ／ＬＴＥ−Ａ通信システム（またはネットワーク）を含み得、ＬＴＥ／ＬＴＥ−Ａ通信システムは、第１の無線周波数スペクトル帯域（たとえば、ＬＴＥ／ＬＴＥ−Ａ通信のために使用可能な認可無線周波数スペクトル帯域など、無線周波数スペクトル帯域がいくつかの用途のためにいくつかのユーザに認可が与えられるので、装置がアクセスを求めて競合しない無線周波数スペクトル帯域）または第２の無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域、あるいは無線周波数スペクトル帯域が競合に基づいて２つ以上の事業者による使用のために利用可能であるので、装置がアクセスを求めて競合する必要があり得る認可無線周波数スペクトル帯域などの共有無線周波数スペクトル帯域）の中での１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、発展型ノードＢまたはｅＮＢという用語は、たとえば、基地局１０５の複数またはグループを表すために使用され得る。
【００３１】
[0055]ワイヤレス通信システム１００は、異なるタイプの基地局１０５が様々な地理的領域にカバレージを与える、異種ＬＴＥ／ＬＴＥ−Ａネットワークであるか、またはそれを含み得る。たとえば、各基地局１０５は、マクロセル、ピコセル、フェムトセル、または他のタイプのセルに通信カバレージを与え得る。ピコセル、フェムトセル、または他のタイプのセルなどのスモールセルは低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーすることになり、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスも与え得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３２】
[0056]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、またはバックホール１３２を介して（たとえば、コアネットワーク１３０を通して）直接または間接的に互いと通信し得る。ワイヤレス通信システム１００は同期動作または非同期動作をサポートし得る。同期動作の場合、ｅＮＢは同様のフレームタイミングまたはゲーティングタイミングを有し得、異なるｅＮＢからの送信は近似的に時間的に整合され得る。非同期動作の場合、ｅＮＢは異なるフレームタイミングまたはゲーティングタイミングを有し得、異なるｅＮＢからの送信は時間的に整合されないことがある。
【００３３】
[0057]ＵＥ１１５は、ワイヤレス通信システム１００全体にわたって分散され得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５は、セルラーまたは他のワイヤレスワイドエリアネットワーク（ＷＷＡＮ）アクセスネットワーク、あるいはワイヤレスローカルエリアネットワーク（ＷＬＡＮ）アクセスネットワークなど、異なるタイプのアクセスネットワークを介して通信することも可能であり得る。ＵＥ１１５とのいくつかの通信モードでは、複数の通信リンク１２５またはチャネル（すなわち、コンポーネントキャリア）を介して通信が行われ得、各チャネルはＵＥ１１５といくつかのセル（たとえばサービングセル、これはいくつかの場合には同じまたは異なる基地局１０５によって運用され得る）の１つとの間のコンポーネントキャリアを使用する。
【００３４】
[0058]各コンポーネントキャリアは、第１の無線周波数スペクトル帯域または第２の（たとえば、共有）無線周波数スペクトル帯域を介して与えられ得、１つの通信モードにおいて使用されるコンポーネントキャリアのセットは、すべて第１の無線周波数スペクトル帯域を介して（たとえば、ＵＥ１１５において）受信されるか、すべて第２の（たとえば、共有）無線周波数スペクトル帯域を介して（たとえば、ＵＥ１１５において）受信されるか、または第１の無線周波数スペクトル帯域と第２の（たとえば、共有）無線周波数スペクトル帯域との組合せを介して（たとえば、ＵＥ１１５において）受信され得る。
【００３５】
[0059]ワイヤレス通信システム１００に示された通信リンク１２５は、アップリンク（ＵＬ）通信（たとえば、ＵＥ１１５から基地局１０５への送信）を搬送するための（コンポーネントキャリアを使用した）アップリンクチャネル、またはダウンリンク（ＤＬ）通信（たとえば、基地局１０５からＵＥ１１５への送信）を搬送するための（コンポーネントキャリアを使用した）ダウンリンクチャネルを含み得る。ＵＬ通信または送信は逆方向リンク通信または送信と呼ばれることもあり、ＤＬ通信または送信は順方向リンク通信または送信と呼ばれることもある。ダウンリンク通信またはアップリンク通信は、第１の無線周波数スペクトル帯域、第２の（たとえば、共有）無線周波数スペクトル帯域、またはその両方を使用して行われ得る。
【００３６】
[0060]ワイヤレス通信システム１００のいくつかの例では、ＬＴＥ／ＬＴＥ−Ａは、第２の（たとえば、共有）無線周波数スペクトル帯域を使用して異なるシナリオの下で展開され得る。展開シナリオは、第１の無線周波数スペクトル帯域におけるＬＴＥ／ＬＴＥ−Ａダウンリンク通信が第２の（たとえば、共有）無線周波数スペクトル帯域にオフロードされ得る補足ダウンリンクモード、ＬＴＥ／ＬＴＥ−Ａダウンリンク通信とＬＴＥ／ＬＴＥ−Ａアップリンク通信の両方が第１の無線周波数スペクトル帯域から第２の（たとえば、共有）無線周波数スペクトル帯域にオフロードされ得るキャリアアグリゲーションモード、または基地局１０５とＵＥ１１５との間のＬＴＥ／ＬＴＥ−Ａダウンリンク通信およびＬＴＥ／ＬＴＥ−Ａアップリンク通信が第２の（たとえば、共有）無線周波数スペクトル帯域において行われ得るスタンドアローンモードを含み得る。基地局１０５およびＵＥ１１５は、いくつかの例では、これらまたは同様の動作モードの１つまたは複数をサポートし得る。ＯＦＤＭＡ波形は、第１の無線周波数スペクトル帯域または第２の（たとえば、共有）無線周波数スペクトル帯域におけるＬＴＥ／ＬＴＥ−Ａダウンリンク通信のために通信リンク１２５において使用され得、一方、ＯＦＤＭＡ波形、ＳＣ−ＦＤＭＡ波形、またはリソースブロックインターリーブＦＤＭＡ波形は、第１の無線周波数スペクトル帯域または第２の（たとえば、共有）無線周波数スペクトル帯域におけるＬＴＥ／ＬＴＥ−Ａアップリンク通信のために通信リンク１２５において使用され得る。
【００３７】
[0061]図２に、本開示の様々な態様による、共有無線周波数スペクトル帯域（たとえば、無認可無線周波数スペクトル帯域）を使用する異なるシナリオの下でＬＴＥ／ＬＴＥ−Ａが展開されるワイヤレス通信システム２００を示す。より詳細には、図２に、ＬＴＥ／ＬＴＥ−Ａが共有無線周波数スペクトル帯域を使用して展開される補足ダウンリンクモードと、キャリアアグリゲーションモードと、スタンドアローンモードとの例を示す。ワイヤレス通信システム２００は、図１を参照しながら説明したワイヤレス通信システム１００の部分の例であり得る。その上、第１の基地局２０５および第２の基地局２０５−ａは、図１を参照しながら説明した基地局１０５のうちの１つまたは複数の態様の例であり得、一方、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００３８】
[0062]ワイヤレス通信システム２００における補助ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域において周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域における周波数Ｆ４に関連付けられ得る。共有無線周波数スペクトル帯域におけるダウンリンクチャネル２２０、および認可無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。この状況は、認可無線周波数スペクトルを使用し、トラフィックまたはシグナリングの混雑の一部を緩和する必要がある、任意のサービスプロバイダ（たとえば、モバイルネットワーク事業者（ＭＮＯ））に対して生じ得る。
【００３９】
[0063]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明した補助ダウンリンクのように、このシナリオは、認可無線周波数スペクトルを使用し、トラフィックまたはシグナリング輻輳の一部を軽減する必要がある、任意のサービスプロバイダ（たとえば、ＭＮＯ）に対して生じ得る。
【００４０】
[0064]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上で与えられた例は説明の目的で提示され、容量オフロードのために、認可無線周波数スペクトルにおけるＬＴＥ／ＬＴＥ−Ａと共有アクセス無線周波数スペクトルにおけるＬＴＥ／ＬＴＥ−Ａとを組み合わせる他の同様の動作モードまたは展開シナリオがあり得る。
【００４１】
[0065]上記で説明したように、共有アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ認可無線周波数スペクトル帯域へのアクセス権を有する従来のＭＮＯである。これらのサービスプロバイダにとって、運用上の例としては、認可無線周波数スペクトル帯域上のＬＴＥ／ＬＴＥ−Ａ１次コンポーネントキャリア（ＰＣＣ）と共有無線周波数スペクトル帯域上の少なくとも１つの２次コンポーネントキャリア（ＳＣＣ）とを使用するブートストラップモード（たとえば、補助ダウンリンク、キャリアアグリゲーション）があり得る。
【００４２】
[0066]キャリアアグリゲーションモードでは、たとえば、認可無線周波数スペクトルにおいて（たとえば、第１の双方向リンク２２５、第３の双方向リンク２３５、および第５の双方向リンク２４５を介して）データおよび制御が通信され得るが、たとえば、（たとえば、第２の双方向リンク２３０および第４の双方向リンク２４０を介して）共有無線周波数スペクトル帯域においてデータが通信され得る。共有アクセス無線周波数スペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに属し得る。
【００４３】
[0067]ワイヤレス通信システム２００におけるスタンドアローンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３と関連付けられ得る。スタンドアローンモードは、スタジアム内アクセス（たとえば、ユニキャスト、マルチキャスト）など、非従来型のワイヤレスアクセスの状況において使用され得る。この動作モードのためのサービスプロバイダのタイプの一例は、認可無線周波数スペクトル帯域へのアクセスを有しない、スタジアム所有者、ケーブル会社、イベント主催者、ホテル、企業、または大企業であり得る。
【００４４】
[0068]いくつかの例では、図１または図２を参照しながら説明した基地局１０５、２０５、または２０５−ａのうちの１つあるいは図１または図２を参照しながら説明したＵＥ１１５、２１５、２１５−ａ、２１５−ｂ、または２１５−ｃのうちの１つなどの送信装置は、共有無線周波数スペクトル帯域のチャネルへの（たとえば、共有無線周波数スペクトル帯域の物理チャネルへの）アクセスを獲得するためにゲーティング間隔を使用し得る。ゲーティング間隔は、欧州電気通信標準化機構（ＥＴＳＩ）（ＥＮ３０１  ８９３）において指定されているＬＢＴプロトコルに基づくＬＢＴプロトコルなど、コンテンションベースのプロトコルの適用を定義し得る。ＬＢＴプロトコルの適用を定義するゲーティング間隔を使用するとき、ゲーティング間隔は、送信装置がクリアチャネルアセスメント（ＣＣＡ）プロシージャなどのコンテンションプロシージャを実行する必要があるときを示し得る。ＣＣＡプロシージャの結果は、共有無線周波数スペクトル帯域のチャネルが（ＬＢＴ無線フレームまたはＣＣＡフレームとも呼ばれる）ゲーティング間隔のために利用可能であるかまたは使用中であるかを送信デバイスに示し得る。チャネルが、対応するＬＢＴ無線フレームのために利用可能である（たとえば、使用のために「空いている」）ことをＣＣＡプロシージャが示すとき、送信装置は、ＬＢＴ無線フレームの一部または全部の間に共有無線周波数スペクトル帯域のチャネルを予約または使用し得る。チャネルが利用可能ではないこと（たとえば、チャネルが別の装置によって使用中であるまたは予約されていること）をＣＣＡプロシージャが示すとき、送信装置は、ＬＢＴ無線フレームの間にチャネルを使用することを妨げられ得る。
【００４５】
[0069]いくつかの場合、送信装置が、周期的にゲーティング間隔を生成し、周期的な間隔の少なくとも１つの境界とゲーティング間隔の少なくとも１つの境界とを同期させることが有用であり得る。たとえば、共有無線周波数スペクトル帯域においてセルラーダウンリンクのための周期的なゲーティング間隔を生成し、セルラーダウンリンクに関連する周期的な間隔（たとえば、周期的ＬＴＥ／ＬＴＥ−Ａ無線間隔）の少なくとも１つの境界と周期的なゲーティング間隔の少なくとも１つの境界とを同期させることが有用であり得る。そのような同期の例を図３に示す。
【００４６】
[0070]図３に、本開示の様々な態様による、共有無線周波数スペクトル帯域（たとえば、無認可無線周波数スペクトル帯域）におけるセルラーダウンリンクのためのゲーティング間隔（またはＬＢＴ無線フレーム）の例３００を示す。第１のゲーティング間隔３０５、第２のゲーティング間隔３１５、または第３のゲーティング間隔３２５は、共有無線周波数スペクトル帯域を介した送信をサポートするｅＮＢまたはＵＥによって周期的なゲーティング間隔として使用され得る。そのようなｅＮＢの例としては、図１または図２を参照しながら説明した基地局１０５、２０５、または２０５−ａがあり得、そのようなＵＥの例としては、図１または図２を参照しながら説明したＵＥ１１５、２１５、２１５−ａ、２１５−ｂ、または２１５−ｃがあり得る。第１のゲーティング間隔３０５、第２のゲーティング間隔３１５、または第３のゲーティング間隔３２５は、いくつかの例では、図１または図２を参照しながら説明したワイヤレス通信システム１００または２００とともに使用され得る。
【００４７】
[0071]例として、第１のゲーティング間隔３０５の持続時間は、セルラーダウンリンクに関連する周期的な間隔のＬＴＥ／ＬＴＥ−Ａ無線フレーム３１０の持続時間に等しい（またはそれにほぼ等しい）ことが示されている。いくつかの例では、「ほぼ等しい」は、第１のゲーティング間隔３０５の持続時間が周期的な間隔の持続時間のサイクリックプレフィックス（ＣＰ）持続時間内にあることを意味する。
【００４８】
[0072]第１のゲーティング間隔３０５の少なくとも１つの境界は、ＬＴＥ／ＬＴＥ−Ａ無線フレームＮ−１〜Ｎ＋１を含む周期的な間隔の少なくとも１つの境界と同期され得る。場合によっては、第１のゲーティング間隔３０５は、周期的な間隔のフレーム境界と整合された境界を有し得る。他の場合には、第１のゲーティング間隔３０５は、周期的な間隔のフレーム境界と同期されているがそれからオフセットされている境界を有し得る。たとえば、第１のゲーティング間隔３０５の境界は、周期的な間隔のサブフレーム境界と整合されるか、または周期的な間隔のサブフレーム中間点境界（たとえば、いくつかのサブフレームの中間点）と整合され得る。
【００４９】
[0073]いくつかの場合、周期的な間隔は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有し得、第１のゲーティング間隔３０５も、１０ミリ秒の持続時間を有し得る。これらの場合、第１のゲーティング間隔３０５の境界は、ＬＴＥ／ＬＴＥ−Ａ無線フレームの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００５０】
[0074]例として、第２のゲーティング間隔３１５および第３のゲーティング間隔３２５の持続時間は、セルラーダウンリンクに関連する周期的な間隔の持続時間の約数（または、その近似的な約数）であることが示されている。いくつかの例では、「の近似的な約数」は、第２のゲーティング間隔３１５または第３のゲーティング間隔３２５の持続時間が、周期的な間隔の約数（たとえば、１／２または１／５）の持続時間のサイクリックプレフィックス（ＣＰ）持続時間内にあることを意味する。たとえば、第２のゲーティング間隔３１５は、５ミリ秒の持続時間を有し得、第３のゲーティング間隔３２５は、２ミリ秒の持続時間を有し得る。第２のゲーティング間隔３１５または第３のゲーティング間隔３２５は、そのより短い持続時間が共有無線周波数スペクトル帯域のより頻繁な共有を容易にし得るので、第１のゲーティング間隔３０５よりも有利であり得る。
【００５１】
[0075]図４に、本開示の様々な態様による、無認可共有無線周波数スペクトル帯域（たとえば、無認可無線周波数スペクトル帯域）を介したワイヤレス通信４１０の一例４００を示す。図３を参照しながら説明する第１のゲーティング間隔３０５などのゲーティング間隔に対応し得るＬＢＴ無線フレーム４１５は、１０ミリ秒の持続時間を有し、いくつかのダウンリンクサブフレーム４２０と、いくつかのアップリンクサブフレーム４２５と、２つのタイプの特別なサブフレーム、Ｓサブフレーム４３０およびＳ’サブフレーム４３５とを含み得る。Ｓサブフレーム４３０は、ダウンリンクサブフレーム４２０とアップリンクサブフレーム４２５との間の遷移を提供することができ、一方、Ｓ’サブフレーム５３５は、アップリンクサブフレーム４２５とダウンリンクサブフレーム４２０との間の遷移を与え得る。Ｓ’サブフレーム４３５の間に、図１または図２を参照しながら説明した基地局１０５、２０５、または２０５−ａの１つまたは複数など、１つまたは複数の基地局によって、ワイヤレス通信４１０が行われるチャネルをある期間の時間の間予約するために、ダウンリンククリアチャネルアセスメント（ＤＣＣＡ）プロシージャ４４０が実行され得る。基地局によるＤＣＣＡプロシージャ４４０の成功に続いて、基地局は、基地局がチャネルを予約したという指示を他の基地局または装置（たとえば、ＵＥ、Ｗｉ−Ｆｉアクセスポイントなど）に提供するために、チャネル使用ビーコン信号（ＣＵＢＳ）４４５を送信し得る。いくつかの例では、ＣＵＢＳ４４５は、複数のインターリーブされたリソースブロックを使用して送信され得る。この方式でＣＵＢＳ４４５を送信することで、ＣＵＢＳ４４５は、共有無線周波数スペクトル帯域中の利用可能な周波数帯域幅の少なくともある割合を占有し、１つまたは複数の規制上の要件（たとえば、ＣＵＢＳ４４５が利用可能な周波数帯域幅の少なくとも８０％を占有するという要件）を満たすことが可能になり得る。ＣＵＢＳ４４５は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ＤＣＣＡプロシージャ４４０が失敗すると、ＣＵＢＳ４４５が送信されない。
【００５２】
[0076]Ｓ’サブフレーム４３５は、図４では０〜１３の番号を付された、１４個のＯＦＤＭシンボルを含み得る。Ｓ’サブフレーム４３５の第１の部分、この例ではシンボル０〜５は、ＬＴＥ／ＬＴＥ−Ａ通信規格との互換性のために必要とされ得るサイレントＤＬ期間として基地局によって使用され得る。したがって、基地局は、サイレントＤＬ期間中にデータを送信しないことがあるが、ＵＥは、サイレントＤＬ期間中に何らか量のアップリンクデータを送信し得る。Ｓ’サブフレーム４３５の第２の部分は、ＤＣＣＡプロシージャ４４０のために使用され得る。例４００では、Ｓ’サブフレーム４３５は、シンボル６〜１２中に含まれる７つのＤＣＣＡスロットを含む。異なるネットワーク事業者によるＤＣＣＡスロットの使用は、より効率的なシステム動作を行うように協調され得る。いくつかの例では、ＤＣＣＡプロシージャ４４０を実行するために７つの可能なＤＣＣＡスロットのいずれを使用すべきかを決定するために、基地局１０５は、以下の形式のマッピング関数を評価し得る。  
ＦD（ＧｒｏｕｐＩＤ，ｔ） ∈ ｛１，２，３，４，５，６，７｝  
ここで、ＧｒｏｕｐＩＤは、基地局１０５に割り当てられた「展開グループｉｄ」であり、ｔは、ＤＣＣＡプロシージャ４４０が実行されるゲーティング間隔またはフレームに対応するＬＢＴ無線フレーム番号である。
【００５３】
[0077]図５に、本開示の様々な態様による、共有無線周波数スペクトル帯域（たとえば、無認可無線周波数スペクトル帯域）を介したワイヤレス通信５１０の一例５００を示す。図３を参照しながら説明した第１のゲーティング間隔３０５などのゲーティング間隔に対応し得るＬＢＴ無線フレーム５１５、または図４を参照しながら説明したＬＢＴ無線フレーム４１５は、１０ミリ秒の持続時間を有し得、いくつかのダウンリンクサブフレーム５２０と、いくつかのアップリンクサブフレーム５２５と、２つのタイプの特別なサブフレーム（たとえば、Ｓサブフレーム５３０およびＳ’サブフレーム５３５とを含み得る。Ｓサブフレーム５３０は、ダウンリンクサブフレーム５２０とアップリンクサブフレーム５２５との間の遷移を与え得るが、Ｓ’サブフレーム５３５は、アップリンクサブフレーム５２５とダウンリンクサブフレーム５２０との間の遷移を与え得る。Ｓサブフレーム５３０の間に、図１または図２を参照しながら上記で説明したＵＥ１１５、２１５、２１５−ａ、２１５−ｂ、または２１５−ｃの１つまたは複数など、１つまたは複数のＵＥによって、ワイヤレス通信５１０が行われるチャネルをある期間の時間の間予約するために、アップリンクＣＣＡ（ＵＣＣＡ）プロシージャ５４０が実行され得る。ＵＥによるＵＣＣＡプロシージャ５４０の成功に続いて、ＵＥは、ＵＥがチャネルを予約したという指示を他のＵＥまたは装置（たとえば、基地局、Ｗｉ−Ｆｉアクセスポイントなど）に提供するために、ＣＵＢＳ５４５を送信し得る。いくつかの例では、ＣＵＢＳ５４５は、複数のインターリーブされたリソースブロックを使用して送信され得る。この方式でＣＵＢＳ５４５を送信することで、ＣＵＢＳ５４５は、共有無線周波数スペクトル帯域中の利用可能な周波数帯域幅の少なくともある割合を占有し、１つまたは複数の規制上の要件（たとえば、ＣＵＢＳ５４５が利用可能な周波数帯域幅の少なくとも８０％を占有するという要件）を満たすことが可能になり得る。ＣＵＢＳ５４５は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ＵＣＣＡプロシージャ５４０が失敗すると、ＣＵＢＳ５４５が送信されない。
【００５４】
[0078]Ｓサブフレーム５３０は、図５では０〜１３の番号を付された、１４個のＯＦＤＭシンボルを含み得る。Ｓサブフレーム５３０の第１の部分、この例ではシンボル０〜３は、ダウンリンクパイロットタイムスロット（ＤｗＰＴＳ）５５０として使用され得、Ｓサブフレーム５３０の第２の部分はガード期間（ＧＰ）５５５として使用され得る。Ｓサブフレーム５３０の第３の部分は、ＵＣＣＡプロシージャ５４０のために使用され得る。例５００では、Ｓサブフレーム５３０は、シンボル６〜１２中に含まれる７つのＵＣＣＡスロットを含む。様々なＵＥによるＵＣＣＡスロットの使用は、より効率的なシステム動作を提供するために協調させられ得る。いくつかの例では、ＵＣＣＡプロシージャ５４０を実行するために７つの可能なＵＣＣＡスロットのいずれを使用すべきかを決定するために、ＵＥは、以下の形式のマッピング関数を評価し得る。  
ＦU（ＧｒｏｕｐＩＤ，ｔ） ∈ ｛１，２，３，４，５，６，７｝  
ここで、ＧｒｏｕｐＩＤは、ＵＥに割り当てられた「展開グループｉｄ」であり、ｔは、ＵＣＣＡプロシージャ５４０が実行されるフレームに対応するＬＢＴ無線フレーム番号である。
【００５５】
[0079]ＤＣＣＡプロシージャ４４０またはＵＣＣＡプロシージャ５４０のためのマッピング関数は、マッピング関数が直交の性質を有するか非直交の性質を有するかに応じて、異なる基準に基づいて構成され得る。直交ＬＢＴアクセスを用いる例では、マッピング関数は、以下による直交化性質を有し得る。  
ＦD/U（ｘ，ｔ） ≠ ＦD/U（ｙ，ｔ）  
ＧｒｏｕｐＩＤ ｘ，ｙ ∈ ｛１，２，３，４，５，６，７｝  
すべての時間ｔに対して、ｘ≠ｙであるときは常に異なるグループｉｄを表す。この場合、異なるグループｉｄを有する基地局またはＵＥは、重複しないＣＣＡスロットの間にＣＣＡプロシージャ（たとえば、ＤＣＣＡプロシージャ４４０またはＵＣＣＡプロシージャ５４０）を実行し得る。干渉がない場合、より前のＣＣＡスロットにマッピングするグループｉｄを有する基地局またはＵＥは、ある期間の時間の間チャネルを確保し得る。様々な展開によれば、このマッピング関数は、様々な時間インデックスｔにわたって、異なるグループｉｄが適切に長い時間間隔にわたってより前のＣＣＡスロットにマッピングする等しい機会を有する（したがって、他の干渉がない場合にチャネルを確保する）ように、マッピング｛ＦD/U（ｘ，ｔ），ｔ＝１，２，３，．．．｝が変化するという意味で公正である。
【００５６】
[0080]同じネットワーク事業者／サービスプロバイダによって展開されるすべての基地局およびＵＥは、それらがコンテンションプロセスにおいて互いを先取りしないように、同じグループｉｄを割り当てられ得る。これにより、同じ展開の基地局とＵＥとの間で完全な周波数再利用が可能になり、システムスループットの向上につながる。異なる展開の基地局またはＵＥは、直交ＣＣＡスロットマッピングの場合、チャネルへのアクセスが相互排他的になるように、異なるグループｉｄを割り当てられ得る。
【００５７】
[0081]非直交または重複するＣＣＡスロットアクセスを用いる例では、マッピング関数は、８つ以上のグループｉｄを使用可能にし得る。状況によっては、たとえば、８つ以上の展開グループｉｄをサポートすることは有用であり得、その場合、ＣＣＡスロットマッピング関数の直交性性質を維持することが可能でない。そのような場合、任意の２つのグループＩＤ間の競合の頻度を減らすことが望ましいことがある。いくつかの例では、非直交ＣＣＡスロットマッピングシーケンスはまた、ＬＢＴ機会に関する緊密な協調なしに展開間の公平なチャネルアクセスを与えるために使用され得る。非直交ＣＣＡスロットマッピングシーケンスの一例は次式によって与えられる。  
ＦD/U（ｘ，ｔ） ≠ Ｒ1,7（ｘ，ｔ）  
ＧｒｏｕｐＩＤ ｘ ∈ ｛１，２，．．．２16｝  
ここで、Ｒ1,7（ｘ，ｔ）は、ＧｒｏｕｐＩＤ  ｘについて独立して選ばれる１と７の間の擬似乱数生成器である。この場合、同じＬＢＴ無線フレームｔにおける異なるＧｒｏｕｐＩＤの基地局またはＵＥ間に潜在的な競合があり得る。
【００５８】
[0082]したがって、ＣＣＡスロットは、上記のマッピング関数に従って選択され、ＤＣＣＡプロシージャ４４０またはＵＣＣＡプロシージャ５４０のために使用され得る。
【００５９】
[0083]図４および図５の各々において、ＤＣＣＡプロシージャ４４０の実行の成功と、ＤＣＣＡプロシージャ４４０が実行された送信期間の開始との間の期間（たとえば、図４参照）、または、ＵＣＣＡプロシージャ５４０の実行の成功と、ＵＣＣＡプロシージャ５４０が実行された送信期間の開始との間の期間（たとえば、図５参照）が、プリアンブルと呼ばれ得る。ＤＣＣＡプロシージャ４４０またはＵＣＣＡプロシージャ５４０がいつ実行されるかは可変であるので、プリアンブルの長さは変化し得る。しかしながら、図４および図５に示される例の各々において、プリアンブルは、ＣＵＢＳ４４５（たとえば、図４参照）またはＣＵＢＳ５４５（たとえば、図５参照）の後続の送信を終了させる。
【００６０】
[0084]図６に、本開示の様々な態様による、共有無線周波数スペクトル帯域（たとえば、無認可無線周波数スペクトル帯域）における同期する事業者のＣＣＡ免除送信（ＣＥＴ）のためのリソース割振りの一例６００を示す。ＣＥＴは、共有無線周波数スペクトル帯域へのアクセスを最初に獲得するためにＣＣＡ（たとえば、ＤＣＣＡまたはアップリンクＣＣＡ（ＵＣＣＡ））を実行する必要なしに行われ得る。代わりに、事業者は、ＣＥＴを送信する目的でＣＣＡを実行することを免除される。
【００６１】
[0085]図示のように、ＣＥＴのためのリソース６０５の割振りは、たとえば、８０ミリ秒（８０ｍｓ）に１回、またはＣＥＴ期間ごとに１回行われ得、ここで、ＣＥＴ期間は設定可能な周期性を有し得る。共有スペクトル中のいくつかの事業者（たとえば、異なるＰＬＭＮ）の各々は、ＣＥＴを送信するための別の１つのサブフレーム（図示）または複数のサブフレーム（図示せず）を与えられ得る。例として、図６は、７つの異なる事業者（たとえば、事業者ＰＬＭＮ１、ＰＬＭＮ２、…、ＰＬＭＮ７）に対する隣接ＣＥＴサブフレームを示す。そのようなＣＥＴ送信フレームワークは、基地局とＵＥとの間のダウンリンクまたはアップリンクに適用可能であり得る。
【００６２】
[0086]ほとんどの条件下で、上記で説明したように、送信装置によるＬＢＴ−ＦＢＥプロトコルの使用は、共有無線周波数スペクトル帯域（たとえば、無認可無線周波数スペクトル帯域）への十分なアクセスを与える。ＬＢＴ−ＦＢＥプロトコルの使用は、同じ事業者に関連する基地局またはｅＮＢの間で周波数の再使用１が可能になるので有利であり得る。しかしながら、いくつかの状況では、１つまたは複数のＷｉ−Ｆｉノードは、共有無線周波数スペクトル帯域のチャネルにＬＴＥ／ＬＴＥ−Ａノードがアクセスするのを妨げ得る。これらの状況では、ＬＢＴ−ＬＢＥプロトコルの使用は、送信装置がＬＢＴ−ＬＢＥプロトコルを利用するときに共有無線周波数スペクトル帯域にアクセスすることを継続的に試み得るという点で、（ＬＢＴ−ＬＢＥプロトコルの使用がいくつかの条件下では周波数の再使用１を妨げ得るという事実にもかかわらず）ＬＢＴ−ＦＢＥプロトコルよりも有利であり得る。たとえば、送信装置は、Ｎ回のＣＣＡプロシージャのランダムな持続時間の間、しかしパラメータｑによって制御される最大の持続時間の間、媒体にアクセスすることを試み得る。ｑのより小さな値は、最大の拡張ＣＣＡプロシージャの持続時間がより短いことと、無線フレームの長さがより短いこととを示唆する。
【００６３】
[0087]大半の条件下でＬＢＴ−ＦＢＥプロトコルを使用し、必要なときにＬＢＴ−ＬＢＥプロトコルを使用することが可能な送信装置は、いくつかのワイヤレス通信システムにおいて有用であり得る。そのような送信装置は、ＬＢＴ−ＦＢＥプロトコルまたはＬＢＴ−ＬＢＥプロトコルのいずれかを使用するときに同一または同様のＬＢＴ無線間隔を使用し得るが、異なるプロトコルに対してはいくぶん異なるＣＣＡプロシージャを使用し得る。
【００６４】
[0088]ＬＢＴ−ＬＢＥプロトコルのいくつかの例では、送信装置はＣＣＡプロシージャを実行し、ＣＣＡプロシージャが成功すると、共有無線周波数スペクトル帯域（たとえば、無認可無線周波数スペクトル帯域）のチャネルを介した送信を直ちに開始し得る。しかしながら、ＣＣＡプロシージャが成功しないとき、送信装置は、１とｑの間のランダムな整数Ｎを選択することによって、拡張ＣＣＡ（ＥＣＣＡ）プロシージャを実行し得、ここで、ｑは事業者またはベンダーによって告知される４≦ｑ≦３２の値を有する。ランダムな整数Ｎの値を選択すると、送信装置は、共有無線周波数スペクトル帯域のチャネルが空いていることが判明するＮ回のＣＣＡプロシージャのために、共有無線周波数スペクトル帯域にアクセスするのを待機し得る。Ｎ回のＣＣＡプロシージャのために共有無線周波数スペクトル帯域のチャネルが空いていることが判明すると、送信装置は、別の拡張ＣＣＡプロシージャを実行しなければならなくなるまで、最大で（１３／３２）×ｑミリ秒（ｍｓｅｃ）の間、共有無線周波数スペクトル帯域を介して送信し得る。したがって、（１３／３２）×ｑ  ｍｓｅｃの送信時間が、最大のチャネル占有時間（すなわち、ＭａｘＣｈａｎｎｅｌＯｃｃｕｐａｎｃｙＴｉｍｅ）である。
【００６５】
[0089]図７に、本開示の様々な態様による、共有無線周波数スペクトル帯域（たとえば、無認可無線周波数スペクトル帯域）を介したワイヤレス通信のタイミング図７００を示す。いくつかの例では、共有無線周波数スペクトル帯域は、無線周波数スペクトル帯域が無認可の用途（たとえば、無認可無線周波数スペクトル帯域におけるＷｉ−Ｆｉ用途またはＬＴＥ／ＬＴＥ−Ａ用途）に少なくとも一部利用可能であるので装置がアクセスを争う必要があり得る、無線周波数スペクトル帯域であり得る。
【００６６】
[0090]例として、図７に示されるワイヤレス通信は、事業者１、事業者２、およびＷｉ−Ｆｉノードによる通信（または送信（Ｔｘ））を含む。さらなる例として、事業者１および事業者２の送信機、さらにはＷｉ−Ｆｉノードは、互いにＣＣＡの範囲内にあり得る。事業者１は、共有無線周波数スペクトル帯域を介してＣＣＡ免除送信（ＣＥＴ）７０５を、それに続いて、第１の数の無線フレーム（たとえば、無線フレームＦＲ＿０１、ＦＲ＿１１、ＦＲ＿２１、またはＦＲ＿３１）を送信し得る。事業者２は、共有無線周波数スペクトル帯域を介してＣＥＴ７１０を、それに続いて、第２の数の無線フレーム（たとえば、無線フレームＦＲ＿０２またはＦＲ＿１２）を送信し得る。Ｗｉ−Ｆｉノードはまた、共有無線周波数スペクトル帯域を介して送信し得る（たとえば、Ｗｉ−Ｆｉと呼ばれる送信）。事業者１に関連する送信機が共有無線周波数スペクトル帯域のチャネルを介して送信しているとき、事業者２およびＷｉ−Ｆｉノードは、共有無線周波数スペクトル帯域のチャネルにアクセスするのを妨げられ得る。事業者２に関連する送信機が共有無線周波数スペクトル帯域のチャネルを介して送信しているとき、事業者１およびＷｉ−Ｆｉノードの送信機は、共有無線周波数スペクトル帯域のチャネルにアクセスするのを妨げられ得る。Ｗｉ−Ｆｉノードが共有無線周波数スペクトル帯域のチャネルを介して送信しているとき、事業者１および事業者２に関連する送信機は、共有無線周波数スペクトル帯域のチャネルにアクセスするのを妨げられ得る。
【００６７】
[0091]いくつかの例では、事業者１および事業者２の送信機は、ＮｘＣＣＡと呼ばれる拡張ＣＣＡプロシージャを実行することによって、共有無線周波数スペクトル帯域（またはそのチャネル）へのアクセスを獲得し得る。アクセスは、拡張ＣＣＡプロシージャが成功したとき（Ｅｘｔ  ＣＣＡ  Ｓｕｃｃｅｓｓと呼ばれる）にのみ獲得される。
【００６８】
[0092]いくつかの例では、事業者１または事業者２によって送信される各無線フレームは、１０個のサブフレームと１０ｍｓｅｃの持続時間とを有するＬＴＥ／ＬＴＥ−Ａ無線フレームであり得る。各サブフレームは、たとえば１４個のＯＦＤＭシンボルを含み得る。サブフレームは、データサブフレーム、アップリンクサブフレーム、または特別なサブフレーム（たとえば、制御情報、同期信号、一部のデータなどを送信するために使用されるサブフレーム）を様々に含み得る。
【００６９】
[0093]ＬＢＴ−ＬＢＥプロトコルに従って動作するとき、事業者のセル間のフレームレベル整合が設計によって保証され得る。しかしながら、異なるセルが異なる時間に拡張ＣＣＡプロシージャを実行するのに成功し、送信フレームが異なる開始点または終点を有する可能性を作成し得る。図８に、異なるセルのフレームを整合させるための１つの技法を示す。
【００７０】
[0094]図８に、本開示の様々な態様による、第２の信号の開始点を共有無線周波数スペクトル帯域に関連する基準の境界と整合させるように、共有無線周波数スペクトル帯域（たとえば、無認可無線周波数スペクトル帯域）においてＬＢＴ−ＬＢＥ動作モードで動作する間に第１の信号がどのように送信され得るかの一例８００を示す。より具体的には、図８に、２ｍｓの持続時間を有するＬＢＴ−ＬＢＥ無線フレーム８０５を示す。ＬＢＴ−ＬＢＥ無線フレーム８０５は、各々が１ｍｓの持続時間を有する、第１のＬＴＥ／ＬＴＥ−Ａサブフレーム８１０と第２のＬＴＥ／ＬＴＥ−Ａサブフレーム８１５とを含み得る。第１のＬＴＥ／ＬＴＥ−Ａサブフレーム８１０および第２のＬＴＥ／ＬＴＥ−Ａサブフレーム８１５の各々は、複数のＯＦＤＭシンボル期間の境界８２５によって境界を接する複数のＯＦＤＭシンボル期間８２０（たとえば、１４個のＯＦＤＭシンボル期間）を含み得る。
【００７１】
[0095]いくつかの例では、基地局は、第１のＬＢＴ−ＬＢＥ無線フレーム８０５の第１の部分の間に（たとえば、第１のＬＢＴ−ＬＢＥ無線フレーム８０５の開始において、またはその近くで）同期信号または整合信号を送信し得る。たとえば、ＬＢＴ−ＬＢＥ無線フレーム８０５の開始のタイミングが成功した拡張ＣＣＡプロシージャの完了のタイミングに基づいて変化することができる（たとえば、成功した拡張ＣＣＡプロシージャの完了のタイミングは、共有無線周波数スペクトル帯域を介したＬＢＴ−ＦＢＥ間隔のＯＦＤＭシンボル境界、スロット境界、もしくはサブフレーム境界に関して、共有無線周波数スペクトル帯域を介して送信される発見信号（たとえば、ＣＥＴ）のタイミングに関して、または認可無線周波数スペクトル帯域を介した送信のＯＦＤＭシンボル境界、スロット境界、もしくはサブフレーム境界（たとえば、認可無線周波数スペクトル帯域を介した主要サービングセルからの送信のＯＦＤＭシンボル境界、スロット境界、もしくはサブフレーム境界）に関して変化することができる）ので、または、基地局またはｅＮＢのダウンリンク送信の間でのＯＦＤＭシンボルレベルの同期が望ましいことがあるので、同期信号または整合信号が送信され得る。
【００７２】
[0096]いくつかの例では、同期信号または整合信号は、可変長訓練シーケンス８３０（たとえば、ＯＦＤＭシンボル期間８２０の持続時間未満の持続時間を有する断片的ＣＵＢＳ）を含むが固定長訓練シーケンス８３５を含まないことがある。他の例では、同期信号または整合信号は、可変長訓練シーケンス８３０と少なくとも１つの固定長訓練シーケンス８３５（たとえば、各々があるＯＦＤＭシンボル期間にまたがる少なくとも１つのＣＵＢＳ）とを含み得る。他の例では、同期信号または整合信号は、固定長訓練シーケンス８３５を含むが可変長訓練シーケンス８３０を含まないことがある。可変長訓練シーケンス８３０または固定長訓練シーケンス８３５（これらは個々にまたは集合的に第１の信号を構成し得る）は、いくつかの例では、ダウンリンク送信をＯＦＤＭシンボル期間８２０のＯＦＤＭシンボル期間境界８２５と整合させるために使用され得る。
【００７３】
[0097]例として、図８は、ＯＦＦ時間８４０で開始し、その後に可変長訓練シーケンス８３０、固定長訓練シーケンス８３５、およびダウンリンク送信８４５が続く、第１のＬＴＥ／ＬＴＥ−Ａサブフレーム８１０を示す。いくつかの例では、ＯＦＦ時間８４０は、たとえば、ＬＢＴ−ＦＢＥ送信のための１００マイクロ秒（μｓｅｃ）の最小のＯＦＦ時間およびＬＢＴ−ＬＢＥ送信のための１００μｓｅｃ（５×２０μｓｅｃ）の最大のＯＦＦ時間によって決定される、１００μｓｅｃの持続時間を有し得る。
【００７４】
[0098]図９に、ＬＢＴ−ＬＢＥプロトコルによる、および本開示の様々な態様による、共有無線周波数スペクトル帯域（たとえば、無認可無線周波数スペクトル帯域）を介した様々な送信の一例９００を示す。例として、送信は、事業者の第１のセル中のデバイスによる共有無線周波数スペクトル帯域を介したダウンリンク（Ｄ）送信およびアップリンク（Ｕ）送信（集合的にＤ／Ｕ送信と呼ばれる）９０５と、事業者の第２のセル中のデバイスによる共有無線周波数スペクトル帯域を介したＤ／Ｕ送信９１０と、共有無線周波数（ＲＦ）スペクトル帯域を介したＷｉ−Ｆｉ送信９１５とを含む。ＤまたはＵと標示されたブロックの各々は、基地局によって送信されるそれぞれのダウンリンク（Ｄ）サブフレームまたはＵＥによって送信されるアップリンク（Ｕ）サブフレームを表す。
【００７５】
[0099]図示のように、事業者の第１のセル中のデバイスまたは事業者の第２のセル中のデバイスによって送信されるアップリンクサブフレームの数は、成功した拡張ＣＣＡ（たとえば、成功したＵＬ  ＥＣＣＡ）をデバイスが実行するためにかかる時間に応じてＬＢＴフレームごとに変動し得る。たとえば、事業者の第１のセル中のデバイスは、第１のＬＢＴフレーム９２０と第３のＬＢＴフレーム９３０との各々中の３つのアップリンクサブフレームと、第２のＬＢＴフレーム９２５中の２つのサブフレームと、第４のＬＢＴフレーム９３５中の１つのサブフレームとを送信し得る。さらなる例として、事業者の第２のセルではデバイスは、第１のＬＢＴフレーム９２０中の１つのアップリンクサブフレームと、第２のＬＢＴフレーム９２５中の２つのアップリンクサブフレームと、第３のＬＢＴフレーム９３０中の３つのアップリンクサブフレームと、第４のＬＢＴフレーム９３５中の０個のアップリンクサブフレームとを送信し得る。成功したＵＬ  ＥＣＣＡをデバイスが実行するためにかかる時間は、たとえば、Ｗｉ−Ｆｉ送信によってもたらされる干渉に依存し得る。図９に示すように、Ｗｉ−Ｆｉ送信９１５は、事業者の第２のセル中のデバイスによる共有無線周波数スペクトル帯域を介した送信９１０に対する干渉をもたらす。
【００７６】
[0100]いくつかの例では、電力制御は、ワイヤレス通信システムのダウンリンク送信またはアップリンク送信のために与えられ得る。いくつかの例では、電力制御は、共有無線周波数スペクトル帯域を介した送信のために与えられ得る。共有無線周波数スペクトル帯域を介したＬＴＥ／ＬＴＥ−Ａダウンリンク送信を含むＬＴＥ／ＬＴＥ−Ａダウンリンク送信の電力制御では、セルによるダウンリンク送信の総送信電力は、システム情報ブロック１（ＳＩＢ１）中でブロードキャストされ得る。これは、ＵＥが経路損失測定を実行するのに役立ち得る。いくつかの例では、ダウンリンク送信中の共通基準信号（ＣＲＳ）が出力増大され得る。制御／データダウンリンク送信のための電力制御がほとんど指定されておらず、実装形態に委ねられ得るが、制御／データダウンリンク送信のための電力制御に対するいくつかの実際的制限があり得る。たとえば、制御／データダウンリンク送信の出力増大は、しきい値（たとえば、６ｄＢ）以下に制限され得る。いくつかの例では、トラフィック対パイロット電力比率（ＴＰＲ：traffic to pilot power ratio）は、ＣＲＳベースの物理ダウンリンク共有チャネル（ＰＤＳＣＨ）の高変調次数（１６直交振幅変調（１６ＱＡＭ）以上）について固定され得る。ＴＰＲはまた、復調基準信号（ＤＭ−ＲＳ）ベースのＰＤＳＣＨについて固定され得る。
【００７７】
[0101]共有無線周波数スペクトル帯域を介したＬＴＥ／ＬＴＥ−Ａアップリンク送信を含むＬＴＥ／ＬＴＥ−Ａアップリンク送信の電力制御について、開ループ電力制御と閉ループ電力制御との両方がサポートされ得る。いくつかの例では、物理アップリンク共有チャネル（ＰＵＳＣＨ）電力制御またはサウンディング基準信号（ＳＲＳ）電力制御に対して、累積電力制御モードまたは絶対電力制御モードがサポートされ得る。ＵＥは、ＰＵＳＣＨ電力制御またはＳＲＳ電力制御のためにＵＥによってどの電力制御モード（累積または絶対）が使用されるべきであるかに関して上位レイヤ上で構成され得る。いくつかの例では、構成可能な電力オフセットは、ＳＲＳ電力制御とＰＵＳＣＨ電力制御との間に与えられ得る。ＳＲＳ電力制御とＰＵＳＣＨ電力制御との間の帯域幅差も与えられ得る。いくつかの例では、物理アップリンク制御チャネル（ＰＵＣＣＨ）電力制御に対して累積電力モードのみがサポートされ得る。
【００７８】
[0102]ＬＴＥ／ＬＴＥ−Ａネットワークでは、ダウンリンク送信またはアップリンク送信のための電力制御が、サブフレーム数に基づいて与えられ得る。
【００７９】
[0103]共有無線周波数スペクトル帯域を介してＬＴＥ／ＬＴＥ−Ａ通信を送信するときに、フレーム中のサブフレームにわたって同じ総送信電力を維持することが、異なるサブフレーム中で一貫した干渉レベルを受けることを保証するのに役立ち得る。たとえば、ダウンリンク送信の場合、ダウンリンクＣＵＢＳまたはダウンリンク制御／データサブフレームが送信されているかどうかにかかわらず、フレーム中のサブフレームにわたって同じ総送信電力が維持され得る。同様に、アップリンク送信の場合、アップリンクＣＵＢＳまたはアップリンク制御／データサブフレームが送信されているかどうかにかかわらず、フレーム中のサブフレームにわたって同じ総送信電力が維持され得る。同じ総送信電力を維持し、他のノードに一貫した干渉レベルを与えることは、隠れノード問題に対処するのに役立ち得る。共有無線周波数スペクトル帯域を介して動作するＬＴＥ／ＬＴＥ−Ａセルが受ける「隠れノード」は、異なるＬＴＥ／ＬＴＥ−Ａ事業者によって運用されるノード（どのノードがセルに関して同期または非同期方式で動作し得るのか）または異なる技術（たとえば、Ｗｉ−Ｆｉノード）を使用して運用されるノードであり得る。フレーム中のサブフレームにわたって同じ総送信電力を維持することの潜在的なマイナス面としては、基地局におけるスケジューリング／動作制限またはＵＥにおける電力消費量の増加があり得る。いくつかの例では、総送信電力は、最大送信電力とは異なり得、電力の必要に応じてノード（たとえば、基地局またはＵＥ）の最大送信電力よりも低くなり得る。
【００８０】
[0104]ＬＴＥ／ＬＴＥ−Ａネットワークでは、タイプ０とタイプ１との２つのタイプのアップリンクリソース割当て方式がサポートされる。タイプ０は、連続アップリンクリソース割当て方式である。アップリンクリソース割当ては、フレームの各スロット内に与えられる。１ビットフラグを用いるスロットホッピングが可能にされ得る。アップリンクリソース割当てのために与えられるビット数は、ｃｅｉｌｉｎｇ（ｌｏｇ２（Ｎ＊（Ｎ＋１）／２））によって決定され得、ここで、Ｎは、アップリンク送信中の物理リソースブロック（ＰＲＢ）の数である（たとえば、Ｎ＝１００個のＰＲＢの場合、または２０ＭＨｚのシステムでは、アップリンクリソース割当てのために与えられるビット数は１３になり得る）。
【００８１】
[0105]タイプ１は、デュアルクラスタアップリンクリソース割当て方式である。スロットホッピングは与えられない。ダウンリンク制御情報（ＤＣＩ）フォーマット０では、アップリンクリソース割当てのために与えられるビット数は、１＋ｃｅｉｌｉｎｇ（ｌｏｇ２（Ｎ＊（Ｎ＋１）／２））によって決定され得る。タイプ０と比較してタイプ１によって与えられる追加の１ビットは、スロットホッピングのための１ビットフラグの必要がないことの結果である。ＤＣＩフォーマット１では、アップリンクリソース割振りのために与えられるビット数は、ｍａｘ｛ｃｅｉｌｉｎｇ（ｌｏｇ２（Ｎ＊（Ｎ＋１）／２）），ｃｅｉｌｉｎｇ（ｌｏｇ２（Ｎｃｈｏｏｓｅｋ（ｃｅｉｌｉｎｇ（Ｎ／Ｐ）＋１，４）））｝によって決定され得、ここで、Ｐは、リソースブロック（ＲＢ）のグループサイズである（システム帯域幅に応じて、最高４つのＲＢ）。
【００８２】
[0106]ノード（たとえば、基地局またはＵＥ）が連続的に送信する必要があり得ることにより、または（たとえば、拡張ＣＣＡを実行する必要があることの結果として）フレーム中でのアップリンク送信の継続時間が動的に変化し得るので、共有無線周波数スペクトル帯域中でのＬＴＥ／ＬＴＥ−Ａアップリンク送信のためにマルチサブフレームスケジューリングが必要になり得る。たとえば、ダウンリンクサブフレーム中で送信される単一のアップリンク許可（または複数のアップリンク許可）は、１〜Ｎ個のアップリンクサブフレーム中でのアップリンク送信をスケジュールし得、ここで、アップリンクサブフレームの数は動的に決定される。ジョイントアップリンク許可（たとえば、２つ以上のアップリンクサブフレーム中でのアップリンク送信をスケジュールするアップリンク許可）では、アップリンクサブフレームがジョイントアップリンク許可中で大多数の情報フィールドに対して同じ情報を共有することが予想され得る。しかしながら、いくつかの情報フィールドは、アップリンクサブフレームに対して個別に定義され得る。たとえば、新規データインジケータ（ＮＤＩ）は、アップリンクサブフレームに対して個別に定義され得、したがって、いくつかのアップリンクサブフレームは、新しい送信を有し得、いくつかのアップリンクサブフレームは、再送信を有し得る。別の例として、ＳＲＳを送信したいという要求は、ジョイントアップリンク許可に対応する他のアップリンクサブフレームにではなく、ジョイントアップリンク許可に対応する第１のアップリンクサブフレームに対して可能にされ得る。
【００８３】
[0107]ＵＥが、共有無線周波数スペクトル帯域中でＬＢＴ−ＦＢＥプロトコルの下で動作するとき、アップリンク送信全体について共有無線周波数スペクトル帯域へのアクセスがクリアされるかまたはクリアされない。たとえば、ＵＣＣＡプロシージャはアップリンク送信の開始より前に、またはその時点に実行され得、ＵＣＣＡプロシージャの成功または失敗は、アップリンク送信が行われるかどうかを決定し、アップリンクリソース管理をかなり予測可能なものにする。しかしながら、ＵＥが、共有無線周波数スペクトル帯域中でＬＢＴ−ＬＢＥプロトコルの下で動作するとき、拡張ＵＣＣＡプロシージャの成功または失敗は、アップリンク送信を行うように割り当てられたかまたはそうするように意図されたアップリンクサブフレームのうちのいくつかの一部または全部が過ぎるまでわからないことがある。したがって、アップリンク送信の割り当てられたまたは目的とする継続時間の一部分がアップリンク送信のために利用可能である（たとえば、クリアされる）シナリオが生じ得る。そのようなシナリオの例を図１０および図１１に示す。
【００８４】
[0108]図１０に、本開示の様々な態様による、共有無線周波数スペクトル帯域（たとえば、無認可無線周波数スペクトル帯域）中でのアップリンク送信の一例１０００を示す。図示のように、アップリンク送信は、アップリンク送信の割り当てられたまたは意図された継続時間１００５よりも短い実際の継続時間１０１０を有し得る。同じく、図示のように、例として、割り当てられたまたは意図された継続時間１００５は４つのサブフレームであり得る。いくつかの例では、基地局（たとえば、図１または図２を参照しながら説明した基地局１０５、２０５、または２０５−ａ）は、共有無線周波数スペクトル帯域中でのアップリンク送信のためのゲーティング間隔中に４つのアップリンクサブフレームを構成し得るか、またはそれを割り当て得る。しかしながら、ＵＥが拡張ＣＣＡ（ＥＣＣＡ）プロシージャ１０１５を完了するために必要とされる時間のために、または他のネットワークノードからの干渉のために、ＵＥは、アップリンク送信を行うように割り当てられたかまたはそうするように意図されたアップリンクサブフレームの一部分の間に共有無線周波数スペクトル帯域にアクセスすることが可能であり得るか、またはその全部の間にそれにアクセスできないことがある。
【００８５】
[0109]いくつかの例では、ＣＣＡまたはＥＣＣＡプロシージャ１０１５は、サブフレームの途中で成功し得る。そのような例では、（いくつかの例では、断片的ＣＵＢＳを含む）ＣＵＢＳ１０２０が、たとえば、図８に示すように、次のサブフレーム境界まで共有無線周波数スペクトル帯域を予約するためにＵＥによって送信され得る。アップリンク送信の実際の継続時間１０１０に使用すべきアップリンクリソースを決定するための様々な技法について、図１２〜図１５および図１８〜図２４を参照しながら説明する。
【００８６】
[0110]図１１に、本開示の様々な態様による、共有無線周波数スペクトル帯域（たとえば、無認可無線周波数スペクトル帯域）中でのアップリンク送信の一例１１００を示す。図示のように、アップリンク送信は、アップリンク送信の割り当てられたまたは意図された継続時間１１０５よりも短い実際の継続時間１１１０を有し得る。同じく、図示のように、例として、割り当てられたまたは意図された継続時間１１０５は４つのサブフレームであり得る。いくつかの例では、基地局（たとえば、図１または図２を参照しながら説明した基地局１０５、２０５、または２０５−ａ）は、共有無線周波数スペクトル帯域中でのアップリンク送信のためのゲーティング間隔中に４つのアップリンクサブフレームを構成し得るか、またはそれを割り当て得る。しかしながら、ＵＥが拡張ＣＣＡ（ＥＣＣＡ）プロシージャ１１１５を完了するために必要とされる時間のために、または他のネットワークノードからの干渉のために、ＵＥは、アップリンク送信を行うように割り当てられたかまたはそうするように意図されたアップリンクサブフレームの一部分の間に共有無線周波数スペクトル帯域にアクセスすることが可能であり得るか、またはその全部の間にそれにアクセスできないことがある。
【００８７】
[0111]いくつかの例では、ＣＣＡまたはＥＣＣＡプロシージャ１１１５は、サブフレームの途中で成功し得る。そのような例では、（いくつかの例では、断片的ＣＵＢＳを含む）ＣＵＢＳ１１２０が、たとえば、図８に示すように、（ＳＣ−ＦＤＭシンボル、ＯＦＤＭシンボルなどであり得る）次のシンボルの期間境界まで共有無線周波数スペクトル帯域を予約するためにＵＥによって送信され得る。アップリンク送信の実際の継続時間１１１０に使用すべきアップリンクリソースを決定するための様々な技法について、図１２〜図１５および図１８〜図２４を参照しながら説明する。図１１では、アップリンク送信の実際の継続時間１１１０は、２つの全長サブフレーム１１２５および１１３０と短縮サブフレーム１１３５とを含む。
【００８８】
[0112]図１２に、本開示の様々な態様による、ワイヤレス通信において使用するための装置１２０５のブロック図１２００を示す。いくつかの例では、装置１２０５は、図１または図２を参照しながら説明した基地局１０５、２０５、または２０５−ａのうちの１つまたは複数の態様の一例であり得る。装置１２０５はまた、プロセッサであり得る。装置１２０５は、受信機モジュール１２１０、ワイヤレス通信管理モジュール１２２０、または送信機モジュール１２３０を含み得る。これらの構成要素の各々は互いと通信していることがある。
【００８９】
[0113]装置１２０５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【００９０】
[0114]いくつかの例では、受信機モジュール１２１０は、第１の無線周波数スペクトル帯域（たとえば、ＬＴＥ／ＬＴＥ−Ａ通信のために使用可能な認可無線周波数スペクトル帯域など、無線周波数スペクトル帯域がいくつかの用途のためにいくつかのユーザに認可が与えられるので、装置がアクセスを求めて競合しない無線周波数スペクトル帯域）または第２の無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域、あるいは無線周波数スペクトル帯域が競合に基づいて２つ以上の事業者による使用のために利用可能であるので、装置がアクセスを求めて競合する必要があり得る認可無線周波数スペクトル帯域などの共有無線周波数スペクトル帯域）を介して送信を受信するように動作可能な少なくとも１つの無線周波数（ＲＦ）受信機など、少なくとも１つのＲＦ受信機を含み得る。いくつかの例では、第１の無線周波数スペクトル帯域または第２の無線周波数スペクトル帯域は、たとえば、図１または図２を参照しながら説明したように、ＬＴＥ／ＬＴＥ−Ａ通信のために使用され得る。受信機モジュール１２１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、第１の無線周波数スペクトル帯域または第２の無線周波数スペクトル帯域を介して確立され得る。
【００９１】
[0115]いくつかの例では、送信機モジュール１２３０は、第１の無線周波数スペクトル帯域または第２の無線周波数スペクトル帯域を介して送信するように動作可能な少なくとも１つのＲＦ送信機など、少なくとも１つのＲＦ送信機を含み得る。送信機モジュール１２３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトル帯域または第２の無線周波数スペクトル帯域を介して確立され得る。
【００９２】
[0116]いくつかの例では、ワイヤレス通信管理モジュール１２２０は、装置１２０５のためのワイヤレス通信の１つまたは複数の態様を管理するために使用され得る。いくつかの例では、ワイヤレス通信管理モジュール１２２０は、アップリンクリソース割当て送信モジュール１２３５、アップリンク送信間隔検出モジュール１２４０、またはアップリンクリソース識別モジュール１２４５を含み得る。これらの構成要素の各々は互いと通信していることがある。
【００９３】
[0117]いくつかの例では、アップリンクリソース割当て送信モジュール１２３５は、共有無線周波数スペクトル帯域中でのアップリンク送信に使用すべきアップリンクリソースの１つまたは複数の割当てを送信するために使用され得る。いくつかの例では、アップリンク送信に使用すべきアップリンクリソースの１つまたは複数の割当てを送信することは、第１の継続時間を含む第１の間隔に関連するアップリンクリソースの第１の割当てを送信することと、第２の継続時間を含む第２の間隔に関連するアップリンクリソースの第２の割当てを送信することとを含み得る。第２の継続時間は、第１の継続時間とは異なり得る。
【００９４】
[0118]いくつかの例では、アップリンク送信間隔検出モジュール１２４０は、アップリンク送信の継続時間を検出するために使用され得る。
【００９５】
[0119]いくつかの例では、アップリンクリソース識別モジュール１２４５は、アップリンク送信間隔検出モジュール１２４０によって実行される検出することに少なくとも部分的に基づいてアップリンク送信のために使用されるアップリンクリソースを識別するために使用され得る。いくつかの例では、アップリンク送信のために使用されるアップリンクリソースを識別することは、アップリンク送信のために使用されるアップリンクリソースを識別するためにブラインド検出を実行すること、またはアップリンク送信のために使用されるアップリンクリソースを示す信号を受信すること、またはアップリンク送信のために使用されるアップリンクリソースにアップリンク送信の検出された継続時間をマッピングすることを含み得る。
【００９６】
[0120]図１３に、本開示の様々な態様による、ワイヤレス通信において使用するための装置１３１５のブロック図１３００を示す。いくつかの例では、装置１３１５は、図１または図２を参照しながら説明したＵＥ１１５、２１５、２１５−ａ、２１５−ｂ、または２１５−ｃのうちの１つまたは複数の態様の一例であり得る。装置１３１５はまた、プロセッサであり得る。装置１３１５は、受信機モジュール１３１０、ワイヤレス通信管理モジュール１３２０、または送信機モジュール１３３０を含み得る。これらの構成要素の各々は互いと通信していることがある。
【００９７】
[0121]装置１３１５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【００９８】
[0122]いくつかの例では、受信機モジュール１３１０は、第１の無線周波数スペクトル帯域（たとえば、ＬＴＥ／ＬＴＥ−Ａ通信のために使用可能な認可無線周波数スペクトル帯域など、無線周波数スペクトル帯域がいくつかの用途のためにいくつかのユーザに認可が与えられるので、装置がアクセスを求めて競合しない無線周波数スペクトル帯域）または第２の無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域、あるいは無線周波数スペクトル帯域が競合に基づいて２つ以上の事業者による使用のために利用可能であるので、装置がアクセスを求めて競合する必要があり得る認可無線周波数スペクトル帯域などの共有無線周波数スペクトル帯域）を介して送信を受信するように動作可能な少なくとも１つの無線周波数（ＲＦ）受信機など、少なくとも１つのＲＦ受信機を含み得る。いくつかの例では、第１の無線周波数スペクトル帯域または第２の無線周波数スペクトル帯域は、たとえば、図１または図２を参照しながら説明したように、ＬＴＥ／ＬＴＥ−Ａ通信のために使用され得る。受信機モジュール１３１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、第１の無線周波数スペクトル帯域または第２の無線周波数スペクトル帯域を介して確立され得る。
【００９９】
[0123]いくつかの例では、送信機モジュール１３３０は、第１の無線周波数スペクトル帯域または第２の無線周波数スペクトル帯域を介して送信するように動作可能な少なくとも１つのＲＦ送信機など、少なくとも１つのＲＦ送信機を含み得る。送信機モジュール１３３０は、図１または図２を参照しながら説明したワイヤレス通信システム１００または２００の１つまたは複数の通信リンクなど、ワイヤレス通信システムの１つまたは複数の通信リンク上で様々なタイプのデータまたは制御信号（すなわち、送信）を送信するために使用され得る。通信リンクは、第１の無線周波数スペクトル帯域または第２の無線周波数スペクトル帯域を介して確立され得る。
【０１００】
[0124]いくつかの例では、ワイヤレス通信管理モジュール１３２０は、装置１３１５のためのワイヤレス通信の１つまたは複数の態様を管理するために使用され得る。いくつかの例では、ワイヤレス通信管理モジュール１３２０は、共有無線周波数スペクトル帯域へのアクセスを求めて競合するために使用され得る。いくつかの例では、共有無線周波数スペクトル帯域へのアクセスを求めて競合することは、ＣＣＡプロシージャまたは拡張ＣＣＡプロシージャを実行することを含み得る。いくつかの例では、ワイヤレス通信管理モジュール１３２０は、第１の間隔識別モジュール１３３５、第２の間隔識別モジュール１３４０、間隔比較モジュール１３４５、またはアップリンクリソース決定モジュール１３５０を含み得る。これらの構成要素の各々は互いと通信していることがある。
【０１０１】
[0125]いくつかの例では、第１の間隔識別モジュール１３３５は、共有無線周波数スペクトル帯域中でのアップリンク送信のための第１の間隔を識別するために使用され得る。いくつかの例では、装置１３１５が、割り当てられたまたは意図された時間まで共有無線周波数スペクトル帯域へのアクセスを求めて正常に競合すると仮定すると、第１の間隔は、装置１３１５が使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。
【０１０２】
[0126]いくつかの例では、第２の間隔識別モジュール１３４０は、アップリンク送信のための第２の間隔を識別するために使用され得る。いくつかの例では、第２の間隔は、装置１３１５が実際に使用することになる間隔であり得、間隔は、装置１３１５が共有無線周波数スペクトル帯域へのアクセスを求めて正常にいつ競合するか（たとえば、ＣＣＡプロシージャまたは拡張ＣＣＡプロシージャを正常にいつ実行するか）に依存する。
【０１０３】
[0127]いくつかの例では、間隔比較モジュール１３４５は、第１の間隔を第２の間隔と比較するために使用され得る。
【０１０４】
[0128]いくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、間隔比較モジュール１３４５によって実行される第１の間隔と第２の間隔との比較は、アップリンク送信のための第１の継続時間をアップリンク送信のための第２の継続時間と比較することを含み得る。
【０１０５】
[0129]いくつかの例では、アップリンクリソース決定モジュール１３５０は、間隔比較モジュール１３４５によって行われた比較に少なくとも部分的に基づいてアップリンク送信に使用すべきアップリンクリソースを決定するために使用され得る。
【０１０６】
[0130]図１４に、本開示の様々な態様による、ワイヤレス通信において使用するための装置１４１５のブロック図１４００を示す。いくつかの例では、装置１４１５は、図１または図２を参照しながら説明したＵＥ１１５、２１５、２１５−ａ、２１５−ｂ、または２１５−ｃのうちの１つまたは複数の態様、あるいは図１３を参照しながら説明した装置１３１５の態様の一例であり得る。装置１４１５はまた、プロセッサであり得る。装置１４１５は、受信機モジュール１４１０、ワイヤレス通信管理モジュール１４２０、または送信機モジュール１４３０を含み得る。これらの構成要素の各々は互いと通信していることがある。
【０１０７】
[0131]装置１４１５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１０８】
[0132]いくつかの例では、受信機モジュール１４１０は、第１の無線周波数スペクトル帯域（たとえば、ＬＴＥ／ＬＴＥ−Ａ通信のために使用可能な認可無線周波数スペクトル帯域など、無線周波数スペクトル帯域がいくつかの用途のためにいくつかのユーザに認可が与えられるので、装置がアクセスを求めて競合しない無線周波数スペクトル帯域）または第２の無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域、あるいは無線周波数スペクトル帯域が競合に基づいて２つ以上の事業者による使用のために利用可能であるので、装置がアクセスを求めて競合する必要があり得る認可無線周波数スペクトル帯域などの共有無線周波数スペクトル帯域）を介して送信を受信するように動作可能な少なくとも１つの無線周波数（ＲＦ）受信機など、少なくとも１つのＲＦ受信機を含み得る。いくつかの例では、第１の無線周波数スペクトル帯域または第２の無線周波数スペクトル帯域は、たとえば、図１または図２を参照しながら説明したように、ＬＴＥ／ＬＴＥ−Ａ通信のために使用され得る。受信機モジュール１４１０は、場合によっては、第１の無線周波数スペクトル帯域および第２の無線周波数スペクトル帯域のための別個の受信機を含み得る。別個の受信機は、いくつかの例では、第１の無線周波数スペクトル帯域を介して通信するためのＬＴＥ／ＬＴＥ−Ａ受信機モジュール（たとえば、第１のＲＦスペクトル帯域のためのＬＴＥ／ＬＴＥ−Ａ受信機モジュール１４１２）および第２の無線周波数スペクトル帯域を介して通信するためのＬＴＥ／ＬＴＥ−Ａ受信機モジュール（たとえば、第２のＲＦスペクトル帯域のためのＬＴＥ／ＬＴＥ−Ａ受信機モジュール１４１４）の形態をとり得る。第１のＲＦスペクトル帯域のためのＬＴＥ／ＬＴＥ−Ａ受信機モジュール１４１２または第２のＲＦスペクトル帯域のためのＬＴＥ／ＬＴＥ−Ａ受信機モジュール１４１４を含む受信機モジュール１４１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、第１の無線周波数スペクトル帯域または第２の無線周波数スペクトル帯域を介して確立され得る。
【０１０９】
[0133]いくつかの例では、送信機モジュール１４３０は、第１の無線周波数スペクトル帯域または第２の無線周波数スペクトル帯域を介して送信するように動作可能な少なくとも１つのＲＦ送信機など、少なくとも１つのＲＦ送信機を含み得る。送信機モジュール１４３０は、場合によっては、第１の無線周波数スペクトル帯域および第２の無線周波数スペクトル帯域のための別個の送信機を含み得る。別個の送信機は、いくつかの例では、第１の無線周波数スペクトル帯域を介して通信するためのＬＴＥ／ＬＴＥ−Ａ送信機モジュール（たとえば、第１のＲＦスペクトル帯域のためのＬＴＥ／ＬＴＥ−Ａ送信機モジュール１４３２）および第２の無線周波数スペクトル帯域を介して通信するためのＬＴＥ／ＬＴＥ−Ａ送信機モジュール（たとえば、第２のＲＦスペクトル帯域のためのＬＴＥ／ＬＴＥ−Ａ送信機モジュール１４３４）の形態をとり得る。第１のＲＦスペクトル帯域のためのＬＴＥ／ＬＴＥ−Ａ送信機モジュール１４３２または第２のＲＦスペクトル帯域のためのＬＴＥ／ＬＴＥ−Ａ送信機モジュール１４３４を含む送信機モジュール１４３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、第１の無線周波数スペクトル帯域または第２の無線周波数スペクトル帯域を介して確立され得る。
【０１１０】
[0134]いくつかの例では、ワイヤレス通信管理モジュール１４２０は、装置１４１５のためのワイヤレス通信の１つまたは複数の態様を管理するために使用され得る。いくつかの例では、ワイヤレス通信管理モジュール１４２０は、共有無線周波数スペクトル帯域へのアクセスを求めて競合するために使用され得る。いくつかの例では、共有無線周波数スペクトル帯域へのアクセスを求めて競合することは、ＣＣＡプロシージャまたは拡張ＣＣＡプロシージャを実行することを含み得る。いくつかの例では、ワイヤレス通信管理モジュール１４２０は、アップリンクリソース割当て受信モジュール１４３５、第１の間隔識別モジュール１４４０、第２の間隔識別モジュール１４４５、間隔比較モジュール１４５０、またはアップリンクリソース決定モジュール１４５５を含み得る。これらの構成要素の各々は互いと通信していることがある。
【０１１１】
[0135]いくつかの例では、アップリンクリソース割当て受信モジュール１４３５は、共有無線周波数スペクトル帯域中でのアップリンク送信に使用すべきアップリンクリソースの複数の割当てを受信するために使用され得る。いくつかの例では、装置１４１５が、割り当てられたまたは意図された時間まで共有無線周波数スペクトル帯域へのアクセスを求めて正常に競合すると仮定すると、第１の間隔は、装置１４１５が使用するように基地局が割り当てるかまたは意図する間隔であり得る。代替的に、第１の間隔は、アップリンク送信に使用すべきアップリンクリソースの割当てを基地局が与えた別の間隔であり得る。
【０１１２】
[0136]いくつかの例では、アップリンクリソースの１つまたは複数の割当ては、アップリンクリソースのマルチ送信時間間隔（ＴＴＩ）割当て（たとえば、複数のＴＴＩまたはサブフレームにまたがる送信ブロック（ＴＢ）のための割当て）を含み得る。いくつかの例では、アップリンクリソースの１つまたは複数の割当ては、装置１４１５がアップリンク送信のために使用し得る異なる可能な間隔（たとえば、仮説）に対応し得る。いくつかの例では、異なる可能な間隔は、アップリンク送信のための異なる可能な継続時間を含み得る。たとえば、所与のフレームについて、アップリンク送信のための２つの可能な継続時間（たとえば、１サブフレーム継続時間または２サブフレーム継続時間）があり得る。基地局は、したがって、アップリンク送信のための可能な間隔または継続時間ごとにアップリンクリソースの明示的割当て（たとえば、１サブフレーム継続時間を有する第１の間隔の場合アップリンクリソースの第１の割当ておよび２サブフレーム継続時間を有する第２の間隔の場合アップリンクリソースの第２の割当て）を与え得る。いくつかの例では、アップリンクリソースの複数の割当て（たとえば、アップリンク送信のための可能な継続時間）は、個別のアップリンク許可として与えられ得る。他の例では、アップリンクリソースの複数の割当て（たとえば、アップリンク送信のための可能な継続時間）は、ジョイントアップリンク許可中に与えられ得る。ジョイントアップリンク許可の場合、アップリンクリソースの割当ての２つ以上の間でいくつかの情報フィールドが共有され得、アップリンクリソースの割当ての各々に対して、いくつかの情報フィールドが個別に定義され得る。代替的に、情報フィールドのすべてがジョイントアップリンク許可において個別に定義され得る。
【０１１３】
[0137]いくつかの例では、第１の間隔識別モジュール１４４０は、共有無線周波数スペクトル帯域中でのアップリンク送信のための第１の間隔を識別するために使用され得る。たとえば、第１の間隔識別モジュール１４４０は、アップリンクリソース割当て受信モジュール１４３５によって受信された１つまたは複数の割当てから第１の間隔を識別し得る。いくつかの例では、装置１４１５が、割り当てられたまたは意図された時間まで共有無線周波数スペクトル帯域へのアクセスを求めて正常に競合すると仮定すると、第１の間隔は、装置１４１５が使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。
【０１１４】
[0138]いくつかの例では、第２の間隔識別モジュール１４４５は、アップリンク送信のための第２の間隔を識別するために使用され得る。いくつかの例では、第２の間隔は、装置１４１５が実際に使用することになる間隔であり得、間隔は、装置１４１５が共有無線周波数スペクトル帯域へのアクセスを求めて正常にいつ競合するか（たとえば、ＣＣＡプロシージャまたは拡張ＣＣＡプロシージャを正常にいつ実行するか）に依存する。
【０１１５】
[0139]いくつかの例では、間隔比較モジュール１４５０は、第１の間隔を第２の間隔と比較するために使用され得る。
【０１１６】
[0140]いくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、間隔比較モジュール１４５０によって実行される第１の間隔と第２の間隔との比較は、アップリンク送信のための第１の継続時間をアップリンク送信のための第２の継続時間と比較することを含み得る。
【０１１７】
[0141]いくつかの例では、アップリンクリソース決定モジュール１４５５は、間隔比較モジュール１４５０によって行われた比較に少なくとも部分的に基づいてアップリンク送信に使用すべきアップリンクリソースを決定するために使用され得る。いくつかの例では、アップリンクリソース決定モジュール１４５５は、アップリンクリソース割当て選択モジュール１４６０を含み得る。アップリンクリソース割当て選択モジュール１４６０は、アップリンク送信に使用すべきアップリンクリソースの割当てを（たとえば、アップリンクリソース割当て受信モジュール１４３５によって受信された複数の割当てから）選択することによって、アップリンク送信に使用すべきアップリンクリソースを決定するために使用され得る。たとえば、ＵＥが実際に使用することになる間隔が、アップリンク送信のための２つのサブフレームの継続時間を含むとき、アップリンクリソース割当て選択モジュール１４６０は、２サブフレーム継続時間を有するアップリンク送信に対応するアップリンクリソースの割当てを選択し得、あるいは、ＵＥが実際に使用することになる間隔が、アップリンク送信のための１つのサブフレームの継続時間を含むとき、アップリンクリソース割当て選択モジュール１４６０は、１サブフレーム継続時間を有するアップリンク送信に対応するアップリンクリソースの割当てを選択し得る。
【０１１８】
[0142]アップリンク送信に使用すべきアップリンクリソースの決定に続いて、ワイヤレス通信管理モジュール１４２０は、決定されたアップリンクリソースを使用してアップリンク送信の送信を開始し得る。
【０１１９】
[0143]図１５に、本開示の様々な態様による、ワイヤレス通信において使用するための装置１５１５のブロック図１５００を示す。いくつかの例では、装置１５１５は、図１または図２を参照しながら説明したＵＥ１１５、２１５、２１５−ａ、２１５−ｂ、または２１５−ｃのうちの１つまたは複数の態様、あるいは図１３を参照しながら説明した装置１３１５の態様の一例であり得る。装置１５１５はまた、プロセッサであり得る。装置１５１５は、受信機モジュール１５１０、ワイヤレス通信管理モジュール１５２０、または送信機モジュール１５３０を含み得る。これらの構成要素の各々は互いと通信していることがある。
【０１２０】
[0144]装置１５１５の構成要素は、ハードウェアにおいて適用可能な機能の一部または全部を実行するように適応された１つまたは複数のＡＳＩＣを使用して、個々にまたは集合的に実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１２１】
[0145]いくつかの例では、受信機モジュール１５１０は、第１の無線周波数スペクトル帯域（たとえば、ＬＴＥ／ＬＴＥ−Ａ通信のために使用可能な認可無線周波数スペクトル帯域など、無線周波数スペクトル帯域がいくつかの用途のためにいくつかのユーザに認可が与えられるので、装置がアクセスを求めて競合しない無線周波数スペクトル帯域）または第２の無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域、あるいは無線周波数スペクトル帯域が競合に基づいて２つ以上の事業者による使用のために利用可能であるので、装置がアクセスを求めて競合する必要があり得る認可無線周波数スペクトル帯域などの共有無線周波数スペクトル帯域）を介して送信を受信するように動作可能な少なくとも１つの無線周波数（ＲＦ）受信機など、少なくとも１つのＲＦ受信機を含み得る。いくつかの例では、第１の無線周波数スペクトル帯域または第２の無線周波数スペクトル帯域は、たとえば、図１または図２を参照しながら説明したように、ＬＴＥ／ＬＴＥ−Ａ通信のために使用され得る。受信機モジュール１５１０は、場合によっては、第１の無線周波数スペクトル帯域および第２の無線周波数スペクトル帯域のための別個の受信機を含み得る。別個の受信機は、いくつかの例では、第１の無線周波数スペクトル帯域を介して通信するためのＬＴＥ／ＬＴＥ−Ａ受信機モジュール（たとえば、第１のＲＦスペクトル帯域のためのＬＴＥ／ＬＴＥ−Ａ受信機モジュール１５１２）および第２の無線周波数スペクトル帯域を介して通信するためのＬＴＥ／ＬＴＥ−Ａ受信機モジュール（たとえば、第２のＲＦスペクトル帯域のためのＬＴＥ／ＬＴＥ−Ａ受信機モジュール１５１４）の形態をとり得る。第１のＲＦスペクトル帯域のためのＬＴＥ／ＬＴＥ−Ａ受信機モジュール１５１２または第２のＲＦスペクトル帯域のためのＬＴＥ／ＬＴＥ−Ａ受信機モジュール１５１４を含む受信機モジュール１５１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、第１の無線周波数スペクトル帯域または第２の無線周波数スペクトル帯域を介して確立され得る。
【０１２２】
[0146]いくつかの例では、送信機モジュール１５３０は、第１の無線周波数スペクトル帯域または第２の無線周波数スペクトル帯域を介して送信するように動作可能な少なくとも１つのＲＦ送信機など、少なくとも１つのＲＦ送信機を含み得る。送信機モジュール１５３０は、場合によっては、第１の無線周波数スペクトル帯域および第２の無線周波数スペクトル帯域のための別個の送信機を含み得る。別個の送信機は、いくつかの例では、第１の無線周波数スペクトル帯域を介して通信するためのＬＴＥ／ＬＴＥ−Ａ送信機モジュール（たとえば、第１のＲＦスペクトル帯域のためのＬＴＥ／ＬＴＥ−Ａ送信機モジュール１５３２）および第２の無線周波数スペクトル帯域を介して通信するためのＬＴＥ／ＬＴＥ−Ａ送信機モジュール（たとえば、第２のＲＦスペクトル帯域のためのＬＴＥ／ＬＴＥ−Ａ送信機モジュール１５３４）の形態をとり得る。第１のＲＦスペクトル帯域のためのＬＴＥ／ＬＴＥ−Ａ送信機モジュール１５３２または第２のＲＦスペクトル帯域のためのＬＴＥ／ＬＴＥ−Ａ送信機モジュール１５３４を含む送信機モジュール１５３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、第１の無線周波数スペクトル帯域または第２の無線周波数スペクトル帯域を介して確立され得る。
【０１２３】
[0147]いくつかの例では、ワイヤレス通信管理モジュール１５２０は、装置１５１５のためのワイヤレス通信の１つまたは複数の態様を管理するために使用され得る。いくつかの例では、ワイヤレス通信管理モジュール１５２０は、共有無線周波数スペクトル帯域へのアクセスを求めて競合するために使用され得る。いくつかの例では、共有無線周波数スペクトル帯域へのアクセスを求めて競合することは、ＣＣＡプロシージャまたは拡張ＣＣＡプロシージャを実行することを含み得る。いくつかの例では、ワイヤレス通信管理モジュール１５２０は、アップリンクリソース割当て受信モジュール１５３５、第１の間隔識別モジュール１５４０、第２の間隔識別モジュール１５４５、間隔比較モジュール１５５０、アップリンクリソース決定モジュール１５５５、またはシグナリングモジュール１５７５を含み得る。これらの構成要素の各々は互いと通信していることがある。
【０１２４】
[0148]いくつかの例では、アップリンクリソース割当て受信モジュール１５３５は、共有無線周波数スペクトル帯域中でのアップリンク送信に使用すべきアップリンクリソースの１つまたは複数の割当てを受信するために使用され得る。いくつかの例では、装置１５１５が、割り当てられたまたは意図された時間まで共有無線周波数スペクトル帯域へのアクセスを求めて正常に競合すると仮定すると、第１の間隔は、装置１５１５が使用するように基地局が割り当てるかまたは意図する間隔であり得る。代替的に、第１の間隔は、アップリンク送信に使用すべきアップリンクリソースの割当てを基地局が与えた別の間隔であり得る。
【０１２５】
[0149]いくつかの例では、アップリンクリソースの１つまたは複数の割当ては、アップリンクリソースのマルチＴＴＩ割当て（たとえば、複数のＴＴＩまたはサブフレームにまたがるＴＢのための割当て）を含み得る。いくつかの例では、ＵＥが、割り当てられたまたは意図された時間まで共有無線周波数スペクトル帯域へのアクセスを求めて正常に競合すると仮定すると、アップリンクリソースの１つまたは複数の割当ては、方法２１００を実行するＵＥが使用するように基地局が割り当てるかまたは意図する間隔に基づくアップリンクリソースの単一の割当てを含み得る。他の例では、アップリンクリソースの１つまたは複数の割当ては、装置１５１５がアップリンク送信のために使用し得る異なる可能な間隔（たとえば、仮説）に対応し得る。いくつかの例では、異なる可能な間隔は、アップリンク送信のための異なる可能な継続時間を含み得る。たとえば、所与のフレームについて、アップリンク送信のための２つの可能な継続時間（たとえば、１サブフレーム継続時間または２サブフレーム継続時間）があり得る。基地局は、したがって、アップリンク送信のための可能な間隔または継続時間ごとにアップリンクリソースの明示的割当て（たとえば、１サブフレーム継続時間を有する第１の間隔の場合アップリンクリソースの第１の割当ておよび２サブフレーム継続時間を有する第２の間隔の場合アップリンクリソースの第２の割当て）を与え得る。いくつかの例では、アップリンクリソースの複数の割当て（たとえば、アップリンク送信のための可能な継続時間）は、個別のアップリンク許可として与えられ得る。他の例では、アップリンクリソースの複数の割当て（たとえば、アップリンク送信のための可能な継続時間）は、ジョイントアップリンク許可中に与えられ得る。ジョイントアップリンク許可の場合、アップリンクリソースの割当ての２つ以上の間でいくつかの情報フィールドが共有され得、アップリンクリソースの割当ての各々に対して、いくつかの情報フィールドが個別に定義され得る。代替的に、情報フィールドのすべてがジョイントアップリンク許可において個別に定義され得る。
【０１２６】
[0150]いくつかの例では、第１の間隔識別モジュール１５４０は、共有無線周波数スペクトル帯域中でのアップリンク送信のための第１の間隔を識別するために使用され得る。たとえば、第１の間隔識別モジュール１５４０は、アップリンクリソース割当て受信モジュール１５３５によって受信された１つまたは複数の割当てから第１の間隔を識別し得る。いくつかの例では、装置１５１５が、割り当てられたまたは意図された時間まで共有無線周波数スペクトル帯域へのアクセスを求めて正常に競合すると仮定すると、第１の間隔は、装置１５１５が使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。
【０１２７】
[0151]いくつかの例では、第２の間隔識別モジュール１５４５は、アップリンク送信のための第２の間隔を識別するために使用され得る。いくつかの例では、第２の間隔は、装置１５１５が実際に使用することになる間隔であり得、間隔は、装置１５１５が共有無線周波数スペクトル帯域へのアクセスを求めて正常にいつ競合するかに依存する。
【０１２８】
[0152]いくつかの例では、間隔比較モジュール１５５０は、第１の間隔を第２の間隔と比較するために使用され得る。
【０１２９】
[0153]いくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、間隔比較モジュール１５５０によって実行される第１の間隔と第２の間隔との比較は、アップリンク送信のための第１の継続時間をアップリンク送信のための第２の継続時間と比較することを含み得る。
【０１３０】
[0154]いくつかの例では、アップリンクリソース決定モジュール１５５５は、間隔比較モジュール１５５０によって行われた比較に少なくとも部分的に基づいてアップリンク送信に使用すべきアップリンクリソースを決定するために使用され得る。アップリンク送信に使用すべきアップリンクリソースの１つの割当てまたは２つ以上の割当てがアップリンクリソース割当て受信モジュールによって受信される例では、アップリンクリソース決定モジュール１５５５はまた、アップリンク送信に使用すべきアップリンクリソースの割当てを選択するために使用され得る。いくつかの例では、アップリンクリソース決定モジュール１５５５は、アップリンクリソース割当て適用モジュール１５６０、アップリンクリソースパラメータ調整モジュール１５６５、またはマルチサブフレーム割当て配分モジュール１５７０を含み得る。
【０１３１】
[0155]いくつかの例では、アップリンクリソース割当て適用モジュール１５６０は、アップリンク送信に、アップリンク送信の間隔または実際の継続時間に関連するアップリンクリソースの割当ての一部分を適用することによって、アップリンク送信に使用すべきアップリンクリソースを決定するために使用され得る。たとえば、装置１５１５が、アップリンク送信の割り当てられたまたは意図された継続時間（たとえば、装置１５１５が行うように基地局が割り当てるかまたは意図するアップリンク送信の継続時間）に基づいてアップリンクリソースの割当てを受信するが、装置１５１５が、より短い継続時間を有するアップリンク送信を行うことになるとき、アップリンクリソース割当て適用モジュール１５６０は、装置１５１５が行うアップリンク送信に、アップリンクリソースの割当ての一部分を適用し得る（たとえば、アップリンクリソース割当て受信モジュール１５３５は、４つのサブフレーム継続時間を有するアップリンク送信に対応するアップリンクリソースの割当てを受信し得るが、装置１５１５は、２サブフレーム継続時間を有するアップリンク送信を行い得、したがって、アップリンクリソース割当て適用モジュール１５６０は、装置１５１５が行うアップリンク送信にアップリンクリソースの割当ての一部分（たとえば、アップリンクリソースの割当ての２つのサブフレームに対応する割当ての一部分）を適用し得る）。別の例として、アップリンクリソース割当て受信モジュール１５３５は、４サブフレーム継続時間を有するアップリンク送信に対応するアップリンクリソースの割当てを受信し得るが、装置１５１５は、２つの全長サブフレームと１つの部分長サブフレームとの継続時間を有するアップリンク送信を行い得る。この後者の例では、アップリンクリソース割当て適用モジュール１５６０は、装置１５１５が行うアップリンク送信にアップリンクリソースの割当ての一部分（たとえば、２つの全長サブフレームと１つの部分長サブフレームとに対応する割当ての一部分）を適用し得る。
【０１３２】
[0156]いくつかの例では、アップリンクリソースパラメータ調整モジュール１５６５は、アップリンク送信に使用すべきアップリンクリソースの１つまたは複数のパラメータを調整することによってアップリンク送信に使用すべきアップリンクリソースを決定するために使用され得る。いくつかの例では、調整することは、装置１５１５によって自律的に実行され得る。装置１５１５がアップリンク送信のためのアップリンクリソースの単一の割当てを受信するとき、アップリンクリソースの１つまたは複数のパラメータの自律調整が有用であり得、アップリンクリソースの単一の割当ては、アップリンク送信継続時間（たとえば、より少ないアップリンクサブフレームまたは短縮されたアップリンクサブフレームに基づく異なるアップリンク送信継続時間）の異なる可能な間隔（たとえば、仮説）を区別しない。
【０１３３】
[0157]アップリンク送信のためのアップリンクリソースのパラメータを調整することの一例では、複数のサブフレームにまたがる送信ブロック（ＴＢ）のためのアップリンクリソースのマルチＴＴＩ割当ての受信について検討する。装置１５１５が、ＴＢの割り当てられたまたは意図された継続時間よりも短い継続時間を有するアップリンク送信を行うとき、アップリンクリソースパラメータ調整モジュール１５６５は、アップリンク送信の送信電力を増加させ得る。たとえば、装置１５１５が、ＴＢの割り当てられたまたは意図された継続時間の半分である継続時間を有するアップリンク送信を行う場合、アップリンクリソースパラメータ調整モジュール１５６５は、アップリンク送信のための送信電力を増加させ得る（たとえば、アップリンクリソースパラメータ調整モジュール１５６５は、３ｄＢだけ送信電力を増加させ得る）。アップリンクリソースパラメータ調整モジュール１５６５は、同じくまたは代替的に、基準の境界（たとえば、シンボル期間の境界またはサブフレーム境界）を整合させるようにＴＢのサイズを調整する（たとえば、減少させる）こと、またはシンボル（たとえば、ＳＣ−ＦＤＭシンボルまたはＯＦＤＭシンボル）の数を調整することを行い得る。
【０１３４】
[0158]アップリンク送信のためのアップリンクリソースのパラメータを調整することの別の例では、装置１５１５が、アップリンクリソースの割当て中で示されるアップリンク送信の継続時間よりも短い継続時間を有するアップリンク送信を行うとき、アップリンクリソースパラメータ調整モジュール１５６５は、（たとえば、アップリンクリソースの割当て中で示される変調およびコーディング方式（ＭＣＳ）と比較して）アップリンク送信のためにより高いＭＣＳを使用し得る。
【０１３５】
[0159]いくつかの例では、アップリンク送信に使用すべきアップリンクリソースの１つまたは複数のパラメータの自律調整は、１つまたは複数のルールまたはテーブルに基づき得る。１つまたは複数のルールまたはテーブルは、いくつかの例では、基地局によって装置１５１５に与えられ得、したがって、基地局と装置１５１５とは、ルールの共通のセットまたはテーブルへのアクセスを有する。いくつかの例では、ルールまたはテーブルは、アップリンク送信の継続時間をアップリンクリソースのパラメータの単一の値にマッピングし得る（たとえば、１対１マッピング）。他の例では、ルールまたはテーブルは、アップリンク送信の継続時間をアップリンクリソースのパラメータの複数の値にマッピングし得る（たとえば、１対多マッピング）。１対１マッピングの場合、アップリンクリソースパラメータ調整モジュール１５６５は、ルールまたはテーブルによって与えられたアップリンク送信の実際の継続時間に基づいてアップリンクリソースのパラメータの単一の値を調整し得る。基地局は、アップリンク送信の実際の継続時間を受信または検出すると、調整されたパラメータの値を決定し得る。１対多マッピングの場合、アップリンクリソースパラメータ調整モジュール１５６５は、ルールまたはテーブルによって与えられたアップリンク送信の実際の継続時間に基づいてアップリンクリソースのパラメータの複数の値から値を選択し得、選択された値に基づいてアップリンクリソースのパラメータを調整し得る。基地局は、調整されたパラメータの値を決定するためにブラインド検出を実行する必要があり得る。代替的に、装置１５１５は、シグナリングを介して（たとえば、アップリンクＣＵＢＳまたは別のチャネルを介して）調整されたパラメータ（たとえば、調整されたＭＣＳ）の値を示し得る。たとえば、シグナリングモジュール１５７５は、基地局に、アップリンクリソースの調整された１つまたは複数のパラメータのうちの少なくとも１つの値を示すインジケータをシグナリングするために使用され得る。
【０１３６】
[0160]いくつかの例では、マルチサブフレーム割当て配分モジュール１５７０は、第１の間隔の一部分に対応するアップリンクリソースの少なくとも１つの割当てを選択することによって、アップリンク送信に使用すべきアップリンクリソースを決定するために使用され得る。たとえば、装置１５１５が、第１の間隔に対応するアップリンクリソースのマルチＴＴＩ割当てを受信し、アップリンクリソースのマルチＴＴＩ割当てが、アップリンク送信の割り当てられたまたは意図された継続時間（たとえば、装置１５１５が行うように基地局が割り当てるかまたは意図するアップリンク送信の継続時間）に基づくが、装置１５１５が、割り当てられたまたは意図された継続時間よりも短い実際の継続時間を有するアップリンク送信を行うことになる（実際の継続時間は第２の間隔に対応する）とき、マルチサブフレーム割当て配分モジュール１５７０は、第１の間隔の一部分に対応するアップリンクリソースの少なくとも１つの割当てを選択し得る。たとえば、アップリンク送信の割り当てられたまたは意図された継続時間が４つのサブフレームであり、アップリンク送信の実際の継続時間が２つのサブフレームであると考える。そのような例では、マルチサブフレーム割当て配分モジュール１５７０は、第１の間隔の第１の部分に対応するアップリンクリソースの少なくとも１つの割当て（たとえば、第１の間隔の４つのサブフレームの最初の２つに対応するアップリンクリソースの少なくとも１つの割当て）を選択し得る。たとえば、マルチサブフレーム割当て配分モジュール１５７０は、第１の間隔に対応するアップリンクリソースの第１の割当て（たとえば、第１のサブフレーム割当て）を選択し得る。たとえば、第１の間隔の最初の２つのサブフレーム中でのみ送信するように装置１５１５がスケジュールされた（したがって、装置１５１５が、それが送信するように割り当てられたまたは意図されたよりも後でデータを送信するにもかかわらず、それが送信するように割り当てられたまたは意図されたデータを送信し得る）場合、そのような選択は有利であり得る。
【０１３７】
[0161]アップリンク送信に使用すべきアップリンクリソースの決定に続いて、ワイヤレス通信管理モジュール１５２０は、決定されたアップリンクリソースを使用してアップリンク送信の送信を開始し得る。
【０１３８】
[0162]いくつかの例では、第１の間隔の一部分に対応するアップリンクリソースの少なくとも１つの割当てを選択することは、異なるサブフレームインデックスに適用可能でない１つまたは複数のパラメータの使用または変更を必要とし得る。たとえば、間隔の後のサブフレーム中に間隔の第１のサブフレームのためにトリガされるサウンディング基準信号（ＳＲＳ）を送信することは望ましくないことがある。物理アップリンク共有チャネル（ＰＵＳＣＨ）送信の場合、実際のＰＵＳＣＨ送信は、（たとえば、いくつかのＰＵＳＣＨパラメータ（たとえば、ＰＵＳＣＨホッピング、復調基準信号（ＤＭ−ＲＳ）シーケンス生成など）がサブフレームインデックスに関連付けられ得るので）実際のサブフレームインデックスに基づいて調整され得る。
【０１３９】
[0163]いくつかの例では、マルチサブフレーム割当て配分モジュール１５７０は、第１の間隔に関連するサブフレームインデックスに少なくとも部分的に基づいてアップリンクリソースの少なくとも１つの割当てを選択することによって、アップリンク送信に使用すべきアップリンクリソースを決定するために使用され得る。たとえば、装置１５１５が、第１の間隔に対応するアップリンクリソースのマルチＴＴＩ割当てを受信し、アップリンクリソースのマルチＴＴＩ割当てが、アップリンク送信の割り当てられたまたは意図された継続時間（たとえば、装置１５１５が行うように基地局が割り当てるかまたは意図するアップリンク送信の継続時間）に基づくが、装置１５１５が、割り当てられたまたは意図された継続時間よりも短い実際の継続時間を有するアップリンク送信を行うことになる（実際の継続時間は第２の間隔に対応する）とき、マルチサブフレーム割当て配分モジュール１５７０は、第１の間隔に関連するサブフレームインデックスに少なくとも部分的に基づいてアップリンクリソースの少なくとも１つの割当てを選択し得る。たとえば、アップリンク送信の割り当てられたまたは意図された継続時間が４つのサブフレームであり、アップリンク送信の実際の継続時間が２つのサブフレームであると考える。同じく、アップリンク送信の割り当てられたまたは意図された継続時間中の４つのサブフレームが、それぞれ、サブフレームインデックスＳＦ＿５、ＳＦ＿６、ＳＦ＿７、およびＳＦ＿８に関連付けられ、装置１５１５によって送信されるべきアップリンク送信が、サブフレームインデックスＳＦ＿７を有するサブフレームで始まることになると考える。そのような例では、マルチサブフレーム割当て配分モジュール１５７０は、第１の間隔のサブフレームインデックスＳＦ＿７およびＳＦ＿８に対応するアップリンクリソースの割当てを選択し得る。
【０１４０】
[0164]第１の間隔に関連するサブフレームインデックスに少なくとも部分的に基づいてアップリンクリソースの少なくとも１つの割当てを選択することは、（たとえば、ＤＭ−ＲＳによって使用される開始物理リソースブロック（ＰＲＢ）およびサイクリックシフトに基づいて（たとえば、アップリンク同期ハイブリッド自動再送要求（ＨＡＲＱ）のための）物理ＨＡＲＱインジケータチャネル（ＰＨＩＣＨ）リソース管理に関して、または（たとえば、サブフレームインデックスに結びつけられる場合）ＰＵＳＣＨホッピングに関して）アップリンク送信を基地局の元の意図により良く整合させ得る。そのような選択は、装置１５１５のためのマルチＴＴＩスケジューリングが、第１の間隔のすべてのアップリンクサブフレーム中で送信するように装置１５１５がスケジュールされるようなものであるときに有利であり得る。すべてのアップリンクサブフレーム中で送信するように装置１５１５がスケジュールされないとき、第１の間隔中に後のサブフレームに対応するアップリンクリソースの１つまたは複数の割当ての選択によって、装置１５１５がデータを送信することができないことになり得る。
【０１４１】
[0165]図１３、図１４、または図１５を参照しながら説明した装置１３１５、１４１５、または１５１５のいずれにおいても、アップリンク送信の異なるサブフレームにわたってアップリンク送信電力を同じに維持することが望ましいことがある。いくつかの例では、装置は、装置１５１５によるアップリンク送信の実際の継続時間がアップリンク送信の割り当てられたまたは意図された継続時間よりも短いときでも、装置が使用するように基地局が割り当てるかまたは意図する間隔に対応するアップリンクリソースの割当て中のアップリンク電力制御コマンドが有効であり、それらを相応に適用すると仮定するように構成され得る。いくつかの例では、アップリンク送信のアップリンク電力制御調整は、アップリンク送信の最初に、１回だけ行われ得る。したがって、これらの例では、アップリンク送信の継続時間の間に電力制御コマンドが１つあり、電力制御コマンドは、アップリンク送信の実際の継続時間にかかわらずアップリンク送信に適用され得ることが予想され得る。
【０１４２】
[0166]図１３、図１４、または図１５を参照しながら説明した装置１３１５、１４１５、または１５１５のいずれにおいても、割り当てられたまたは意図された継続時間よりも短い実際の継続時間を有するアップリンク送信へのアップリンクリソースの１つまたは複数の割当ての適用によって、アップリンク送信が行われないことになり得る。これらの例では、アップリンク送信が測定ギャップに該当するとき、現在の送信番号（ＣＵＲＲＥＮＴ＿ＴＸ＿ＮＢ）パラメータが増分され、装置のために構成されたＴＢのためのアップリンク再送信の最大数に対してカウントし得る。他の例では、アップリンク送信が行われないとき、ＣＵＲＲＥＮＴ＿ＴＸ＿ＮＢパラメータは増分されないことがある。
【０１４３】
[0167]図１３、図１４、または図１５を参照しながら説明した装置１３１５、１４１５、または１５１５のいずれにおいても、非適応アップリンク再送信（たとえば、同期アップリンクＨＡＲＱ）のためにＰＨＩＣＨが使用され得る。アップリンク送信の実際の継続時間が、アップリンク送信の割り当てられたまたは意図された継続時間よりも短く、したがって、アップリンクＴＢの数が少なくなるとき、装置は、消失したアップリンク送信のＴＢのための肯定応答（ＡＣＫ）が受信されたかのように消失したアップリンク送信のＴＢを扱い得る。肯定応答／否定応答（ＡＣＫ／ＮＡＫ）バンドリングの可能性があるとき、装置は、消失したアップリンク送信のＴＢがＡＣＫ／ＮＡＫバンドリングに関与しないと仮定し得る（すなわち、ＡＣＫ／ＮＡＫバンドリングは、消失したアップリンク送信のＴＢがＡＣＫされると仮定し得る）。
【０１４４】
[0168]図１６に、本開示の様々な態様による、ワイヤレス通信において使用するための基地局１６０５（たとえば、ｅＮＢの一部または全部を形成する基地局）のブロック図１６００を示す。いくつかの例では、基地局１６０５は、図１または図２を参照しながら説明した基地局１０５、２０５、または２０５−ａの１つまたは複数の態様、あるいは図１２に関して説明した装置１２０５の１つまたは複数の態様の一例であり得る。基地局１６０５は、図１、図２、図３、図４、図５、図６、図７、図８、図９、図１０、または図１１を参照しながら説明した基地局または装置の特徴および機能のうちの少なくともいくつかを実装するかまたは可能にするように構成され得る。
【０１４５】
[0169]基地局１６０５は、基地局プロセッサモジュール１６１０、基地局メモリモジュール１６２０、（基地局トランシーバモジュール１６５０によって表される）少なくとも１つの基地局トランシーバモジュール、（基地局アンテナ１６５５によって表される）少なくとも１つの基地局アンテナ、または基地局ワイヤレス通信管理モジュール１６６０を含み得る。基地局１６０５はまた、基地局通信モジュール１６３０またはネットワーク通信モジュール１６４０のうちの１つまたは複数を含み得る。これらの構成要素の各々は、１つまたは複数のバス１６３５上で、直接または間接的に互いと通信していることがある。
【０１４６】
[0170]基地局メモリモジュール１６２０は、ランダムアクセスメモリ（ＲＡＭ）または読取り専用メモリ（ＲＯＭ）を含み得る。基地局メモリモジュール１６２０は、実行されたとき、ワイヤレス通信に関係する本明細書で説明する様々な機能を基地局プロセッサモジュール１６１０に実行させるように構成された命令を含んでいるコンピュータ可読、コンピュータ実行可能コード１６２５を記憶し得る。代替的に、コード１６２５は、基地局プロセッサモジュール１６１０によって直接的に実行可能ではないことがあるが、（たとえば、コンパイルされ実行されたとき）本明細書で説明する様々な機能を基地局１６０５に実行させるように構成され得る。
【０１４７】
[0171]基地局プロセッサモジュール１６１０は、インテリジェントハードウェアデバイス、たとえば、中央処理装置（ＣＰＵ）、マイクロコントローラ、ＡＳＩＣなどを含み得る。基地局プロセッサモジュール１６１０は、基地局トランシーバモジュール１６５０、基地局通信モジュール１６３０、またはネットワーク通信モジュール１６４０を通して受信された情報を処理し得る。基地局プロセッサモジュール１６１０はまた、アンテナ１６５５を通した送信のためにトランシーバモジュール１６５０に送られるべき情報、１つまたは複数の他の基地局１６０５−ａおよび１６０５−ｂへの送信のために基地局通信モジュール１６３０に送られるべき情報、または図１を参照しながら説明したコアネットワーク１３０の１つまたは複数の態様の一例であり得る、コアネットワーク１６４５への送信のためにネットワーク通信モジュール１６４０に送られるべき情報を処理し得る。基地局プロセッサモジュール１６１０は、単独で、または基地局ワイヤレス通信管理モジュール１６６０とともに、第１の無線周波数スペクトル帯域（たとえば、ＬＴＥ／ＬＴＥ−Ａ通信のために使用可能な認可無線周波数スペクトル帯域など、無線周波数スペクトル帯域がいくつかの用途のためにいくつかのユーザに認可が与えられるので、装置がアクセスを求めて競合しない無線周波数スペクトル帯域）または第２の無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域、あるいは無線周波数スペクトル帯域が競合に基づいて２つ以上の事業者による使用のために利用可能であるので、装置がアクセスを求めて競合する必要があり得る認可無線周波数スペクトル帯域などの共有無線周波数スペクトル帯域）を介して通信すること（またはそれを介した通信を管理すること）の様々な態様を扱い得る。
【０１４８】
[0172]基地局トランシーバモジュール１６５０は、パケットを変調し、変調されたパケットを送信のために基地局アンテナ１６５５に与え、基地局アンテナ１６５５から受信されたパケットを復調するように構成されたモデムを含み得る。基地局トランシーバモジュール１６５０は、いくつかの例では、１つまたは複数の基地局送信機モジュールおよび１つまたは複数の別個の基地局受信機モジュールとして実装され得る。基地局トランシーバモジュール１６５０は、第１の無線周波数スペクトル帯域または第２の無線周波数スペクトル帯域における通信をサポートし得る。基地局トランシーバモジュール１６５０は、図１または図２を参照しながら説明したＵＥ１１５、２１５、２１５−ａ、２１５−ｂ、または２１５−ｃのうちの１つまたは複数、あるいは図１３、図１４、または図１５を参照しながら説明した装置１３１５、１４１５、または１５１５のうちの１つまたは複数など、１つまたは複数の移動局または装置と、アンテナ１６５５を介して双方向に通信するように構成され得る。基地局１６０５は、たとえば、複数の基地局アンテナ１６５５（たとえば、アンテナアレイ）を含み得る。基地局１６０５は、ネットワーク通信モジュール１６４０を通してコアネットワーク１６４５と通信し得る。基地局１６０５はまた、基地局通信モジュール１６３０を使用して、基地局１６０５−ａおよび１６０５−ｂなどの他の基地局と通信し得る。
【０１４９】
[0173]基地局ワイヤレス通信管理モジュール１６６０は、第１の無線周波数スペクトル帯域または第２の無線周波数スペクトル帯域上でのワイヤレス通信に関係する図１、図２、図３、図４、図５、図６、図７、図８、図９、図１０、または図１１に関して説明した特徴または機能の一部または全部を実行または制御するように構成され得る。たとえば、基地局ワイヤレス通信管理モジュール１６６０は、第１の無線周波数スペクトル帯域または第２の無線周波数スペクトル帯域を使用して補助ダウンリンクモード、キャリアアグリゲーションモード、またはスタンドアローンモードをサポートするように構成され得る。基地局ワイヤレス通信管理モジュール１６６０は、第１の無線周波数スペクトル帯域におけるＬＴＥ／ＬＴＥ−Ａ通信を扱うように構成された認可スペクトルのための基地局ＬＴＥ／ＬＴＥ−Ａモジュール１６６５と、第２の無線周波数スペクトル帯域におけるＬＴＥ／ＬＴＥ−Ａ通信を扱うように構成された無認可スペクトルのための基地局ＬＴＥ／ＬＴＥ−Ａモジュール１６７０とを含み得る。基地局ワイヤレス通信管理モジュール１６６０、またはそれの部分はプロセッサを含み得、あるいは基地局ワイヤレス通信管理モジュール１６６０の機能の一部または全部は、基地局プロセッサモジュール１６１０によって実行されるか、または基地局プロセッサモジュール１６１０とともに実行され得る。いくつかの例では、基地局ワイヤレス通信管理モジュール１６６０は、図１２を参照しながら説明したワイヤレス通信管理モジュール１２２０の一例であり得る。
【０１５０】
[0174]図１７に、本開示の様々な態様による、ワイヤレス通信において使用するためのＵＥ１７１５のブロック図１７００を示す。ＵＥ１７１５は様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるか、またはその一部であり得る。ＵＥ１７１５は、いくつかの例では、モバイル動作を容易にするために、小型バッテリーなどの内部電源（図示せず）を有し得る。いくつかの例では、ＵＥ１７１５は、図１または図２を参照しながら説明したＵＥ１１５、２１５、２１５−ａ、２１５−ｂ、または２１５−ｃの１つまたは複数の態様、あるいは図１３、図１４、または図１５を参照しながら説明した装置１３１５、１４１５、または１５１５の１つまたは複数の態様の一例であり得る。ＵＥ１７１５は、図１、図２、図３、図４、図５、図６、図７、図８、図９、図１０、または図１１を参照しながら説明したＵＥまたは装置の特徴および機能のうちの少なくともいくつかを実装するように構成され得る。
【０１５１】
[0175]ＵＥ１７１５は、ＵＥプロセッサモジュール１７１０、ＵＥメモリモジュール１７２０、（ＵＥトランシーバモジュール１７３０によって表される）少なくとも１つのＵＥトランシーバモジュール、（ＵＥアンテナ１７４０によって表される）少なくとも１つのＵＥアンテナ、またはＵＥワイヤレス通信管理モジュール１７６０を含み得る。これらの構成要素の各々は、１つまたは複数のバス１７３５を介して直接または間接的に互いと通信していることがある。
【０１５２】
[0176]ＵＥメモリモジュール１７２０は、ＲＡＭまたはＲＯＭを含み得る。ＵＥメモリモジュール１７２０は、実行されたとき、ワイヤレス通信に関する本明細書で説明する様々な機能をＵＥプロセッサモジュール１７１０に実行させるように構成される命令を含む、コンピュータ可読のコンピュータ実行可能コード１７２５を記憶し得る。代替的に、コード１７２５は、ＵＥプロセッサモジュール１７１０によって直接実行可能でないことがあるが、（たとえば、コンパイルされ実行されたとき）ＵＥ１７１５に本明細書で説明する様々な機能を実行させるように構成され得る。
【０１５３】
[0177]ＵＥプロセッサモジュール１７１０は、インテリジェントハードウェアデバイス、たとえば、ＣＰＵ、マイクロコントローラ、ＡＳＩＣなどを含み得る。ＵＥプロセッサモジュール１７１０は、ＵＥトランシーバモジュール１７３０を通して受信された情報、またはＵＥアンテナ１７４０を通る送信用にＵＥトランシーバモジュール１７３０に送られるべき情報を処理し得る。ＵＥプロセッサモジュール１７１０は、単独で、またはＵＥワイヤレス通信管理モジュール１７６０とともに、第１の無線周波数スペクトル帯域（たとえば、ＬＴＥ／ＬＴＥ−Ａ通信のために使用可能な認可無線周波数スペクトル帯域など、無線周波数スペクトル帯域がいくつかの用途のためにいくつかのユーザに認可が与えられるので、装置がアクセスを求めて競合しない無線周波数スペクトル帯域）または第２の無線周波数スペクトル帯域（たとえば、無線周波数スペクトル帯域がＷｉ−Ｆｉ用途などの無認可の用途のために利用可能であるので、装置がアクセスを求めて競合する必要があり得る無認可無線周波数スペクトル帯域、あるいは無線周波数スペクトル帯域が競合に基づいて２つ以上の事業者による使用のために利用可能であるので、装置がアクセスを求めて競合する必要があり得る認可無線周波数スペクトル帯域などの共有無線周波数スペクトル帯域）を介して通信すること（またはそれを介した通信を管理すること）の様々な態様を扱い得る。
【０１５４】
[0178]ＵＥトランシーバモジュール１７３０は、パケットを変調し、変調されたパケットを送信のためにＵＥアンテナ１７４０に与え、ＵＥアンテナ１７４０から受信されたパケットを復調するように構成されたモデムを含み得る。ＵＥトランシーバモジュール１７３０は、いくつかの例では、１つまたは複数のＵＥ送信機モジュールおよび１つまたは複数の別個のＵＥ受信機モジュールとして実装され得る。ＵＥトランシーバモジュール１７３０は、第１の無線周波数スペクトル帯域または第２の無線周波数スペクトル帯域における通信をサポートし得る。ＵＥトランシーバモジュール１７３０は、図１、図２、また図１６を参照しながら説明した基地局１０５、２０５、２０５−ａ、または１６０５のうちの１つまたは複数、あるいは図１２を参照しながら説明した装置１２０５のうちの１つまたは複数と、ＵＥアンテナ１７４０を介して、双方向に通信するように構成され得る。ＵＥ１７１５は単一のＵＥアンテナを含み得るが、ＵＥ１７１５が複数のＵＥアンテナ１７４０を含み得る例があり得る。
【０１５５】
[0179]ＵＥ状態モジュール１７５０は、たとえば、無線リソース制御（ＲＲＣ）アイドル状態とＲＲＣ接続状態との間のＵＥ１７１５の遷移を管理するために使用され得、１つまたは複数のバス１７３５を介して、直接または間接的に、ＵＥ１７１５の他の構成要素と通信していることがある。ＵＥ状態モジュール１７５０またはそれの部分は、プロセッサを含み得、あるいはＵＥ状態モジュール１７５０の機能の一部または全部は、ＵＥプロセッサモジュール１７１０によってまたはＵＥプロセッサモジュール１７１０とともに実行され得る。
【０１５６】
[0180]ＵＥワイヤレス通信管理モジュール１７６０は、第１の無線周波数スペクトル帯域または第２の無線周波数スペクトル帯域上でのワイヤレス通信に関係する図１、図２、図３、図４、図５、図６、図７、図８、図９、図１０、または図１１を参照しながら説明した特徴または機能の一部または全部を実行または制御するように構成され得る。たとえば、ＵＥワイヤレス通信管理モジュール１７６０は、第１の無線周波数スペクトル帯域または第２の無線周波数スペクトル帯域を使用して、補助ダウンリンクモード、キャリアアグリゲーションモード、またはスタンドアローンモードをサポートするように構成され得る。ＵＥワイヤレス通信管理モジュール１７６０は、第１の無線周波数スペクトル帯域におけるＬＴＥ／ＬＴＥ−Ａ通信を扱うように構成された認可スペクトルのためのＵＥ  ＬＴＥ／ＬＴＥ−Ａモジュール１７６５と、第２の無線周波数スペクトルにおけるＬＴＥ／ＬＴＥ−Ａ通信を扱うように構成された無認可スペクトルのためのＵＥ  ＬＴＥ／ＬＴＥ−Ａモジュール１７７０とを含み得る。ＵＥワイヤレス通信管理モジュール１７６０またはそれの部分は、プロセッサを含み得、あるいはＵＥワイヤレス通信管理モジュール１７６０の機能の一部または全部は、ＵＥプロセッサモジュール１７１０によってまたはＵＥプロセッサモジュール１７１０とともに実行され得る。いくつかの例では、ＵＥワイヤレス通信管理モジュール１７６０は、図１３、図１４、または図１５を参照しながら説明したワイヤレス通信管理モジュール１３２０、１４２０、または１５２０の一例であり得る。
【０１５７】
[0181]図１８は、本開示の様々な態様による、ワイヤレス通信のための方法１８００の一例を示すフローチャートである。明快のために、方法１８００について、図１、図２、または図１６を参照しながら説明した基地局１０５、２０５、２０５−ａ、または１６０５のうちの１つまたは複数の態様、あるいは図１２を参照しながら説明した装置１２０５の態様に関して以下で説明する。いくつかの例では、基地局または装置は、以下で説明する機能を実施するように基地局または装置の機能要素を制御するためのコードの１つまたは複数のセットを実行し得る。
【０１５８】
[0182]ブロック１８０５において、方法１８００は、共有無線周波数スペクトル帯域中でのアップリンク送信に使用すべきアップリンクリソースの１つまたは複数の割当てを送信することを含み得る。いくつかの例では、共有無線周波数スペクトル帯域は、無認可無線周波数スペクトル帯域を含み得る。いくつかの例では、共有無線周波数スペクトル帯域は、２つ以上の事業者によって共有される認可無線周波数スペクトル帯域を含み得る。無認可無線周波数スペクトル帯域は、無線周波数スペクトル帯域がＷｉ−Ｆｉ用途などの無認可の用途に利用可能であるので装置がアクセスを求めて競合する必要があり得る無線周波数スペクトル帯域であり得る。認可無線周波数スペクトル帯域は、無線周波数スペクトル帯域が競合に基づいて２つ以上の事業者による使用のために利用可能であるので、装置がアクセスを求めて競合する必要があり得る無線周波数スペクトル帯域であり得る。ブロック１８０５における動作は、図１２または図１６を参照しながら説明したワイヤレス通信管理モジュール１２２０または１６６０、あるいは図１２を参照しながら説明したアップリンクリソース割当て送信モジュール１２３５を使用して実行され得る。
【０１５９】
[0183]方法１８００のいくつかの例では、アップリンク送信に使用すべきアップリンクリソースの１つまたは複数の割当てを送信することは、第１の継続時間を含む第１の間隔に関連するアップリンクリソースの第１の割当てを送信することと、第２の継続時間を含む第２の間隔に関連するアップリンクリソースの第２の割当てを送信することとを含み得る。第２の継続時間は、第１の継続時間とは異なり得る。
【０１６０】
[0184]ブロック１８１０において、方法１８００は、アップリンク送信の持続時間を検出することを含み得る。ブロック１８１０における動作は、図１２または図１６を参照しながら説明したワイヤレス通信管理モジュール１２２０または１６６０、あるいは図１２を参照しながら説明したアップリンク送信間隔検出モジュール１２４０を使用して実行され得る。
【０１６１】
[0185]ブロック１８１５において、方法１８００は、検出することに少なくとも部分的に基づいてアップリンク送信のために使用されるアップリンクリソースを識別することを含み得る。ブロック１８１５における動作は、図１２または図１６を参照しながら説明したワイヤレス通信管理モジュール１２２０または１６６０、あるいは図１２を参照しながら説明したアップリンクリソース識別モジュール１２４５を使用して実行され得る。
【０１６２】
[0186]方法１８００のいくつかの例では、アップリンク送信のために使用されるアップリンクリソースを識別することは、アップリンク送信のために使用されるアップリンクリソースを識別するためにブラインド検出を実行すること、またはアップリンク送信のために使用されるアップリンクリソースを示す信号を受信すること、またはアップリンク送信のために使用されるアップリンクリソースにアップリンク送信の検出された継続時間をマッピングすることを含み得る。
【０１６３】
[0187]したがって、方法１８００はワイヤレス通信を提供し得る。方法１８００は一実装形態にすぎず、方法１８００の動作は、他の実装形態が可能であるように再構成されるか、または場合によっては修正され得ることに留意されたい。
【０１６４】
[0188]図１９は、本開示の様々な態様による、ワイヤレス通信のための方法１９００の一例を示すフローチャートである。明快のために、方法１９００について、図１、図２、または図１７を参照しながら説明したＵＥ１１５、２１５、２１５−ａ、２１５−ｂ、２１５−ｃ、または１７１５のうちの１つまたは複数の態様、あるいは図１３、図１４、または図１５を参照しながら説明した装置１３１５、１４１５、または１５１５のうちの１つまたは複数の態様を参照しながら以下で説明する。いくつかの例では、ＵＥまたは装置は、以下で説明する機能を実施するようにＵＥまたは装置の機能要素を制御するためのコードの１つまたは複数のセットを実行し得る。
【０１６５】
[0189]ブロック１９０５において、方法１９００は、共有無線周波数スペクトル帯域中でのアップリンク送信のための第１の間隔を識別することを含み得る。いくつかの例では、共有無線周波数スペクトル帯域は、無認可無線周波数スペクトル帯域を含み得る。いくつかの例では、共有無線周波数スペクトル帯域は、２つ以上の事業者によって共有される認可無線周波数スペクトル帯域を含み得る。無認可無線周波数スペクトル帯域は、無線周波数スペクトル帯域がＷｉ−Ｆｉ用途などの無認可の用途に利用可能であるので装置がアクセスを求めて競合する必要があり得る無線周波数スペクトル帯域であり得る。認可無線周波数スペクトル帯域は、無線周波数スペクトル帯域が競合に基づいて２つ以上の事業者による使用のために利用可能であるので、装置がアクセスを求めて競合する必要があり得る無線周波数スペクトル帯域であり得る。
【０１６６】
[0190]いくつかの例では、ＵＥが、割り当てられたまたは意図された時間まで共有無線周波数スペクトル帯域へのアクセスを求めて正常に競合すると仮定すると、第１の間隔は、方法１９００を実行するＵＥが使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。
【０１６７】
[0191]ブロック１９０５における動作は、図１３、図１４、図１５、または図１７を参照しながら説明したワイヤレス通信管理モジュール１３２０、１４２０、１５２０、または１７６０、あるいは図１３、図１４、または図１５を参照しながら説明した第１の間隔識別モジュール１３３５、１４４０、または１５４０を使用して実行され得る。
【０１６８】
[0192]ブロック１９１０において、方法１９００は、アップリンク送信ための第２の間隔を識別することを含み得る。いくつかの例では、第２の間隔は、方法１９００を実行するＵＥが実際に使用することになる間隔であり得、間隔は、ＵＥが共有無線周波数スペクトル帯域へのアクセスを求めて正常にいつ競合するか（たとえば、ＣＣＡプロシージャまたは拡張ＣＣＡプロシージャを正常にいつ実行するか）に依存する。ブロック１９１０における動作は、図１３、図１４、図１５、または図１７を参照しながら説明したワイヤレス通信管理モジュール１３２０、１４２０、１５２０、または１７６０、あるいは図１３、図１４、または図１５を参照しながら説明した第２の間隔識別モジュール１３４０、１４４５、または１５４５を使用して実行され得る。
【０１６９】
[0193]ブロック１９１５において、方法１９００は、第１の間隔を第２の間隔と比較することを含み得る。ブロック１９１５における動作は、図１３、図１４、図１５、または図１７を参照しながら説明したワイヤレス通信管理モジュール１３２０、１４２０、１５２０、または１７６０、あるいは図１３、図１４、または図１５を参照しながら説明した間隔比較モジュール１３４５、１４５０、または１５５０を使用して実行され得る。
【０１７０】
[0194]方法１９００のいくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、第１の間隔を第２の間隔と比較することは、アップリンク送信のための第１の継続時間をアップリンク送信のための第２の継続時間と比較することを含み得る。
【０１７１】
[0195]ブロック１９２０において、方法１９００は、第１の間隔と第２の間隔との比較に少なくとも部分的に基づいてアップリンク送信に使用すべきアップリンクリソースを決定することを含み得る。ブロック１９２０における動作は、図１３、図１４、図１５、または図１７を参照しながら説明したワイヤレス通信管理モジュール１３２０、１４２０、１５２０、または１７６０、あるいは図１３、図１４、または図１５を参照しながら説明したアップリンクリソース決定モジュール１３５０、１４５５、または１５５５を使用して実行され得る。
【０１７２】
[0196]アップリンク送信に使用すべきアップリンクリソースを決定した後に、方法１９００は、決定されたアップリンクリソースを使用してアップリンク送信を送信することを続け得る。
【０１７３】
[0197]したがって、方法１９００はワイヤレス通信を提供し得る。方法１９００は一実装形態にすぎず、方法１９００の動作は、他の実装形態が可能であるように再構成されるか、または場合によっては修正され得ることに留意されたい。
【０１７４】
[0198]図２０は、本開示の様々な態様による、ワイヤレス通信のための方法２０００の一例を示すフローチャートである。明確さのために、方法２０００について、図１、図２、または図１７を参照しながら説明したＵＥ１１５、２１５、２１５−ａ、２１５−ｂ、２１５−ｃ、または１７１５のうちの１つまたは複数の態様、あるいは図１３、図１４、または図１５を参照しながら説明した装置１３１５、１４１５、または１５１５のうちの１つまたは複数の態様を参照しながら以下で説明する。いくつかの例では、ＵＥまたは装置は、以下で説明する機能を実施するようにＵＥまたは装置の機能要素を制御するためのコードの１つまたは複数のセットを実行し得る。
【０１７５】
[0199]ブロック２００５において、方法２０００は、共有無線周波数スペクトル帯域中でのアップリンク送信に使用すべきアップリンクリソースの複数の割当てを受信することを含み得る。いくつかの例では、共有無線周波数スペクトル帯域は、無認可無線周波数スペクトル帯域を含み得る。いくつかの例では、共有無線周波数スペクトル帯域は、２つ以上の事業者によって共有される認可無線周波数スペクトル帯域を含み得る。無認可無線周波数スペクトル帯域は、無線周波数スペクトル帯域がＷｉ−Ｆｉ用途などの無認可の用途に利用可能であるので装置がアクセスを求めて競合する必要があり得る無線周波数スペクトル帯域であり得る。認可無線周波数スペクトル帯域は、無線周波数スペクトル帯域が競合に基づいて２つ以上の事業者による使用のために利用可能であるので、装置がアクセスを求めて競合する必要があり得る無線周波数スペクトル帯域であり得る。
【０１７６】
[0200]いくつかの例では、アップリンクリソースの１つまたは複数の割当ては、アップリンクリソースのマルチＴＴＩ割当て（たとえば、複数のＴＴＩまたはサブフレームにまたがるＴＢのための割当て）を含み得る。いくつかの例では、アップリンクリソースの１つまたは複数の割当ては、ＵＥがアップリンク送信のために使用し得る異なる可能な間隔（たとえば、仮説）に対応し得る。いくつかの例では、異なる可能な間隔は、アップリンク送信のための異なる可能な継続時間を含み得る。たとえば、所与のフレームについて、アップリンク送信のための２つの可能な継続時間（たとえば、１サブフレーム継続時間または２サブフレーム継続時間）があり得る。基地局は、したがって、アップリンク送信のための可能な間隔または継続時間ごとにアップリンクリソースの明示的割当て（たとえば、１サブフレーム継続時間を有する第１の間隔の場合アップリンクリソースの第１の割当ておよび２サブフレーム継続時間を有する第２の間隔の場合アップリンクリソースの第２の割当て）を与え得る。いくつかの例では、アップリンクリソースの複数の割当て（たとえば、アップリンク送信のための可能な継続時間）は、個別のアップリンク許可として与えられ得る。他の例では、アップリンクリソースの複数の割当て（たとえば、アップリンク送信のための可能な継続時間）は、ジョイントアップリンク許可中に与えられ得る。ジョイントアップリンク許可の場合、アップリンクリソースの割当ての２つ以上の間でいくつかの情報フィールドが共有され得、アップリンクリソースの割当ての各々に対して、いくつかの情報フィールドが個別に定義され得る。代替的に、情報フィールドのすべてがジョイントアップリンク許可において個別に定義され得る。
【０１７７】
[0201]ブロック２００５における動作は、図１３、図１４、図１５、または図１７を参照しながら説明したワイヤレス通信管理モジュール１３２０、１４２０、１５２０、または１７６０、あるいは図１４を参照しながら説明したアップリンクリソース割当て受信モジュール１４３５を使用して実行され得る。
【０１７８】
[0202]ブロック２０１０において、方法２０００は、アップリンク送信ための第１の間隔を識別することを含み得る。いくつかの例では、第１の間隔は、ブロック２００５において受信された１つまたは複数の割当てから識別され得る。いくつかの例では、ＵＥが、割り当てられたまたは意図された時間まで共有無線周波数スペクトル帯域へのアクセスを求めて正常に競合すると仮定すると、第１の間隔は、方法２０００を実行するＵＥが使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。ブロック２０１０における動作は、図１３、図１４、図１５、または図１７を参照しながら説明したワイヤレス通信管理モジュール１３２０、１４２０、１５２０、または１７６０、あるいは図１３または図１４を参照しながら説明した第１の間隔識別モジュール１３３５または１４４０を使用して実行され得る。
【０１７９】
[0203]ブロック２０１５において、方法２０００は、アップリンク送信ための第２の間隔を識別することを含み得る。いくつかの例では、第２の間隔は、方法２０００を実行するＵＥが実際に使用することになる間隔であり得、間隔は、ＵＥが共有無線周波数スペクトル帯域へのアクセスを求めて正常にいつ競合するか（たとえば、ＣＣＡプロシージャまたは拡張ＣＣＡプロシージャを正常にいつ実行するか）に依存する。ブロック２０１５における動作は、図１３、図１４、図１５、または図１７を参照しながら説明したワイヤレス通信管理モジュール１３２０、１４２０、１５２０、または１７６０、あるいは図１３または図１４を参照しながら説明した第２の間隔識別モジュール１３４０または１４４５を使用して実行され得る。
【０１８０】
[0204]ブロック２０２０において、方法２０００は、第１の間隔を第２の間隔と比較することを含み得る。ブロック２０２０における動作は、図１３、図１４、図１５、または図１７を参照しながら説明したワイヤレス通信管理モジュール１３２０、１４２０、１５２０、または１７６０、あるいは図１３または図１４を参照しながら説明した間隔比較モジュール１３４５または１４５０を使用して実行され得る。
【０１８１】
[0205]方法２０００のいくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、第１の間隔を第２の間隔と比較することは、アップリンク送信のための第１の継続時間をアップリンク送信のための第２の継続時間と比較することを含み得る。
【０１８２】
[0206]ブロック２０２５において、方法２０００は、第１の間隔と第２の間隔との比較に少なくとも部分的に基づいてアップリンク送信に使用すべきアップリンクリソースを決定することを含み得る。アップリンク送信に使用すべきアップリンクリソースを決定することは、アップリンク送信に使用すべきアップリンクリソースの割当てを（たとえば、ブロック２００５において受信された複数の割当てから）選択することを含み得る。たとえば、ＵＥが実際に使用することになる間隔が、アップリンク送信のための２つのサブフレームの継続時間を含むとき、２サブフレーム継続時間を有するアップリンク送信に対応するアップリンクリソースの割当てが選択され得、あるいは、ＵＥが実際に使用することになる間隔が、アップリンク送信のための１つのサブフレームの継続時間を含むとき、１サブフレーム継続時間を有するアップリンク送信に対応するアップリンクリソースの割当てが選択され得る。ブロック２０２５における動作は、図１３、図１４、図１５、または図１７を参照しながら説明したワイヤレス通信管理モジュール１３２０、１４２０、１５２０、または１７６０、図１３または図１４を参照しながら説明したアップリンクリソース決定モジュール１３５０または１４５５、あるいは図１４を参照しながら説明したアップリンクリソース割当て選択モジュール１４６０を使用して実行され得る。
【０１８３】
[0207]アップリンク送信に使用すべきアップリンクリソースを決定した後に、方法２０００は、決定されたアップリンクリソースを使用してアップリンク送信を送信することを続け得る。
【０１８４】
[0208]したがって、方法２０００はワイヤレス通信を提供し得る。方法２０００は一実装形態にすぎず、方法２０００の動作は、他の実装形態が可能であるように再構成されるか、または場合によっては修正され得ることに留意されたい。
【０１８５】
[0209]図２１は、本開示の様々な態様による、ワイヤレス通信のための方法２１００の一例を示すフローチャートである。明快のために、方法２１００について、図１、図２、または図１７を参照しながら説明したＵＥ１１５、２１５、２１５−ａ、２１５−ｂ、２１５−ｃ、または１７１５のうちの１つまたは複数の態様、あるいは図１３、図１４、または図１５を参照しながら説明した装置１３１５、１４１５、または１５１５のうちの１つまたは複数の態様を参照しながら以下で説明する。いくつかの例では、ＵＥまたは装置は、以下で説明する機能を実施するようにＵＥまたは装置の機能要素を制御するためのコードの１つまたは複数のセットを実行し得る。
【０１８６】
[0210]ブロック２１０５において、方法２１００は、共有無線周波数スペクトル帯域中でのアップリンク送信に使用すべきアップリンクリソースの１つまたは複数の割当てを受信することを含み得る。いくつかの例では、共有無線周波数スペクトル帯域は、無認可無線周波数スペクトル帯域を含み得る。いくつかの例では、共有無線周波数スペクトル帯域は、２つ以上の事業者によって共有される認可無線周波数スペクトル帯域を含み得る。無認可無線周波数スペクトル帯域は、無線周波数スペクトル帯域がＷｉ−Ｆｉ用途などの無認可の用途に利用可能であるので装置がアクセスを求めて競合する必要があり得る無線周波数スペクトル帯域であり得る。認可無線周波数スペクトル帯域は、無線周波数スペクトル帯域が競合に基づいて２つ以上の事業者による使用のために利用可能であるので、装置がアクセスを求めて競合する必要があり得る無線周波数スペクトル帯域であり得る。
【０１８７】
[0211]いくつかの例では、アップリンクリソースの１つまたは複数の割当ては、アップリンクリソースのマルチＴＴＩ割当て（たとえば、複数のＴＴＩまたはサブフレームにまたがるＴＢのための割当て）を含み得る。いくつかの例では、ＵＥが、割り当てられたまたは意図された時間まで共有無線周波数スペクトル帯域へのアクセスを求めて正常に競合すると仮定すると、アップリンクリソースの１つまたは複数の割当ては、方法２１００を実行するＵＥが使用するように基地局が割り当てるかまたは意図する間隔に基づくアップリンクリソースの単一の割当てを含み得る。他の例では、アップリンクリソースの１つまたは複数の割当ては、ＵＥがアップリンク送信のために使用し得る異なる可能な間隔（たとえば、仮説）に対応し得る。いくつかの例では、異なる可能な間隔は、アップリンク送信のための異なる可能な継続時間を含み得る。たとえば、所与のフレームについて、アップリンク送信のための２つの可能な継続時間（たとえば、１サブフレーム継続時間または２サブフレーム継続時間）があり得る。基地局は、したがって、アップリンク送信のための可能な間隔または継続時間ごとにアップリンクリソースの明示的割当て（たとえば、１サブフレーム継続時間を有する第１の間隔の場合アップリンクリソースの第１の割当ておよび２サブフレーム継続時間を有する第２の間隔の場合アップリンクリソースの第２の割当て）を与え得る。いくつかの例では、アップリンクリソースの複数の割当て（たとえば、アップリンク送信のための可能な継続時間）は、個別のアップリンク許可として与えられ得る。他の例では、アップリンクリソースの複数の割当て（たとえば、アップリンク送信のための可能な継続時間）は、ジョイントアップリンク許可中に与えられ得る。ジョイントアップリンク許可の場合、アップリンクリソースの割当ての２つ以上の間でいくつかの情報フィールドが共有され得、アップリンクリソースの割当ての各々に対して、いくつかの情報フィールドが個別に定義され得る。代替的に、情報フィールドのすべてがジョイントアップリンク許可において個別に定義され得る。
【０１８８】
[0212]ブロック２１０５における動作は、図１３、図１４、図１５、または図１７を参照しながら説明したワイヤレス通信管理モジュール１３２０、１４２０、１５２０、または１７６０、あるいは図１４を参照しながら説明したアップリンクリソース割当て受信モジュール１５３５を使用して実行され得る。
【０１８９】
[0213]ブロック２１１０において、方法２１００は、アップリンク送信ための第１の間隔を識別することを含み得る。いくつかの例では、第１の間隔は、ブロック２１０５において受信された１つまたは複数の割当てから識別され得る。いくつかの例では、ＵＥが、割り当てられたまたは意図された時間まで共有無線周波数スペクトル帯域へのアクセスを求めて正常に競合すると仮定すると、第１の間隔は、方法２１００を実行するＵＥが使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。ブロック２１１０における動作は、図１３、図１４、図１５、または図１７を参照しながら説明したワイヤレス通信管理モジュール１３２０、１４２０、１５２０、または１７６０、あるいは図１３または図１５を参照しながら説明した第１の間隔識別モジュール１３３５または１５４０を使用して実行され得る。
【０１９０】
[0214]ブロック２１１５において、方法２１００は、アップリンク送信ための第２の間隔を識別することを含み得る。いくつかの例では、第２の間隔は、方法２１００を実行するＵＥが実際に使用することになる間隔であり得、間隔は、ＵＥが共有無線周波数スペクトル帯域へのアクセスを求めて正常にいつ競合するかに依存する。ブロック２１１５における動作は、図１３、図１４、図１５、または図１７を参照しながら説明したワイヤレス通信管理モジュール１３２０、１４２０、１５２０、または１７６０、あるいは図１３または図１５を参照しながら説明した第２の間隔識別モジュール１３４０または１５４５を使用して実行され得る。
【０１９１】
[0215]ブロック２１２０において、方法２１００は、第１の間隔を第２の間隔と比較することを含み得る。ブロック２１２０における動作は、図１３、図１４、図１５、または図１７を参照しながら説明したワイヤレス通信管理モジュール１３２０、１４２０、１５２０、または１７６０、あるいは図１３または図１５を参照しながら説明した間隔比較モジュール１３４５または１５５０を使用して実行され得る。
【０１９２】
[0216]方法２１００のいくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、第１の間隔を第２の間隔と比較することは、アップリンク送信のための第１の継続時間をアップリンク送信のための第２の継続時間と比較することを含み得る。
【０１９３】
[0217]ブロック２１２５において、方法２１００は、第１の間隔と第２の間隔との比較に少なくとも部分的に基づいてアップリンク送信に使用すべきアップリンクリソースを決定することを含み得る。アップリンク送信に使用すべきアップリンクリソースを決定することは、アップリンク送信に、アップリンク送信の間隔または実際の継続時間に関連するアップリンクリソースの割当ての一部分を適用することを含み得る。たとえば、ＵＥが、アップリンク送信の割り当てられたまたは意図された継続時間（たとえば、ＵＥが行うように基地局が割り当てるかまたは意図するアップリンク送信の継続時間）に基づいてアップリンクリソースの割当てを受信するが、ＵＥが、より短い継続時間を有するアップリンク送信を行うことになるとき、ＵＥは、それが行うアップリンク送信に、アップリンクリソースの割当ての一部分を適用し得る（たとえば、ＵＥは、４つのサブフレーム継続時間を有するアップリンク送信に対応するアップリンクリソースの割当てを受信し得るが、ＵＥは、２サブフレーム継続時間を有するアップリンク送信を行い得、したがって、それが行うアップリンク送信にアップリンクリソースの割当ての一部分（たとえば、アップリンクリソースの割当ての２つのサブフレームに対応する割当ての一部分）を適用し得る）。別の例として、ＵＥは、４サブフレーム継続時間を有するアップリンク送信に対応するアップリンクリソースの割当てを受信し得るが、ＵＥは、２つの全長サブフレームと１つの部分長サブフレームとの継続時間を有するアップリンク送信を行い得る。この後者の例では、ＵＥは、それが行うアップリンク送信にアップリンクリソースの割当ての一部分（たとえば、２つの全長サブフレームと１つの部分長サブフレームとに対応する割当ての一部分）を適用し得る。
【０１９４】
[0218]ブロック２１２５における動作は、図１３、図１４、図１５、または図１７を参照しながら説明したワイヤレス通信管理モジュール１３２０、１４２０、１５２０、または１７６０、図１３または図１５を参照しながら説明したアップリンクリソース決定モジュール１３５０または１５５５、あるいは図１５を参照しながら説明したアップリンクリソース割当て適用モジュール１５６０を使用して実行され得る。
【０１９５】
[0219]アップリンク送信に使用すべきアップリンクリソースの２つ以上の割当てが受信される方法２１００の例では、ブロック２１２５における動作はまた、アップリンク送信に使用すべきアップリンクリソースの割当てを選択することを含み得る。
【０１９６】
[0220]アップリンク送信に使用すべきアップリンクリソースを決定した後に、方法２１００は、決定されたアップリンクリソースを使用してアップリンク送信を送信することを続け得る。
【０１９７】
[0221]したがって、方法２１００はワイヤレス通信を提供し得る。方法２１００は一実装形態にすぎず、方法２１００の動作は、他の実装形態が可能であるように再構成されるか、または場合によっては修正され得ることに留意されたい。
【０１９８】
[0222]図２２は、本開示の様々な態様による、ワイヤレス通信のための方法２２００の一例を示すフローチャートである。明快のために、方法２２００について、図１、図２、または図１７を参照しながら説明したＵＥ１１５、２１５、２１５−ａ、２１５−ｂ、２１５−ｃ、または１７１５のうちの１つまたは複数の態様、あるいは図１３、図１４、または図１５を参照しながら説明した装置１３１５、１４１５、または１５１５のうちの１つまたは複数の態様を参照しながら以下で説明する。いくつかの例では、ＵＥまたは装置は、以下で説明する機能を実施するようにＵＥまたは装置の機能要素を制御するためのコードの１つまたは複数のセットを実行し得る。
【０１９９】
[0223]ブロック２２０５において、方法２２００は、共有無線周波数スペクトル帯域中でのアップリンク送信に使用すべきアップリンクリソースの１つまたは複数の割当てを受信することを含み得る。いくつかの例では、共有無線周波数スペクトル帯域は、無認可無線周波数スペクトル帯域を含み得る。いくつかの例では、共有無線周波数スペクトル帯域は、２つ以上の事業者によって共有される認可無線周波数スペクトル帯域を含み得る。無認可無線周波数スペクトル帯域は、無線周波数スペクトル帯域がＷｉ−Ｆｉ用途などの無認可の用途に利用可能であるので装置がアクセスを求めて競合する必要があり得る無線周波数スペクトル帯域であり得る。認可無線周波数スペクトル帯域は、無線周波数スペクトル帯域が競合に基づいて２つ以上の事業者による使用のために利用可能であるので、装置がアクセスを求めて競合する必要があり得る無線周波数スペクトル帯域であり得る。
【０２００】
[0224]いくつかの例では、アップリンクリソースの１つまたは複数の割当ては、アップリンクリソースのマルチＴＴＩ割当て（たとえば、複数のＴＴＩまたはサブフレームにまたがるＴＢのための割当て）を含み得る。いくつかの例では、ＵＥが、割り当てられたまたは意図された時間まで共有無線周波数スペクトル帯域へのアクセスを求めて正常に競合すると仮定すると、アップリンクリソースの１つまたは複数の割当ては、方法２２００を実行するＵＥが使用するように基地局が割り当てるかまたは意図する間隔に基づくアップリンクリソースの単一の割当てを含み得る。他の例では、アップリンクリソースの１つまたは複数の割当ては、ＵＥがアップリンク送信のために使用し得る異なる可能な間隔（たとえば、仮説）に対応し得る。いくつかの例では、異なる可能な間隔は、アップリンク送信のための異なる可能な継続時間を含み得る。たとえば、所与のフレームについて、アップリンク送信のための２つの可能な継続時間（たとえば、１サブフレーム継続時間または２サブフレーム継続時間）があり得る。基地局は、したがって、アップリンク送信のための可能な間隔または継続時間ごとにアップリンクリソースの明示的割当て（たとえば、１サブフレーム継続時間を有する第１の間隔の場合アップリンクリソースの第１の割当ておよび２サブフレーム継続時間を有する第２の間隔の場合アップリンクリソースの第２の割当て）を与え得る。いくつかの例では、アップリンクリソースの複数の割当て（たとえば、アップリンク送信のための可能な継続時間）は、個別のアップリンク許可として与えられ得る。他の例では、アップリンクリソースの複数の割当て（たとえば、アップリンク送信のための可能な継続時間）は、ジョイントアップリンク許可中に与えられ得る。ジョイントアップリンク許可の場合、アップリンクリソースの割当ての２つ以上の間でいくつかの情報フィールドが共有され得、アップリンクリソースの割当ての各々に対して、いくつかの情報フィールドが個別に定義され得る。代替的に、情報フィールドのすべてがジョイントアップリンク許可において個別に定義され得る。
【０２０１】
[0225]ブロック２２０５における動作は、図１３、図１４、図１５、または図１７を参照しながら説明したワイヤレス通信管理モジュール１３２０、１４２０、１５２０、または１７６０、あるいは図１４を参照しながら説明したアップリンクリソース割当て受信モジュール１５３５を使用して実行され得る。
【０２０２】
[0226]ブロック２２１０において、方法２２００は、アップリンク送信ための第１の間隔を識別することを含み得る。いくつかの例では、第１の間隔は、ブロック２２０５において受信された１つまたは複数の割当てから識別され得る。いくつかの例では、ＵＥが、割り当てられたまたは意図された時間まで共有無線周波数スペクトル帯域へのアクセスを求めて正常に競合すると仮定すると、第１の間隔は、方法２２００を実行するＵＥが使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。ブロック２２１０における動作は、図１３、図１４、図１５、または図１７を参照しながら説明したワイヤレス通信管理モジュール１３２０、１４２０、１５２０、または１７６０、あるいは図１３または図１５を参照しながら説明した第１の間隔識別モジュール１３３５または１５４０を使用して実行され得る。
【０２０３】
[0227]ブロック２２１５において、方法２２００は、アップリンク送信ための第２の間隔を識別することを含み得る。いくつかの例では、第２の間隔は、方法２２００を実行するＵＥが実際に使用することになる間隔であり得、間隔は、ＵＥが共有無線周波数スペクトル帯域へのアクセスを求めて正常にいつ競合するか（たとえば、ＣＣＡプロシージャまたは拡張ＣＣＡプロシージャを正常にいつ実行するか）に依存する。ブロック２２１５における動作は、図１３、図１４、図１５、または図１７を参照しながら説明したワイヤレス通信管理モジュール１３２０、１４２０、１５２０、または１７６０、あるいは図１３または図１５を参照しながら説明した第２の間隔識別モジュール１３４０または１５４５を使用して実行され得る。
【０２０４】
[0228]ブロック２２２０において、方法２２００は、第１の間隔を第２の間隔と比較することを含み得る。ブロック２２２０における動作は、図１３、図１４、図１５、または図１７を参照しながら説明したワイヤレス通信管理モジュール１３２０、１４２０、１５２０、または１７６０、あるいは図１３または図１５を参照しながら説明した間隔比較モジュール１３４５または１５５０を使用して実行され得る。
【０２０５】
[0229]方法２２００のいくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、第１の間隔を第２の間隔と比較することは、アップリンク送信のための第１の継続時間をアップリンク送信のための第２の継続時間と比較することを含み得る。
【０２０６】
[0230]ブロック２２２５において、方法２２００は、第１の間隔と第２の間隔との比較に少なくとも部分的に基づいてアップリンク送信に使用すべきアップリンクリソースを決定することを含み得る。アップリンク送信に使用すべきアップリンクリソースを決定することは、第１の間隔と第２の間隔との比較に少なくとも部分的に基づいてアップリンク送信に使用すべきアップリンクリソースの１つまたは複数のパラメータを調整することを含み得る。いくつかの例では、調整することは、ＵＥによって自律的に実行され得る。ＵＥがアップリンク送信のためのアップリンクリソースの単一の割当てを受信するとき、アップリンクリソースの１つまたは複数のパラメータの自律調整が有用であり得、アップリンクリソースの単一の割当ては、アップリンク送信継続時間（たとえば、より少ないアップリンクサブフレームまたは短縮されたアップリンクサブフレームに基づく異なるアップリンク送信継続時間）の異なる可能な間隔（たとえば、仮説）を区別しない。
【０２０７】
[0231]アップリンク送信のためのアップリンクリソースのパラメータを調整することの一例では、複数のサブフレームにまたがるＴＢのためのアップリンクリソースのマルチＴＴＩ割当ての受信について検討する。ＵＥが、ＴＢの割り当てられたまたは意図された継続時間よりも短い継続時間を有するアップリンク送信を行うとき、ＵＥは、それの送信電力を増加させ得る。たとえば、ＵＥが、ＴＢの割り当てられたまたは意図された継続時間の半分である継続時間を有するアップリンク送信を行う場合、ＵＥは、それの送信電力を増加させ得る（たとえば、送信電力が３ｄＢだけ増加され得る）。ＵＥは、同じくまたは代替的に、基準の境界（たとえば、シンボル期間の境界またはサブフレーム境界）を整合させるようにＴＢのサイズを調整する（たとえば、減少させる）こと、またはシンボル（たとえば、ＳＣ−ＦＤＭシンボルまたはＯＦＤＭシンボル）の数を調整することを行い得る。
【０２０８】
[0232]アップリンク送信のためのアップリンクリソースのパラメータを調整することの別の例では、ＵＥが、アップリンクリソースの割当て中で示されるアップリンク送信の継続時間よりも短い継続時間を有するアップリンク送信を行うとき、ＵＥは、アップリンクリソースの割当て中で示されるＭＣＳよりも高いＭＣＳを使用し得る。
【０２０９】
[0233]いくつかの例では、アップリンク送信に使用すべきアップリンクリソースの１つまたは複数のパラメータの自律調整は、１つまたは複数のルールまたはテーブルに基づき得る。１つまたは複数のルールまたはテーブルは、いくつかの例では、基地局によってＵＥに与えられ得、したがって、基地局とＵＥとは、ルールの共通のセットまたはテーブルへのアクセスを有する。いくつかの例では、ルールまたはテーブルは、アップリンク送信の継続時間をアップリンクリソースのパラメータの単一の値にマッピングし得る（たとえば、１対１マッピング）。他の例では、ルールまたはテーブルは、アップリンク送信の継続時間をアップリンクリソースのパラメータの複数の値にマッピングし得る（たとえば、１対多マッピング）。１対１マッピングの場合、ＵＥは、ルールまたはテーブルによって与えられたアップリンク送信の実際の継続時間に基づいてアップリンクリソースのパラメータの単一の値を調整し得る。基地局は、アップリンク送信の実際の継続時間を受信または検出すると、調整されたパラメータの値を決定し得る。１対多マッピングの場合、ＵＥは、ルールまたはテーブルによって与えられたアップリンク送信の実際の継続時間に基づいてアップリンクリソースのパラメータの複数の値から値を選択し得、選択された値に基づいてアップリンクリソースのパラメータを調整し得る。基地局は、調整されたパラメータの値を決定するためにブラインド検出を実行する必要があり得る。代替的に、ＵＥは、ブロック２２３０を参照しながら説明したように、シグナリングを介して（たとえば、アップリンクＣＵＢＳまたは別のチャネルを介して）調整されたパラメータ（たとえば、調整されたＭＣＳ）の値を示し得る。
【０２１０】
[0234]ブロック２２２５における動作は、図１３、図１４、図１５、または図１７を参照しながら説明したワイヤレス通信管理モジュール１３２０、１４２０、１５２０、または１７６０、図１３または図１５を参照しながら説明したアップリンクリソース決定モジュール１３５０または１５５５、あるいは図１５を参照しながら説明したアップリンクリソースパラメータ調整モジュール１５６５を使用して実行され得る。
【０２１１】
[0235]アップリンク送信に使用すべきアップリンクリソースの２つ以上の割当てが受信される方法２２００の例では、ブロック２２２５における動作はまた、アップリンク送信に使用すべきアップリンクリソースの割当てを選択することを含み得る。
【０２１２】
[0236]ブロック２２３０において、方法２２００は、基地局に、アップリンクリソースの調整された１つまたは複数のパラメータのうちの少なくとも１つの値を示すインジケータをシグナリングすることをオプションとして含み得る。ブロック２２３０における動作は、図１３、図１４、図１５、または図１７を参照しながら説明したワイヤレス通信管理モジュール１３２０、１４２０、１５２０、または１７６０、あるいは図１５を参照しながら説明したシグナリングモジュール１５７５を使用して実行され得る。
【０２１３】
[0237]アップリンク送信に使用すべきアップリンクリソースを決定した後に、方法２２００は、決定されたアップリンクリソースを使用してアップリンク送信を送信することを続け得る。
【０２１４】
[0238]したがって、方法２２００はワイヤレス通信を提供し得る。方法２２００は一実装形態にすぎず、方法２２００の動作は、他の実装形態が可能であるように再構成されるか、または場合によっては修正され得ることに留意されたい。
【０２１５】
[0239]図２３は、本開示の様々な態様による、ワイヤレス通信のための方法２３００の一例を示すフローチャートである。明快のために、方法２３００について、図１、図２、または図１７を参照しながら説明したＵＥ１１５、２１５、２１５−ａ、２１５−ｂ、２１５−ｃ、または１７１５のうちの１つまたは複数の態様、あるいは図１３、図１４、または図１５を参照しながら説明した装置１３１５、１４１５、または１５１５のうちの１つまたは複数の態様を参照しながら以下で説明する。いくつかの例では、ＵＥまたは装置は、以下で説明する機能を実施するようにＵＥまたは装置の機能要素を制御するためのコードの１つまたは複数のセットを実行し得る。
【０２１６】
[0240]ブロック２３０５において、方法２３００は、共有無線周波数スペクトル帯域中でのアップリンク送信に使用すべきアップリンクリソースの１つまたは複数の割当てを受信することを含み得る。いくつかの例では、共有無線周波数スペクトル帯域は、無認可無線周波数スペクトル帯域を含み得る。いくつかの例では、共有無線周波数スペクトル帯域は、２つ以上の事業者によって共有される認可無線周波数スペクトル帯域を含み得る。無認可無線周波数スペクトル帯域は、無線周波数スペクトル帯域がＷｉ−Ｆｉ用途などの無認可の用途に利用可能であるので装置がアクセスを求めて競合する必要があり得る無線周波数スペクトル帯域であり得る。認可無線周波数スペクトル帯域は、無線周波数スペクトル帯域が競合に基づいて２つ以上の事業者による使用のために利用可能であるので、装置がアクセスを求めて競合する必要があり得る無線周波数スペクトル帯域であり得る。
【０２１７】
[0241]いくつかの例では、アップリンクリソースの１つまたは複数の割当ては、アップリンクリソースのマルチＴＴＩ割当て（たとえば、複数のＴＴＩまたはサブフレームにまたがるＴＢのための割当て）を含み得る。いくつかの例では、ＵＥが、割り当てられたまたは意図された時間まで共有無線周波数スペクトル帯域へのアクセスを求めて正常に競合すると仮定すると、アップリンクリソースの１つまたは複数の割当ては、方法２３００を実行するＵＥが使用するように基地局が割り当てるかまたは意図する間隔に基づくアップリンクリソースの単一の割当てを含み得る。他の例では、アップリンクリソースの１つまたは複数の割当ては、ＵＥがアップリンク送信のために使用し得る異なる可能な間隔（たとえば、仮説）に対応し得る。いくつかの例では、異なる可能な間隔は、アップリンク送信のための異なる可能な継続時間を含み得る。たとえば、所与のフレームについて、アップリンク送信のための２つの可能な継続時間（たとえば、１サブフレーム継続時間または２サブフレーム継続時間）があり得る。基地局は、したがって、アップリンク送信のための可能な間隔または継続時間ごとにアップリンクリソースの明示的割当て（たとえば、１サブフレーム継続時間を有する第１の間隔の場合アップリンクリソースの第１の割当ておよび２サブフレーム継続時間を有する第２の間隔の場合アップリンクリソースの第２の割当て）を与え得る。いくつかの例では、アップリンクリソースの複数の割当て（たとえば、アップリンク送信のための可能な継続時間）は、個別のアップリンク許可として与えられ得る。他の例では、アップリンクリソースの複数の割当て（たとえば、アップリンク送信のための可能な継続時間）は、ジョイントアップリンク許可中に与えられ得る。ジョイントアップリンク許可の場合、アップリンクリソースの割当ての２つ以上の間でいくつかの情報フィールドが共有され得、アップリンクリソースの割当ての各々に対して、いくつかの情報フィールドが個別に定義され得る。代替的に、情報フィールドのすべてがジョイントアップリンク許可において個別に定義され得る。
【０２１８】
[0242]ブロック２３０５における動作は、図１３、図１４、図１５、または図１７を参照しながら説明したワイヤレス通信管理モジュール１３２０、１４２０、１５２０、または１７６０、あるいは図１４を参照しながら説明したアップリンクリソース割当て受信モジュール１５３５を使用して実行され得る。
【０２１９】
[0243]ブロック２３１０において、方法２３００は、アップリンク送信ための第１の間隔を識別することを含み得る。いくつかの例では、第１の間隔は、ブロック２３０５において受信された１つまたは複数の割当てから識別され得る。いくつかの例では、ＵＥが、割り当てられたまたは意図された時間まで共有無線周波数スペクトル帯域へのアクセスを求めて正常に競合すると仮定すると、第１の間隔は、方法２３００を実行するＵＥが使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。ブロック２３１０における動作は、図１３、図１４、図１５、または図１７を参照しながら説明したワイヤレス通信管理モジュール１３２０、１４２０、１５２０、または１７６０、あるいは図１３または図１５を参照しながら説明した第１の間隔識別モジュール１３３５または１５４０を使用して実行され得る。
【０２２０】
[0244]ブロック２３１５において、方法２３００は、アップリンク送信ための第２の間隔を識別することを含み得る。いくつかの例では、第２の間隔は、方法２３００を実行するＵＥが実際に使用することになる間隔であり得、間隔は、ＵＥが共有無線周波数スペクトル帯域へのアクセスを求めて正常にいつ競合するか（たとえば、ＣＣＡプロシージャまたは拡張ＣＣＡプロシージャを正常にいつ実行するか）に依存する。ブロック２３１５における動作は、図１３、図１４、図１５、または図１７を参照しながら説明したワイヤレス通信管理モジュール１３２０、１４２０、１５２０、または１７６０、あるいは図１３または図１５を参照しながら説明した第２の間隔識別モジュール１３４０または１５４５を使用して実行され得る。
【０２２１】
[0245]ブロック２３２０において、方法２３００は、第１の間隔を第２の間隔と比較することを含み得る。ブロック２３２０における動作は、図１３、図１４、図１５、または図１７を参照しながら説明したワイヤレス通信管理モジュール１３２０、１４２０、１５２０、または１７６０、あるいは図１３または図１５を参照しながら説明した間隔比較モジュール１３４５または１５５０を使用して実行され得る。
【０２２２】
[0246]方法２３００のいくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、第１の間隔を第２の間隔と比較することは、アップリンク送信のための第１の継続時間をアップリンク送信のための第２の継続時間と比較することを含み得る。
【０２２３】
[0247]ブロック２３２５において、方法２３００は、第１の間隔と第２の間隔との比較に少なくとも部分的に基づいてアップリンク送信に使用すべきアップリンクリソースを決定することを含み得る。アップリンク送信に使用すべきアップリンクリソースを決定することは、第１の間隔の一部分に対応するアップリンクリソースの少なくとも１つの割当てを選択することを含み得る。たとえば、ＵＥが、第１の間隔に対応するアップリンクリソースのマルチＴＴＩ割当てを受信し、アップリンクリソースのマルチＴＴＩ割当てが、アップリンク送信の割り当てられたまたは意図された継続時間（たとえば、ＵＥが行うように基地局が割り当てるかまたは意図するアップリンク送信の継続時間）に基づくが、ＵＥが、割り当てられたまたは意図された継続時間よりも短い実際の継続時間を有するアップリンク送信を行うことになる（実際の継続時間は第２の間隔に対応する）とき、ＵＥは、第１の間隔の一部分に対応するアップリンクリソースの少なくとも１つの割当てを選択し得る。たとえば、アップリンク送信の割り当てられたまたは意図された継続時間が４つのサブフレームであり、アップリンク送信の実際の継続時間が２つのサブフレームであると考える。そのような例では、ＵＥは、第１の間隔の第１の部分に対応するアップリンクリソースの少なくとも１つの割当て（たとえば、第１の間隔の４つのサブフレームの最初の２つに対応するアップリンクリソースの少なくとも１つの割当て）を選択し得る。たとえば、マルチサブフレーム割当て配分モジュール１５７０は、第１の間隔に対応するアップリンクリソースの第１の割当て（たとえば、第１のサブフレーム割当て）を選択し得る。たとえば、第１の間隔の最初の２つのサブフレーム中でのみ送信するようにＵＥがスケジュールされた（したがって、ＵＥが、それが送信するように割り当てられたまたは意図されたよりも後でデータを送信するにもかかわらず、それが送信するように割り当てられたまたは意図されたデータを送信し得る）場合、そのような選択は有利であり得る。
【０２２４】
[0248]いくつかの例では、第１の間隔の一部分に対応するアップリンクリソースの少なくとも１つの割当てを選択することは、異なるサブフレームインデックスに適用可能でない１つまたは複数のパラメータの使用または変更を必要とし得る。たとえば、間隔の後のサブフレーム中に間隔の第１のサブフレームのためにトリガされるＳＲＳを送信することは望ましくないことがある。ＰＵＳＣＨ送信の場合、実際のＰＵＳＣＨ送信は、（たとえば、いくつかのＰＵＳＣＨパラメータ（たとえば、ＰＵＳＣＨホッピング、ＤＭ−ＲＳシーケンス生成など）がサブフレームインデックスに関連付けられ得るので）実際のサブフレームインデックスに基づいて調整され得る。
【０２２５】
[0249]ブロック２３２５における動作は、図１３、図１４、図１５、または図１７を参照しながら説明したワイヤレス通信管理モジュール１３２０、１４２０、１５２０、または１７６０、図１３または図１５を参照しながら説明したアップリンクリソース決定モジュール１３５０または１５５５、あるいは図１５を参照しながら説明したマルチサブフレーム割当て配分モジュール１５７０を使用して実行され得る。
【０２２６】
[0250]アップリンク送信に使用すべきアップリンクリソースの２つ以上の割当てが受信される方法２３００の例では、ブロック２３２５における動作はまた、アップリンク送信に使用すべきアップリンクリソースの割当てを選択することを含み得る。
【０２２７】
[0251]アップリンク送信に使用すべきアップリンクリソースを決定した後に、方法２３００は、決定されたアップリンクリソースを使用してアップリンク送信を送信することを続け得る。
【０２２８】
[0252]したがって、方法２３００はワイヤレス通信を提供し得る。方法２３００は一実装形態にすぎず、方法２３００の動作は、他の実装形態が可能であるように再構成されるか、または場合によっては修正され得ることに留意されたい。
【０２２９】
[0253]図２４は、本開示の様々な態様による、ワイヤレス通信のための方法２４００の一例を示すフローチャートである。明快のために、方法２４００について、図１、図２、または図１７を参照しながら説明したＵＥ１１５、２１５、２１５−ａ、２１５−ｂ、２１５−ｃ、または１７１５のうちの１つまたは複数の態様、あるいは図１３、図１４、または図１５を参照しながら説明した装置１３１５、１４１５、または１５１５のうちの１つまたは複数の態様を参照しながら以下で説明する。いくつかの例では、ＵＥまたは装置は、以下で説明する機能を実施するようにＵＥまたは装置の機能要素を制御するためのコードの１つまたは複数のセットを実行し得る。
【０２３０】
[0254]ブロック２４０５において、方法２４００は、共有無線周波数スペクトル帯域中でのアップリンク送信に使用すべきアップリンクリソースの１つまたは複数の割当てを受信することを含み得る。いくつかの例では、共有無線周波数スペクトル帯域は、無認可無線周波数スペクトル帯域を含み得る。いくつかの例では、共有無線周波数スペクトル帯域は、２つ以上の事業者によって共有される認可無線周波数スペクトル帯域を含み得る。無認可無線周波数スペクトル帯域は、無線周波数スペクトル帯域がＷｉ−Ｆｉ用途などの無認可の用途に利用可能であるので装置がアクセスを求めて競合する必要があり得る無線周波数スペクトル帯域であり得る。認可無線周波数スペクトル帯域は、無線周波数スペクトル帯域が競合に基づいて２つ以上の事業者による使用のために利用可能であるので、装置がアクセスを求めて競合する必要があり得る無線周波数スペクトル帯域であり得る。
【０２３１】
[0255]いくつかの例では、アップリンクリソースの１つまたは複数の割当ては、アップリンクリソースのマルチＴＴＩ割当て（たとえば、複数のＴＴＩまたはサブフレームにまたがるＴＢのための割当て）を含み得る。いくつかの例では、ＵＥが、割り当てられたまたは意図された時間まで共有無線周波数スペクトル帯域へのアクセスを求めて正常に競合すると仮定すると、アップリンクリソースの１つまたは複数の割当ては、方法２３００を実行するＵＥが使用するように基地局が割り当てるかまたは意図する間隔に基づくアップリンクリソースの単一の割当てを含み得る。他の例では、アップリンクリソースの１つまたは複数の割当ては、ＵＥがアップリンク送信のために使用し得る異なる可能な間隔（たとえば、仮説）に対応し得る。いくつかの例では、異なる可能な間隔は、アップリンク送信のための異なる可能な継続時間を含み得る。たとえば、所与のフレームについて、アップリンク送信のための２つの可能な継続時間（たとえば、１サブフレーム継続時間または２サブフレーム継続時間）があり得る。基地局は、したがって、アップリンク送信のための可能な間隔または継続時間ごとにアップリンクリソースの明示的割当て（たとえば、１サブフレーム継続時間を有する第１の間隔の場合アップリンクリソースの第１の割当ておよび２サブフレーム継続時間を有する第２の間隔の場合アップリンクリソースの第２の割当て）を与え得る。いくつかの例では、アップリンクリソースの複数の割当て（たとえば、アップリンク送信のための可能な継続時間）は、個別のアップリンク許可として与えられ得る。他の例では、アップリンクリソースの複数の割当て（たとえば、アップリンク送信のための可能な継続時間）は、ジョイントアップリンク許可中に与えられ得る。ジョイントアップリンク許可の場合、アップリンクリソースの割当ての２つ以上の間でいくつかの情報フィールドが共有され得、アップリンクリソースの割当ての各々に対して、いくつかの情報フィールドが個別に定義され得る。代替的に、情報フィールドのすべてがジョイントアップリンク許可において個別に定義され得る。
【０２３２】
[0256]ブロック２４０５における動作は、図１３、図１４、図１５、または図１７を参照しながら説明したワイヤレス通信管理モジュール１３２０、１４２０、１５２０、または１７６０、あるいは図１５を参照しながら説明したアップリンクリソース割当て受信モジュール１５３５を使用して実行され得る。
【０２３３】
[0257]ブロック２４１０において、方法２４００は、アップリンク送信ための第１の間隔を識別することを含み得る。いくつかの例では、第１の間隔は、ブロック２４０５において受信された１つまたは複数の割当てから識別され得る。いくつかの例では、ＵＥが、割り当てられたまたは意図された時間まで共有無線周波数スペクトル帯域へのアクセスを求めて正常に競合すると仮定すると、第１の間隔は、方法２４００を実行するＵＥが使用するように基地局が割り当てるかまたは意図する間隔であり得る。代替的に、第１の間隔は、アップリンク送信に使用すべきアップリンクリソース（たとえば、少なくとも１つのサブフレームまたは周波数サブキャリア）の割当てを基地局が与えた別の間隔であり得る。ブロック２４１０における動作は、図１３、図１４、図１５、または図１７を参照しながら説明したワイヤレス通信管理モジュール１３２０、１４２０、１５２０、または１７６０、あるいは図１３または図１５を参照しながら説明した第１の間隔識別モジュール１３３５または１５４０を使用して実行され得る。
【０２３４】
[0258]ブロック２４１５において、方法２４００は、アップリンク送信ための第２の間隔を識別することを含み得る。いくつかの例では、第２の間隔は、方法２４００を実行するＵＥが実際に使用することになる間隔であり得、間隔は、ＵＥが共有無線周波数スペクトル帯域へのアクセスを求めて正常にいつ競合するか（たとえば、ＣＣＡプロシージャまたは拡張ＣＣＡプロシージャを正常にいつ実行するか）に依存する。ブロック２４１５における動作は、図１３、図１４、図１５、または図１７を参照しながら説明したワイヤレス通信管理モジュール１３２０、１４２０、１５２０、または１７６０、あるいは図１３または図１５を参照しながら説明した第２の間隔識別モジュール１３４０または１５４５を使用して実行され得る。
【０２３５】
[0259]ブロック２４２０において、方法２４００は、第１の間隔を第２の間隔と比較することを含み得る。ブロック２４２０における動作は、図１３、図１４、図１５、または図１７を参照しながら説明したワイヤレス通信管理モジュール１３２０、１４２０、１５２０、または１７６０、あるいは図１３または図１５を参照しながら説明した間隔比較モジュール１３４５または１５５０を使用して実行され得る。
【０２３６】
[0260]方法２４００のいくつかの例では、第１の間隔は、アップリンク送信のための第１の継続時間を含み得、第２の間隔は、アップリンク送信のための第２の継続時間を含み得る。第２の継続時間は、第１の継続時間とは異なり得る。これらの例では、第１の間隔を第２の間隔と比較することは、アップリンク送信のための第１の継続時間をアップリンク送信のための第２の継続時間と比較することを含み得る。
【０２３７】
[0261]ブロック２４２５において、方法２４００は、第１の間隔と第２の間隔との比較に少なくとも部分的に基づいてアップリンク送信に使用すべきアップリンクリソースを決定することを含み得る。アップリンク送信に使用すべきアップリンクリソースを決定することは、第１の間隔に関連するサブフレームインデックスに少なくとも部分的に基づいてアップリンクリソースの少なくとも１つの割当てを選択することを含み得る。たとえば、ＵＥが、第１の間隔に対応するアップリンクリソースのマルチＴＴＩ割当てを受信し、アップリンクリソースのマルチＴＴＩ割当てが、アップリンク送信の割り当てられたまたは意図された継続時間（たとえば、ＵＥが行うように基地局が割り当てるかまたは意図するアップリンク送信の継続時間）に基づくが、ＵＥが、割り当てられたまたは意図された継続時間よりも短い実際の継続時間を有するアップリンク送信を行うことになる（実際の継続時間は第２の間隔に対応する）とき、ＵＥは、第１の間隔に関連するサブフレームインデックスに少なくとも部分的に基づいてアップリンクリソースの少なくとも１つの割当てを選択し得る。たとえば、アップリンク送信の割り当てられたまたは意図された継続時間が４つのサブフレームであり、アップリンク送信の実際の継続時間が２つのサブフレームであると考える。同じく、アップリンク送信の割り当てられたまたは意図された継続時間中の４つのサブフレームが、それぞれ、サブフレームインデックスＳＦ＿５、ＳＦ＿６、ＳＦ＿７、およびＳＦ＿８に関連付けられ、ＵＥによって送信されるべきアップリンク送信が、サブフレームインデックスＳＦ＿７を有するサブフレームで始まることになると考える。そのような例では、ＵＥは、第１の間隔のサブフレームインデックスＳＦ＿７およびＳＦ＿８に対応するアップリンクリソースの割当てを選択し得る。
【０２３８】
[0262]第１の間隔に関連するサブフレームインデックスに少なくとも部分的に基づいてアップリンクリソースの少なくとも１つの割当てを選択することは、（たとえば、ＤＭ−ＲＳによって使用される開始ＰＲＢおよびサイクリックシフトに基づいて（たとえば、アップリンク同期ＨＡＲＱのための）ＰＨＩＣＨリソース管理に関して、または（たとえば、サブフレームインデックスに結びつけられる場合）ＰＵＳＣＨホッピングに関して）アップリンク送信を基地局の元の意図により良く整合させ得る。そのような選択は、ＵＥのためのマルチＴＴＩスケジューリングが、第１の間隔のすべてのアップリンクサブフレーム中で送信するようにＵＥがスケジュールされるようなものであるときに有利であり得る。すべてのアップリンクサブフレーム中で送信するようにＵＥがスケジュールされないとき、第１の間隔中に後のサブフレームに対応するアップリンクリソースの１つまたは複数の割当ての選択によって、ＵＥがデータを送信することができないことになり得る。
【０２３９】
[0263]ブロック２４２５における動作は、図１３、図１４、図１５、または図１７を参照しながら説明したワイヤレス通信管理モジュール１３２０、１４２０、１５２０、または１７６０、図１３または図１５を参照しながら説明したアップリンクリソース決定モジュール１３５０または１５５５、あるいは図１５を参照しながら説明したマルチサブフレーム割当て配分モジュール１５７０を使用して実行され得る。
【０２４０】
[0264]アップリンク送信に使用すべきアップリンクリソースの２つ以上の割当てが受信される方法２４００の例では、ブロック２４２５における動作はまた、アップリンク送信に使用すべきアップリンクリソースの割当てを選択することを含み得る。
【０２４１】
[0265]アップリンク送信に使用すべきアップリンクリソースを決定した後に、方法２４００は、決定されたアップリンクリソースを使用してアップリンク送信を送信することを続け得る。
【０２４２】
[0266]したがって、方法２４００はワイヤレス通信を提供し得る。方法２４００は一実装形態にすぎず、方法２４００の動作は、他の実装形態が可能であるように再構成されるか、または場合によっては修正され得ることに留意されたい。
【０２４３】
[0267]いくつかの例では、図１９、図２０、図２１、図２２、図２３、または図２４を参照しながら説明した方法１９００、２０００、２１００、２２００、２３００、または２４００のうちの１つまたは複数の態様は組み合わせられ得る。たとえば、図２３を参照しながら説明した方法２３００と図２４を参照しながら説明した方法２４００とは、アップリンクリソースの少なくとも１つの割当ての選択が、ブロック２３２５を参照しながら説明した動作またはブロック２４２５を参照しながら説明した動作に従って行われ得るように組み合わされ得る。アップリンクリソースの少なくとも１つの割当ての選択は、第１の間隔のすべてのサブフレーム中で（たとえば、割り当てられたまたは意図された間隔のすべてのサブフレーム中で）送信するようにＵＥがスケジュールされているかどうかに少なくとも部分的に基づき得る。第１の間隔のすべてのサブフレーム中で送信するようにＵＥがスケジュールされているとき、アップリンクリソースの少なくとも１つの割当ての選択は、ブロック２４２５を参照しながら説明した動作に従って行われ得る。第１の間隔のすべてのサブフレーム中で送信するようにＵＥがスケジュールされていないとき、アップリンクリソースの少なくとも１つの割当ての選択は、ブロック２３２５を参照しながら説明した動作に従って行われ得る。代替的に、基地局は、ブロック２３２５を参照しながら説明した動作またはブロック２４２５を参照しながら説明した動作に従ってＵＥがアップリンクリソースの少なくとも１つの割当ての選択を行うべきであるかどうかをＵＥに示し得る。
【０２４４】
[0268]図１９、図２０、図２１、図２２、図２３、または図２４を参照しながら説明した方法１９００、２０００、２１００、２２００、２３００、または２４００のいずれにおいても、アップリンク送信の異なるサブフレームにわたってアップリンク送信電力を同じに維持することが望ましいことがある。いくつかの例では、ＵＥは、ＵＥによるアップリンク送信の実際の継続時間がアップリンク送信の割り当てられたまたは意図された継続時間よりも短いときでも、ＵＥが使用するように基地局が割り当てるかまたは意図する間隔に対応するアップリンクリソースの割当て中のアップリンク電力制御コマンドが有効であり、それらを相応に適用すると仮定するように構成され得る。いくつかの例では、アップリンク送信のアップリンク電力制御調整は、アップリンク送信の最初に、１回だけ行われ得る。したがって、これらの例では、アップリンク送信の継続時間の間に電力制御コマンドが１つあり、電力制御コマンドは、アップリンク送信の実際の継続時間にかかわらずアップリンク送信に適用され得ることが予想され得る。
【０２４５】
[0269]図１９、図２０、図２１、図２２、図２３、または図２４を参照しながら説明した方法１９００、２０００、２１００、２２００、２３００、または２４００のいずれにおいても、割り当てられたまたは意図された継続時間よりも短い実際の継続時間を有するアップリンク送信へのアップリンクリソースの１つまたは複数の割当ての適用によって、アップリンク送信が行われないことになり得る。これらの例では、アップリンク送信が測定ギャップに該当するとき、現在の送信番号（ＣＵＲＲＥＮＴ＿ＴＸ＿ＮＢ）パラメータが増分され、ＵＥのために構成されたＴＢのためのアップリンク再送信の最大数に対してカウントし得る。他の例では、アップリンク送信が行われないとき、ＣＵＲＲＥＮＴ＿ＴＸ＿ＮＢパラメータは増分されないことがある。
【０２４６】
[0270]図１９、図２０、図２１、図２２、図２３、または図２４を参照しながら説明した方法１９００、２０００、２１００、２２００、２３００、または２４００のいずれにおいても、非適応アップリンク再送信（たとえば、同期アップリンクＨＡＲＱ）のためにＰＨＩＣＨが使用され得る。アップリンク送信の実際の継続時間が、アップリンク送信の割り当てられたまたは意図された継続時間よりも短く、したがって、アップリンクＴＢの数が少なくなるとき、ＵＥは、消失したアップリンク送信のＴＢのためのＡＣＫが受信されたかのように消失したアップリンク送信のＴＢを扱い得る。ＡＣＫ／ＮＡＫバンドリングの可能性があるとき、ＵＥは、消失したアップリンク送信のＴＢがＡＣＫ／ＮＡＫバンドリングに関与しないと仮定し得る（すなわち、ＡＣＫ／ＮＡＫバンドリングは、消失したアップリンク送信のＴＢがＡＣＫされると仮定し得る）。
【０２４７】
[0271]添付の図面に関して上に記載された詳細な説明は、例を説明しており、実装され得るまたは特許請求の範囲内に入る例のみを表すものではない。「例」および「例示的」という語は、この説明で使用されるとき、「一例、実例、または例示としての役割を果たす」ことを意味し、「好ましい」または「他の例より有利である」ことを意味しない。詳細な説明は、説明する技法の理解を与えるための具体的な詳細を含む。ただし、これらの技法は、これらの具体的な詳細なしに実施され得る。いくつかの事例では、説明された例の概念を不明瞭にすることを避けるために、よく知られている構造および装置がブロック図の形態で示されている。
【０２４８】
[0272]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２４９】
[0273]本明細書の開示に関連して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタロジック、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２５０】
[0274]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとして非一時的コンピュータ可読媒体上に記憶され、または非一時的コンピュータ可読媒体を介して送信され得る。他の例および実装形態が、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０２５１】
[0275]コンピュータ可読媒体は、コンピュータ記憶媒体と、ある場所から別の場所へのコンピュータプログラムの転送を円滑にする任意の媒体を含む通信媒体の両方を含む。記憶媒体は、汎用または専用コンピュータによってアクセスされ得る任意の入手可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２５２】
[0276]本開示の前の説明は、当業者が本開示を作成または使用することが可能になるように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信のための方法であって、
共有無線周波数スペクトル帯域中でのアップリンク送信のための第１の間隔を識別することと、
前記アップリンク送信のための第２の間隔を識別することと、
前記第１の間隔を前記第２の間隔と比較することと、
前記第１の間隔と前記第２の間隔との前記比較に少なくとも部分的に基づいて前記アップリンク送信に使用すべきアップリンクリソースを決定することと
を備える、方法。
［Ｃ２］
前記共有無線周波数スペクトル帯域は、無認可無線周波数スペクトル帯域を備える、
Ｃ１に記載の方法。
［Ｃ３］
前記共有無線周波数スペクトル帯域は、２つ以上の事業者によって共有される認可無線周波数スペクトル帯域を備える、
Ｃ１に記載の方法。
［Ｃ４］
前記アップリンク送信に使用すべきアップリンクリソースの少なくとも１つの割当てを受信すること
をさらに備える、Ｃ１に記載の方法。
［Ｃ５］
前記第２の間隔を識別するためにクリアチャネルアセスメント（ＣＣＡ）を実行することと、
前記決定されたアップリンクリソースを使用して前記アップリンク送信を送信することと
をさらに備える、Ｃ４に記載の方法。
［Ｃ６］
前記ＣＣＡは、拡張ＣＣＡを備える、
Ｃ５に記載の方法。
［Ｃ７］
前記アップリンク送信に使用すべきアップリンクリソースの複数の割当てを受信すること、
をさらに備え、アップリンクリソースを前記決定することは、前記アップリンク送信に使用すべきアップリンクリソースの前記複数の割当てから割当てを選択することを備える、
Ｃ１に記載の方法。
［Ｃ８］
アップリンクリソースを前記決定することは、
前記アップリンク送信に、前記アップリンク送信の継続時間に関連するアップリンクリソースの割当てのサブセットを適用すること
を備える、Ｃ４に記載の方法。
［Ｃ９］
アップリンクリソースを前記決定することは、
前記第１の間隔と前記第２の間隔との前記比較に少なくとも部分的に基づいて前記アップリンク送信に使用すべき前記アップリンクリソースの１つまたは複数のパラメータを調整すること
を備える、Ｃ４に記載の方法。
［Ｃ１０］
基地局に、前記アップリンクリソースの前記調整された１つまたは複数のパラメータのうちの少なくとも１つの値を示すインジケータをシグナリングすること
をさらに備える、Ｃ９に記載の方法。
［Ｃ１１］
アップリンクリソースを前記決定することは、
前記第１の間隔の一部分に対応するアップリンクリソースの少なくとも１つの割当てを適用すること
を備える、Ｃ４に記載の方法。
［Ｃ１２］
アップリンクリソースを前記決定することは、
前記第１の間隔に関連するサブフレームインデックスに少なくとも部分的に基づいてアップリンクリソースの少なくとも１つの割当てを適用すること
を備える、Ｃ４に記載の方法。
［Ｃ１３］
前記第１の間隔は、前記アップリンク送信のための第１の継続時間を備え、前記第２の間隔は、前記アップリンク送信のための第２の継続時間を備え、前記第２の継続時間は、前記第１の継続時間とは異なる、
Ｃ１に記載の方法。
［Ｃ１４］
前記第１の間隔は、複数のサブフレームを備える、
Ｃ１に記載の方法。
［Ｃ１５］
ワイヤレス通信のための装置であって、
プロセッサと、
前記プロセッサと電子通信しているメモリと、
前記メモリに記憶された命令と
を備え、前記命令は、前記プロセッサによって、
共有無線周波数スペクトル帯域中でのアップリンク送信のための第１の間隔を識別することと、
前記アップリンク送信のための第２の間隔を識別することと、
前記第１の間隔を前記第２の間隔と比較することと、
前記第１の間隔と前記第２の間隔との前記比較に少なくとも部分的に基づいて前記アップリンク送信に使用すべきアップリンクリソースを決定することと
を行うように実行可能である、装置。
［Ｃ１６］
前記共有無線周波数スペクトル帯域は、無認可無線周波数スペクトル帯域を備える、
Ｃ１５に記載の装置。
［Ｃ１７］
前記共有無線周波数スペクトル帯域は、２つ以上の事業者によって共有される認可無線周波数スペクトル帯域を備える、
Ｃ１５に記載の装置。
［Ｃ１８］
前記命令は、前記プロセッサによって、
前記アップリンク送信に使用すべきアップリンクリソースの少なくとも１つの割当てを受信すること
を行うように実行可能である、Ｃ１５に記載の装置。
［Ｃ１９］
前記命令は、前記プロセッサによって、
前記アップリンク送信に使用すべきアップリンクリソースの複数の割当てを受信すること、
を行うように実行可能であり、アップリンクリソースを決定するように前記プロセッサによって実行可能な前記命令は、前記アップリンク送信に使用すべきアップリンクリソースの前記複数の割当てから割当てを選択することを行うように前記プロセッサによって実行可能な命令を備える、
Ｃ１５に記載の装置。
［Ｃ２０］
アップリンクリソースを決定するように前記プロセッサによって実行可能な前記命令は、前記プロセッサによって、
前記アップリンク送信に、前記アップリンク送信の継続時間に関連するアップリンクリソースの割当てのサブセットを適用すること
を行うように実行可能な命令を備える、Ｃ１８に記載の装置。
［Ｃ２１］
アップリンクリソースを決定するように前記プロセッサによって実行可能な前記命令は、前記プロセッサによって、
前記第１の間隔と前記第２の間隔との前記比較に少なくとも部分的に基づいて前記アップリンク送信に使用すべき前記アップリンクリソースの１つまたは複数のパラメータを調整すること
を行うように実行可能な命令を備える、Ｃ１８に記載の装置。
［Ｃ２２］
アップリンクリソースを決定するように前記プロセッサによって実行可能な前記命令は、前記プロセッサによって、
前記第１の間隔の一部分に対応するアップリンクリソースの少なくとも１つの割当てを適用すること
を行うように実行可能な命令を備える、Ｃ１８に記載の装置。
［Ｃ２３］
ワイヤレス通信のための方法であって、
共有無線周波数スペクトル帯域中でのアップリンク送信に使用すべきアップリンクリソースの少なくとも１つの割当てを送信することと、
前記アップリンク送信の継続時間を検出することと、
前記検出することに少なくとも部分的に基づいて前記アップリンク送信のために使用されるアップリンクリソースを識別することと
を備える、方法。
［Ｃ２４］
アップリンクリソースを前記識別することは、
前記アップリンク送信のために使用される前記アップリンクリソースを識別するためにブラインド検出を実行すること
を備える、Ｃ２３に記載の方法。
［Ｃ２５］
アップリンクリソースを前記識別することは、
前記アップリンク送信のために使用される前記アップリンクリソースを示す信号を受信すること
を備える、Ｃ２３に記載の方法。
［Ｃ２６］
アップリンクリソースを前記識別することは、
前記アップリンク送信のために使用される前記アップリンクリソースに前記アップリンク送信の前記検出された継続時間をマッピングすること
を備える、Ｃ２３に記載の方法。
［Ｃ２７］
アップリンクリソースの少なくとも１つの割当てを前記送信することは、
第１の継続時間を備える第１の間隔に関連するアップリンクリソースの第１の割当てを送信することと、
第２の継続時間を備える第２の間隔に関連するアップリンクリソースの第２の割当てを送信すること、前記第２の継続時間は、前記第１の継続時間とは異なる、と
を備える、Ｃ２３に記載の方法。
［Ｃ２８］
ワイヤレス通信のための装置であって、
プロセッサと、
前記プロセッサと電子通信しているメモリと、
前記メモリに記憶された命令と
を備え、前記命令は、前記プロセッサによって、
共有無線周波数スペクトル帯域中でのアップリンク送信に使用すべきアップリンクリソースの少なくとも１つの割当てを送信することと、
前記アップリンク送信の継続時間を検出することと、
前記検出することに少なくとも部分的に基づいて前記アップリンク送信のために使用されるアップリンクリソースを識別することと
を行うように実行可能である、装置。
［Ｃ２９］
アップリンクリソースを識別するように前記プロセッサによって実行可能な前記命令は、前記プロセッサによって、
前記アップリンク送信のために使用される前記アップリンクリソースを識別するためにブラインド検出を実行すること
を行うように実行可能な命令を備える、Ｃ２８に記載の装置。
［Ｃ３０］
アップリンクリソースを識別するように前記プロセッサによって実行可能な前記命令は、前記プロセッサによって、
前記アップリンク送信のために使用される前記アップリンクリソースに前記アップリンク送信の前記検出された継続時間をマッピングすること
を行うように実行可能な命令を備える、Ｃ２８に記載の装置。
【図１】
0006553091.tif 000002
【図２】
0006553091.tif 000003
【図３】
0006553091.tif 000004
【図４】
0006553091.tif 000005
【図５】
0006553091.tif 000006
【図６】
0006553091.tif 000007
【図７】
0006553091.tif 000008
【図８】
0006553091.tif 000009
【図９】
0006553091.tif 000010
【図１０】
0006553091.tif 000011
【図１１】
0006553091.tif 000012
【図１２】
0006553091.tif 000013
【図１３】
0006553091.tif 000014
【図１４】
0006553091.tif 000015
【図１５】
0006553091.tif 000016
【図１６】
0006553091.tif 000017
【図１７】
0006553091.tif 000018
【図１８】
0006553091.tif 000019
【図１９】
0006553091.tif 000020
【図２０】
0006553091.tif 000021
【図２１】
0006553091.tif 000022
【図２２】
0006553091.tif 000023
【図２３】
0006553091.tif 000024
【図２４】
0006553091.tif 000025